(57)【要約】【課題】好適に改良された遊技機を提供する。【解決手段】本発明の遊技機によれば、戻り球防止機構８００の開閉部８１１ａが第１状態に切り替えられたことで発射通路３１から遊技領域２１に進入した遊技球に糸が取り付けられている場合、該糸が糸受け部８２１ｃの傾斜面８２１ｃ１と錘部８１２ｂの前面８１１ｂ１との間に狭持されたことに基づき、その後における開閉部８１１ａの第１状態への切り替えが抑制される。開閉部８１１ａの第１状態への切り替えが抑制されたことで、その後に発射装置により発射される遊技球が遊技領域２１へ進入することが難しくなるため、糸が取り付けられた遊技球を用いて不正に遊技球を獲得するといった不正行為を抑制できる。【選択図】  図１８
2017196197.tif 000002
【特許請求の範囲】
【請求項１】
遊技球を発射する発射手段と、
該発射手段により発射された遊技球を、遊技球が流下する遊技領域へ向けて案内する案内通路部と、
該案内通路部と前記遊技領域との間に設けられ、前記発射手段により発射された遊技球の前記案内通路部から前記遊技領域への進入を許容する許容状態と、前記遊技領域から前記案内通路部側への遊技球の進入を規制する規制状態とを切り替え可能に動作する可動部と、
該可動部が前記許容状態に切り替えられたことで前記案内通路部から前記遊技領域に進入した遊技球に取着された糸状部材が接触または接近したことに基づいて、その後に前記可動部が前記許容状態に切り替わることを抑制する抑制手段と、
を備えていることを特徴とする遊技機。
【請求項２】
前記遊技機は、パチンコ遊技機であることを特徴とする請求項１に記載の遊技機。
【発明の詳細な説明】
【技術分野】
【０００１】
本発明は、パチンコ機等の遊技機に関する。
【背景技術】
【０００２】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口や、その入賞口へ遊技球を導く通路と入賞口に入賞しないでアウト口へ導く通路とを形成する多数の遊技釘などが設けられている（例えば、特許文献１参照）。
【先行技術文献】
【特許文献】
【０００３】
【特許文献１】特開２００８−１６１６３８号公報
【発明の概要】
【発明が解決しようとする課題】
【０００４】
しかしながら、従来の遊技機においては、未だ改良の余地があった。
【０００５】
本発明は、上記例示した事情等に鑑みてなされたものであり、好適に改良された遊技機を提供することを目的とするものである。
【課題を解決するための手段】
【０００６】
上記課題を解決すべく、請求項１記載の発明は、
遊技球を発射する発射手段と、
該発射手段により発射された遊技球を、遊技球が流下する遊技領域へ向けて案内する案内通路部と、
該案内通路部と前記遊技領域との間に設けられ、前記発射手段により発射された遊技球の前記案内通路部から前記遊技領域への進入を許容する許容状態と、前記遊技領域から前記案内通路部側への遊技球の進入を規制する規制状態とを切り替え可能に動作する可動部と、
該可動部が前記許容状態に切り替えられたことで前記案内通路部から前記遊技領域に進入した遊技球に取着された糸状部材が接触または接近したことに基づいて、その後に前記可動部が前記許容状態に切り替わることを抑制する抑制手段と、
を備えていることを特徴とする。
【発明の効果】
【０００７】
本発明によれば、好適に改良された遊技機を提供することができる。
【図面の簡単な説明】
【０００８】
【図１】第１実施形態におけるパチンコ機の斜視図である。
【図２】遊技盤の正面図である。
【図３】（ａ）は、遊技釘の固定状態を示す縦断面図であり、（ｂ）は、図３（ａ）に示す遊技釘の先端側の形状を示した部分拡大図であり、（ｃ）は、図３（ｂ）のＡ−Ａ線における遊技釘の断面図であり、（ｄ）は、図３（ｂ）のＢ−Ｂ線における遊技釘の断面図である。
【図４】（ａ）は、第２の遊技釘の側面図であり、（ｂ）は、図４（ａ）のＤ−Ｄ線における遊技釘の断面図であり、（ｃ）は、図４（ａ）に示す遊技釘の取り付け態様を説明する図である。
【図５】（ａ）は、第３の遊技釘の側面図であり、（ｂ）は、図５（ａ）のＥ−Ｅ線における遊技釘の断面図である。
【図６】（ａ）は、連結部の長手方向を見る向きから見た釘ユニットの側面図であり、（ｂ）は、図６（ａ）における矢印Ｇ方向に見た遊技釘の側面図であり、（ｃ）は、図６（ａ）のＦ−Ｆ線における遊技釘の断面図である。（ｄ）は、図６（ａ）における矢印Ｈ方向に見た連結部の側面図である。
【図７】（ａ）は、第１の取り付け態様で取り付けられた第２実施形態に係る一般入賞装置の正面図であり、（ｂ）は、第２の取り付け態様で取り付けられた第２実施形態に係る一般入賞装置の正面図である。
【図８】（ａ）は、第３実施形態に係る始動入賞装置の正面図であり、（ｂ）は、図８（ａ）のＪ−Ｊ線における始動入賞装置の断面図である。
【図９】（ａ）は、第３実施形態に係る別例の釘カバーの正面図であり、（ｂ）は、図９（ａ）のＫ−Ｋ線における釘カバーの断面図である。
【図１０】（ａ）は、第４実施形態に係る始動入賞装置の正面図であり、（ｂ）は、図１０（ａ）のＬ−Ｌ線における始動入賞装置の断面図である。（ｃ）は、図１０（ａ）のＭ−Ｍ線における始動入賞装置の断面図である。
【図１１】（ａ）は、前板支持部に対する前板部の位置が所定位置にあるときの断面図であり、（ｂ）は、前板部を図１１（ａ）の状態から上方にスライドさせたときの断面図である。
【図１２】（ａ）は、第５実施形態に係る始動入賞装置の正面図であり、（ｂ）は、図１２（ａ）のＮ−Ｎ線における始動入賞装置の断面図である。（ｃ）は、図１２（ａ）のＰ−Ｐ線における始動入賞装置の断面図である。
【図１３】図１２（ｃ）における左側の釘カバー部付近の拡大断面図である。
【図１４】遊技盤２０における戻り球防止機構付近の拡大正面図である。
【図１５】戻り球防止機構の分解斜視図である。
【図１６】ゲート部材が非作動状態にあるときの戻り球防止機構を遊技機正面視における左方向から見た側面図である。
【図１７】遊技球に取り付けられた糸が開閉部の切欠き部に入り込んだ状態における、戻り球防止機構付近の模式的な拡大正面図である。
【図１８】遊技球に取り付けられた糸が糸受け部に入り込んだ状態における、戻り球防止機構付近の模式的な拡大正面図である。
【図１９】遊技球に取り付けられた糸が糸受け部に入り込んだ状態における、戻り球防止機構付近の模式的な拡大正面図である。
【発明を実施するための形態】
【０００９】
＜パチンコ機の全体構成＞
以下、本発明の実施形態として、遊技機の一種であるパチンコ遊技機（以下、「パチンコ機」という）を参照して説明する。図１は、本発明の第１実施形態におけるパチンコ機１０の斜視図、図２はパチンコ機１０に備えられる遊技盤２０の正面図である。
【００１０】
パチンコ機１０には、図１に示すように、その中央部分に透明なガラス板１１が前後一対に配置された窓部１２が設けられ、その窓部１２を介して、遊技球が前面側を流下する遊技盤２０（図２参照）が遊技者から視認可能とされている。窓部１２の下側には、上下２つの球皿１３，１４が設けられ、この球皿１３，１４内に遊技球が貯留される。球皿１３，１４の右側には、発射ハンドル１５が設けられ、遊技者が発射ハンドル１５を操作すると、上側の球皿１３に貯留された遊技球が１球ずつ、遊技盤２０の前面側に向けて発射される。
【００１１】
遊技盤２０には、図２に示すように、略円形状に外周が区画された内側部分に遊技領域２１が形成されている。遊技領域２１の中央部および下側部分における左右両側には、センター装飾部材２２および複数のサイド装飾部材２３が設けられ、それら装飾部材２２，２３を避けた遊技領域２１の全域に多数の遊技釘が立設されている。本実施形態の遊技盤２０には、４種類の遊技釘、すなわち、遊技釘１００Ａ〜１００Ｃと、釘ユニット２００の一部である遊技釘１００Ｄ（図６参照）とが立設されている。
【００１２】
遊技釘１００Ａ〜１００Ｄが設けられる領域には、一般入賞口２４、始動入賞口２５，２６、大当たり時に開放される入賞口を開閉する可変入賞装置２７、スルーゲート２８等の遊技者にとって特典が付与される入球口が設けられ、それら入球口に遊技球が入球することで賞球が払い出されたり、大当たり等の抽選が行われたりする。遊技盤２０は、図２に示すように、その外形を形成する木製の遊技板５０を備え、遊技板５０の表面側から多数の遊技釘１００Ａ〜１００Ｄが打ち込まれて取り付けられている。
【００１３】
遊技板５０は、遊技釘１００Ａ〜１００Ｄを保持する板状の部材であり、切削加工による単一の木製板材若しくは木製の薄板を複数重ね合わせた合板によって形成されている。遊技板５０は、必ずしも木製とする必要はなく、ポリカーボネート樹脂、アクリル樹脂等の合成樹脂製の板材または射出成形品により構成しても良い。
【００１４】
遊技板５０には、装飾部材等が取り付けられる貫通穴が設けられ、上記した各種の入賞口２４〜２６、可変入賞装置２７、スルーゲート２８等を構成する各部材が取り付けられている。また、遊技板５０には、予め形成された下穴５３（図３（ｂ）参照）に対して、釘打ち装置によって多数の遊技釘１００Ａ〜１００Ｄが打ち込まれて固定されている。なお、必ずしも下穴５３を予め設けて遊技釘１００Ａ〜１００Ｄを遊技板５０に打ち込む必要はなく、表面が平滑な遊技板５０に対して遊技釘１００Ａ〜１００Ｄを打ち込んでも良いし、遊技板５０の表面にわずかな凹みを設け、その凹みに遊技釘１００Ａ〜１００Ｄを打ち込んでも良い。また、以下の説明において、下穴５３に対して遊技釘１００Ａ〜１００Ｄが打ち込まれ、打ち込み前に比べて遊技釘１００Ａ〜１００Ｄによって変形し、拡大された状態の穴部を釘穴５２と称す。
【００１５】
また、遊技盤２０は、遊技板５０の左下から右上に亘り滑らかに湾曲して立設される外レール２９ａと、遊技板５０の右下から左側中ほどまでに亘り滑らかに湾曲して立設される内レール２９ｂとを備えている。外レール２９ａおよび内レール２９ｂは、いずれも、金属製の薄板から構成される。また、内レール２９ｂにおける遊技板５０の左側の先端からは、複数の遊技釘１００Ａが外レール２９ａに沿って遊技板５０の左上まで配設されている。
【００１６】
外レール２９ａは、発射装置（図示せず）から、発射ハンドル１５の操作量に応じた強度で発射された遊技球を遊技領域２１内へ誘導するものである。外レール２９ａと、内レール２９ｂまたは内レール２９ｂの先に配列された複数の遊技釘１００Ａとが平行に対向する間部分には、発射装置から発射された遊技球が通過する発射通路３１が形成される。よって、内レール２９ｂの先に配列された複数の遊技釘１００Ａは、遊技領域２１と発射通路３１とを仕切る仕切り部として機能する。
【００１７】
ここで、パチンコ機１０において、遊技領域２１と発射通路３１との仕切り部を、配列された複数の遊技釘１００Ａによって構成としたことに係る作用および効果を説明する。
【００１８】
遊技釘１００Ａは、図３を参照して後述する通り、細長く形成された軸部１０１Ａ（図３（ａ））が軸方向（長手方向）に対して垂直な断面が円形の一定形状に形成されている。そのため、内レール２９ｂの先に配列された複数の遊技釘１００Ａは、各遊技釘１００Ａの軸部１０１Ａの外周形状による起伏を、遊技領域２１および発射通路３１のそれぞれの側に有する仕切り部を構成する。よって、遊技領域２１を流下する遊技球が、遊技領域２１の側にて起伏形状に構成された仕切り部（すなわち、配列された複数の遊技釘１００Ａ）に接触した場合の挙動は、内レール２９ｂのような、滑らかに湾曲して立設される薄板に接触した場合に比べて複雑化されることになる。
【００１９】
近年、センター装飾部材２２など、遊技領域２１の中央に配設される中央構造体が遊技の興趣向上のために大型化される傾向にある。中央構造体が大型化されると、その分、遊技球を流下可能な領域が限定されることになる。遊技球を流下可能な領域が限定されると、遊技球の流下挙動が単調となり易く、遊技球を流下させて始動入賞口や一般入賞口などに入賞させる遊技の興趣が失われる可能性があった。これに対し、上述したように、複数の遊技釘１００Ａを遊技領域２１に対する仕切り部として配列させることで、当該仕切り部に遊技領域２１側から接触した遊技球の挙動が複雑化されるので、中央構造体が大型化されたことで遊技領域が限定される場合であっても、遊技球の流下挙動が単調となり難く、好適な遊技の興趣を提供できる。
【００２０】
また、発射通路３１の側においても起伏形状に構成された仕切り部（すなわち、複数の配列された遊技釘１００Ａ）は、発射装置から発射された遊技球が遊技領域２１に到達せずに発射通路３１を逆流する場合において、逆流する遊技球の挙動が当該仕切り部との接触によって複雑化されるため、逆流する遊技球と、発射装置から新たに発射された遊技球との衝突位置が不定になり易くなる。
【００２１】
従来、発射装置から発射された遊技球が遊技領域２１に到達せずに発射通路３１を逆流した場合、そのように逆流する遊技球が、発射装置から次に発射された遊技球と特定の位置で衝突して遊技領域２１側へと弾き飛ばされた後、発射通路３１を再度逆流して、発射装置から次に発射された別の遊技球と特定の位置で再度衝突するというサイクルを断ち切ることができず、遊技になかなか復帰できないという問題があった。これに対し、上述したように、遊技領域２１と発射通路３１とを仕切る仕切り部が、発射通路３１の側において起伏形状に構成されたことで、発射通路３１を逆流する遊技球と、発射装置から新たに発射された遊技球との衝突位置が不定になり易くなり、それにより、遊技球が発射通路を逆流する事象が発生した後、遊技を早期に復帰させることが可能となる。
【００２２】
また、一般的に、遊技領域２１と発射通路３１とを仕切る内レール２９ｂのようなレールは、金属製の薄板を滑らかに湾曲させながらねじ止めなどによって所定間隔で固定することで遊技板５０に立設されているために、使用によって歪み易いという問題があった。遊技領域と発射通路とを仕切るレールが歪んだ場合、遊技領域を流下する遊技球が遊技釘とレールとの間に嵌まり込むなど、適正な遊技が阻害される可能性がある。これに対し、複数の遊技釘１００Ａから構成された仕切り部は、個々の遊技釘１００Ａに歪みが生じ難いことから、当該仕切り部について使用による歪みが生じ難く、適正な遊技を長期にわたって提供することができる。
【００２３】
また、遊技盤２０は、内レール２９ｂの先に配列された複数の遊技釘１００Ａの先端側（すなわち、内レール２９ｂから最も離れた遊技釘１００Ａの側）に取着された戻り球防止機構３２を備えている。戻り球防止機構３２は、発射通路３１から遊技領域２１内へ一旦放出された遊技球が発射通路３１に戻ることを防止する。
【００２４】
＜遊技釘１００Ａ＞
次に、図３を参照して、基本的な遊技釘である遊技釘１００Ａに関する構成について説明する。図３（ａ）は、遊技板５０と遊技釘１００Ａとの固定状態を示す縦断面図である。図３（ｂ）は、遊技釘１００Ａの先端側の形状を示した部分拡大図であり、図３（ｃ）は、図３（ｂ）のＡ−Ａ線における遊技釘１００Ａの断面図である。また、図３（ｄ）は、図３（ｂ）のＢ−Ｂ線における遊技釘１００Ａの断面図である。なお、図３においては、理解の容易のために、図３（ａ）には遊技球を実線により併せて示し、図３（ｂ）には下穴５３の深さ方向先端側における一部の外形形状を二点鎖線で示し、遊技釘１００Ａの一部の縦断面の形状を斜線を付して示している。
【００２５】
遊技釘１００Ａは、図３（ａ）に示すように、遊技板５０に対して一端側が保持され、遊技板５０の前面５１が向く前方側に突出するようにして遊技板５０に取り付けられている。この遊技釘１００Ａが突出する側が遊技盤２０の前面側に設けられる遊技領域に相当し、この前面側を遊技球が流下する。
【００２６】
遊技釘１００Ａは、図３（ａ）に示すように、細長く形成された軸部１０１Ａと、軸部１０１Ａの一端側であって遊技板５０の前面５１側に突出する先端側端部（突端部）にて軸部１０１Ａより太く形成された頭部１０２とを有している。遊技釘１００Ａの軸部１０１Ａは、図３（ｄ）に示すように、軸方向（長手方向）に対して垂直な断面が円形の一定形状に形成されている。
【００２７】
遊技釘１００Ａは、金属製であり、例えば、黄銅（真鍮）によって形成され、線材に対して転造などの圧造加工を施して形成されている。なお、遊技釘１００Ａは、必ずしも圧造加工によって形成する必要はなく、これに代えて、又は、これに加えて切削加工等の他の加工を用いて形成しても良い。
【００２８】
遊技板５０とガラス板１１の間を流下する遊技球は、図３（ａ）に示すように、軸部１０１Ａの一部分であって、抜止部１１３と頭部１０２との間にて断面形状が円形の一定形状に形成された当接部１１４に当接する。遊技釘１００Ａは、遊技板５０の前面５１に対して略垂直に取り付けられ、上方から遊技釘１００Ａに当接した遊技球が遊技板５０側に案内され、遊技板５０の前面５１に沿って遊技球が落下し易く構成されている。なお、遊技釘１００Ａが遊技板５０の前面５１に対して略垂直に取り付けられるとは、必ずしも完全に垂直に取り付けられる場合に限らず、僅かに（例えば、５度以内）傾斜を設けて取り付けられても良く、例えば、水平より僅かに上側を向くように傾斜させて取り付けられても良い。
【００２９】
軸部１０１Ａは、頭部１０２とは反対側となる端部に、先端部１１１と、螺旋部１１２と、抜止部１１３とを備えている。遊技釘１００Ａは、軸部１０１Ａにおける先端部１１１側から遊技板５０に打ち込まれ、螺旋部１１２と抜止部１１３とが遊技板５０の厚み内に位置して固定される。遊技板５０に固定された遊技釘１００Ａは、遊技板５０の前面５１より頭部１０２と軸部１０１Ａの一部分とが突出し、遊技釘１００Ａが突出する突出量は、例えば、略１８．５ｍｍとされている。
【００３０】
遊技釘１００Ａは、先端部１１１が位置する側が打込方向先端側（図３（ｂ）の右側）となり、頭部１０２に近い側が打込方向後端側となるようにして遊技板５０に打ち込み固定される。先端部１１１は、直径が先端側から次第に増大する略円形状の断面形状を有して先端側に位置する先端側尖形部１１１ａと、先端側尖形部１１１ａより打込方向後端側に形成された先端側直線部１１１ｂとを有している。
【００３１】
先端側尖形部１１１ａは、軸部１０１Ａの軸方向に垂直な側面視（図３（ｂ）における紙面垂直方向視）において略三角形状であって、略円錐状に形成されている。先端側直線部１１１ｂは、軸部１０１Ａの軸方向（図３（ｂ）の一点鎖線で示す軸部１０１Ａの中心軸線が連続する方向）に沿って直径が略同一であって略円形の断面形状に形成されている。
【００３２】
先端側尖形部１１１ａの先端部分は、軸部１０１Ａの軸方向に垂直な側面視（図３（ｂ）における紙面垂直方向視）において、略２５度から３０度の範囲内の角度となるように尖った形状に形成され、予め遊技板５０に設けられる下穴５３の奥底面５３ａに接触する設定とされている。なお、先端側尖形部１１１ａの先端部分は、側面視において、略９０度以下の角度に設定されることが良く、略６０度以下の角度に設定されることが好ましく、略４０度以下の角度に設定されることが好適である。
【００３３】
ここで、下穴５３は、遊技板５０の前面５１から直径が略同一であって略円形の断面形状を有する形状を主体として形成されている。下穴５３の直径は、当接部１１４の外形よりも略１０％から略２０％の範囲内で小さく、且つ、先端部１１１（先端側尖形部１１１ａ及び先端側直線部１１１ｂ）の最大外径よりも僅かに小さく形成され、例えば、略１．５ｍｍに設定されている。下穴５３の深さは、遊技釘１００Ａの打込方向先端側の最先端から抜止部１１３が形成された打込方向後端側端部までの長さ（例えば、略９ｍｍ）より長く、且つ、遊技釘１００Ａが正規の位置に打ち込まれるまでの打込長さ（例えば、略１５ｍｍ）より、一定以上（例えば、略２ｍｍ以上）短い長さ（例えば、略１０ｍｍ）に設定されている。
【００３４】
下穴５３の奥底面５３ａは、中心部分が最も深い穴形状となるように断面視略三角形状をなす略円錐状に形成されている。また、下穴５３の連続する軸方向に沿った中心軸に対しての奥底面５３ａの傾斜角度は、遊技釘１００Ａの先端側尖形部１１１ａにおける中心軸に対しての傾斜角度より大きく設定されている。遊技板５０へ遊技釘１００Ａが打ち込まれた場合には、下穴５３の奥底面５３ａに対して遊技釘１００Ａの先端側尖形部１１１ａの先端が接触した後、下穴５３の奥底面５３ａの傾斜に沿って遊技釘１００Ａの先端が下穴５３の中央側に案内され易い。このため、下穴５３の中心軸に遊技釘１００Ａの中心軸が一致し易くなり、製造上の遊技釘１００Ａの打ち込み位置のバラツキを少なくすることができる。
【００３５】
先端側直線部１１１ｂは、遊技釘１００Ａの軸部１０１Ａの連続する方向に沿って外形部分が略直線的に連続する略円柱状に形成されている。先端側直線部１１１ｂは、遊技釘１００Ａが下穴５３の連続する方向に沿って軸部１０１Ａが平行に進入するように位置決めするための部位であり、遊技釘１００Ａの軸部１０１Ａにおける基準直径（遊技釘１００Ａの軸部１０１Ａにおいて表面が平滑な円柱状の部位の直径であり、当接部１１４の直径）の半分以上の長さに設定することが好ましく、当該直径以上の長さに設定することが好適である。また、先端側直線部１１１ｂは、次第に外形が僅かに大きくなる形状に設定することが好ましく、例えば、先端側直線部１１１ｂにおける打込方向先端側（先端側尖形部１１１ａに近い側）の端に比べて、打込方向後端側（螺旋部１１２に近い側）の端が略２％以上、外形が大きく設定されることが好ましく、略５％以上、外形が大きく設定されることが好適である。なお、先端側直線部１１１ｂは、必ずしも設ける必要はなく、先端側尖形部１１１ａに対して打込方向後端側に螺旋部１１２が連続する形状としても良い。また、先端部１１１の最大外径は、当接部１１４の外形よりも略５％から略１５％の範囲内で小さく、下穴５３の内径よりも僅かに大きく設定されるものであり、例えば、略１．７ｍｍに設定されている。
【００３６】
螺旋部１１２は、遊技釘１００Ａが遊技板５０に打ち込まれる場合に遊技釘１００Ａを回転させる部位であり、４条の螺旋状の突条部１１２ａがローレット加工により中心軸から離間する径方向側に突出して形成されたねじ状の外形形状に形成されている。遊技釘１００Ａが下穴５３に打ち込まれた場合には、突条部１１２ａの連続する方向に沿って遊技釘１００Ａが回転し、この回転によって遊技釘１００Ａが下穴５３の連続する方向に沿って真直に進行し易くなる。これにより、遊技釘１００Ａの打ち込み位置のバラツキを少なくすることができる。
【００３７】
突条部１１２ａは、図３（ｃ）に示すように、中心軸（図３（ｃ）の点Ｃ）に対して半径方向外側に向かって複数箇所において突出している。突条部１１２ａは、軸部１０１Ａの中心軸を中心とする周方向において複数箇所に離間して設けられている。突条部１１２ａの突出先端部分は、図３（ｂ）に示すように、軸部１０１Ａの軸方向に沿って中心軸を中心とした位置が周方向に異なる位置となるようにして連続し、突条部１１２ａが軸部１０１Ａの軸方向に沿って螺旋状に連続する形状とされている。螺旋部１１２において、突条部１１２ａの先端が位置する外径（最大外径）の大きさは、軸部１０１Ａの軸方向に沿って略同一に設定され、先端部１１１に比べて大きな外径に設定されている。
【００３８】
ここで、螺旋部１１２の長さは、当接部１１４の直径と比較して、同一の長さ以上に設定することが好ましく、当該直径の２倍以上の長さに設定することが好適である。また、螺旋部１１２は、次第に外形が僅かに大きくなる形状に設定することが好ましく、例えば、螺旋部１１２における打込方向先端側（先端部１１１に近い側）の端に比べて、打込方向後端側（抜止部１１３に近い側）の端が略５％以上に外形が大きく設定されることが好ましく、略１０％以上に外形が大きく設定されることが好適である。この螺旋部１１２における外形の形状変化の程度は、先端側直線部１１１ｂにおける外形の形状変化よりも大きな割合に設定することが遊技釘１００Ａの打ち込み位置のバラツキを少なくする上で好ましい。なお、螺旋部１１２は、必ずしも設ける必要はなく、先端部１１１に対して抜止部１１３が連続する形状としても良い。
【００３９】
また、螺旋部１１２の突条部１１２ａにおける突出先端側部分の幅Ｌａは、当接部１１４の直径に対しては略５分の１の長さに設定されている。この突条部１１２ａの幅Ｌａは、当接部１１４の直径に対して略１０分の１から略４分の１の範囲内に設定することが好ましい。また、螺旋部１１２において突条部１１２ａが連続する方向は、軸部１０１Ａの側面視（図３（ｂ）における紙面垂直方向視）において、軸部１０１Ａの中心軸線に対して、例えば略４５度傾いた角度（傾斜角度Ｒａ）に設定されるものであり、傾斜角度Ｒａは、軸部１０１Ａの中心軸線に対して略２５度から略６０度の範囲内の角度に設定されることが好ましい。
【００４０】
抜止部１１３は、螺旋部１１２に対して打込方向後端側に設けられ、螺旋部１１２の後に遊技板５０内に進入し、遊技釘１００Ａの抜け方向側への移動を阻止する部位である。抜止部１１３は、軸部１０１Ａの軸方向に沿って２箇所に離間して設けられ、それぞれが軸部１０１Ａの中心軸を中心とする周方向に一定の断面形状を有し、その周方向に沿って環状に連続した形状をしている。
【００４１】
抜止部１１３のそれぞれは、軸部１０１Ａの外周側に略三角形状に突出し、側面視においては打込方向後端側（頭部１０２に近い側）の端部が軸部１０１Ａの中心軸に対して径方向に大きく突出している。抜止部１１３における頭部１０２に近い側の端部の断面形状（軸部１０１Ａの中心軸を通る平面による縦断面の形状）は、突出先端部分が直角より鋭く尖った鋭角に形成されている（図３（ｂ）の斜線部参照）。遊技釘１００Ａが遊技板５０に打ち込まれた後、抜止部１１３は、釘穴５２の内面に突き刺さるようにして引っ掛かり、遊技釘１００Ａの抜け方向への移動が阻止される。
【００４２】
当接部１１４は、図３（ａ）に示すように、軸部１０１Ａにおける頭部１０２に近い側の一定の区間に相当する部位であり、断面形状が円形で同一サイズの外周形状をした略円柱状の部位により構成されている。当接部１１４を一部分とする軸部１０１Ａの一部は、断面形状が一定に形成されており、その外径は、例えば、直径が略１．８５ｍｍとされ、螺旋部１１２及び抜止部１１３における最大外径より細く設定されている。ここで、螺旋部１１２及び抜止部１１３における最大外径とは、軸部１０１Ａの中心軸線から最も離れた突端部分を通過する仮想的な略円筒形状の直径に相当するものであり、各部分の最大部分における外径に相当し、例えば、螺旋部１１２の最大部分が１．９ｍｍ、抜止部１１３が１．９５ｍｍに設定されている。
【００４３】
なお、軸部１０１Ａのうち、当接部１１４と抜止部１１３との間であって、遊技板５０の前面５１に相当する位置（例えば、先端部１１１側の先端から略１３ｍｍの区間）を含む一部分は、当接部１１４よりショットピーニングや絞り加工等による加工硬化によって当接部１１４より硬質に構成することが好ましく、これにより、遊技釘１００Ａの折損に対しての寿命を長く確保し易くすることができる。
【００４４】
上記形状に構成された遊技釘１００Ａによれば、軸部１０１Ａには、所定の外径として当接部１１４より大きく突出した部位を形成する突条部分が螺旋状に連続する螺旋部１１２と、螺旋部１１２より頭部１０２側に離間した複数箇所に設けられた２つの抜止部１１３とが設けられている。このため、遊技釘１００Ａは、複数の抜止部１１３が下穴５３内に進行することにより、螺旋部１１２のみによる保持力より大きな保持力を確保し易くすることができる。
【００４５】
＜遊技釘１００Ｂ＞
次に、図４を参照して、遊技釘１００Ｂについて説明する。図４（ａ）は、遊技釘１００Ｂの側面図であり、図４（ｂ）は、図４（ａ）のＤ−Ｄ線における遊技釘１００Ｂの断面図である。図４（ｃ）は、遊技釘１００Ｂの取り付け態様を説明する図である。なお、図４（ｃ）では、遊技領域２１と発射通路３１との間に配列された複数の遊技釘１００Ａと、その近傍に取り付けられた遊技釘１００Ｂとの各々について、軸部１０１Ａ，１０１Ｂ（より詳細には１０１Ｂａ）における、各軸部の軸方向（長手方向）に対して垂直な断面を示している。
【００４６】
遊技釘１００Ｂは、軸部１０１Ｂの一部形状が軸部１０１Ａと異なる以外は、上述した遊技釘１００Ａと同様に構成される。つまり、軸部１０１Ｂの一端側であって遊技板５０の前面５１側に突出する先端側端部（突端部）には、遊技釘１００Ａと同様の頭部１０２が形成されている。また、軸部１０１Ｂは、遊技釘１００Ａと同様、先端部１１１と螺旋部１１２と抜止部１１３とを、頭部１０２とは反対側となる端部に備えている。遊技釘１００Ｂは、第１軸部１０１Ｂａの形状に応じた取り付け向きが設定されていること以外、図３（ａ）に示した遊技釘１００Ａと同様にして遊技板５０に取り付けられる。
【００４７】
遊技釘１００Ｂは、遊技釘１００Ａと同様に金属製であり、例えば、黄銅によって形成される。遊技釘１００Ｂは、線材に対して転造などの圧造加工を施して形成されているが、必ずしも圧造加工によって形成する必要はなく、これに代えて、又は、これに加えて切削加工等の他の加工を用いて形成しても良い。なお、遊技釘１００Ｂの第１軸部１０１Ｂａは、圧造加工によって先端部１１１、螺旋部１１２、および抜止部１１３などを形成した後に、切削加工等によって形成してもよいし、圧造加工によって先端部１１１、螺旋部１１２、および抜止部１１３などを形成するのに先立って切削加工等によって形成してもよい。
【００４８】
また、軸部１０１Ｂは、頭部１０２に近い側に設定された第１軸部１０１Ｂａと、第１軸部１０１Ｂａと抜止部１１３との間に設定された第２軸部１０１Ｂｂとを備えている。第１軸部１０１Ｂａは、遊技釘１００Ｂを遊技板５０に打ち込んだ場合に、遊技板５０より前面側（すなわち、遊技板５０に挿入されない位置）であるとともに、当接部１１４を含む位置に設定される。つまり、遊技板５０とガラス板１１の間を流下する遊技球は、遊技釘１００Ｂの軸部１０１Ｂａにおける当接部１１４に当接する。
【００４９】
第１軸部１０１Ｂａおよび第２軸部１０１Ｂｂは、軸方向に対して垂直な断面の形状が異なっている。具体的に、第２軸部１０１Ｂｂにおける軸方向に対して垂直な断面が、遊技釘１００Ａの軸部１０１Ａと同様の円形状に形成されているのに対し、第１軸部１０１Ｂａにおける軸方向に対して垂直な断面は、図４（ｂ）に示すように、第２軸部１０１Ｂｂにおける軸方向に対して垂直な断面である円と略同一の円を半円にした円弧である円弧部１０１Ｂａ２と、当該円弧の両端を結ぶ直線部１０１Ｂａ１とからなる半円形状に形成されている。
【００５０】
第１軸部１０１Ｂａを有する遊技釘１００Ｂは、図２に示したように、遊技領域２１と発射通路３１との間を仕切る仕切り部（より詳細には、内レール２９ｂの先に配列された複数の遊技釘１００Ａ）の近傍に取り付けられる。図４（ｃ）に示すように、遊技釘１００Ｂは、第１軸部１０１Ｂａにおける直線部１０１Ｂａ１が、円弧部１０１Ｂａ２に対して遊技盤２０（遊技板５０）の上側を向き、かつ、遊技領域２１と発射通路３１との間の仕切り部から離れるにつれて下降する傾斜となる向き（この例では、遊技盤２０における右下方向に延びるような向き）取り付けられる。
【００５１】
ここで、パチンコ機１０において、上記形状に構成された遊技釘１００Ｂに係る作用および効果を説明する。
【００５２】
遊技球が当接する部分の断面形状が円形である軸部を有する遊技釘（例えば、遊技釘１００Ａ）が、遊技領域２１と発射通路３１との間を仕切る仕切り部の近傍に取り付けられた場合、断面形状が円形である軸部の形状ゆえに、当該軸部の外周において遊技球と接触する上側の突端となる部分が、遊技機正面視における軸部の軸中心のほぼ真上となって、それにより、軸部と仕切り部との離間距離が遊技機正面視における下側に向けて次第に短くなって軸部と仕切り部との間の空間がポケットのようになって遊技球が嵌まり込んでしまうことがあった。
【００５３】
これに対し、本実施形態のパチンコ機１０によれば、当接部１１４を含む第１軸部１０１Ｂａの断面形状が半円である遊技釘１００Ｂを用い、かかる遊技釘１００Ｂを図４（ｃ）に示すように取り付けたことで、第１軸部１０１Ｂａの外周において遊技球と接触する上側の突端となる部分（より詳細には、第１軸部１０１Ｂａの断面の直線部１０１Ｂａ１における仕切り部に近い側の端部）が、遊技機正面視における軸部１０１Ｂの軸中心（第２軸部１０１Ｂｂの軸中心）のほぼ真上より仕切り部の側に位置する。これにより、遊技領域２１と発射通路３１との間の仕切り部（本実施形態では、配列された複数の遊技釘１００Ａ）における遊技領域２１側と、当接部１１４を含む第１軸部１０１Ｂａとの間に、上述のように遊技球が嵌まり込む形状の空間が形成され難い。これにより、遊技領域２１を流下する遊技球が、遊技領域２１と発射通路３１との間の仕切り部と遊技釘との間に嵌まり込み止まってしまうことを抑制できる。
【００５４】
また、図４（ｃ）に示すように、隣接して並ぶ遊技釘１００Ｂは、各第１軸部１０１Ｂａの直線部１０１Ｂａ１が、遊技領域２１と発射通路３１との間の仕切り部から離れるにつれて下降する傾斜面を形成するかのように取り付けられている。これにより、隣接する遊技釘１００Ｂの各第１軸部１０１Ｂａにおける直線部１０１Ｂａ１を含む面が、遊技領域２１と発射通路３１との間の仕切り部の近傍を流下する遊技球を当該仕切り部から離れる方向への移動を促進する経路として機能させることができる。よって、かかる点においても、遊技領域２１と発射通路３１との間の仕切り部と遊技釘との間に遊技球が嵌まり込む事象を好適に抑制できる。
【００５５】
また、遊技釘１００Ｂが図４（ｃ）に示すように並ぶ構成において、遊技球は直線部１０１Ｂａ１を含む面に接触して跳ね上がりながら仕切り部から離れる方向へと誘導される。このとき、遊技球の跳ね上がり方向は、主に、直線部１０１Ｂａ１を含む面の向きに従うので、直線部１０１Ｂａ１を含む面の向きに応じて跳ね上がり方向を制御することが可能となる。
【００５６】
なお、遊技球を始動入賞口２５に誘導する複数の遊技釘（所謂、誘導釘）など、遊技球を所定方向に誘導するために連ねて配置された遊技釘の代替として、遊技釘１００Ｂを用いてもよい。つまり、複数の遊技釘１００Ｂを、第１軸部１０１Ｂａの直線部１０１Ｂａ１が、所定方向（例えば、始動入賞口２５に向かう方向）に下降傾斜面を形成するかのように並べて取り付けてもよい。この場合も、直線部１０１Ｂａ１を含む面の向きを制御することで、複数の遊技釘１００Ｂの配列によって所定方向に誘導される遊技球の跳ね上がり方向を制御することができる。よって、例えば、センター装飾部材２２の下部に、始動入賞口２５への入球が容易である箇所、または、始動入賞口２５への入球が困難である箇所のいずれかに遊技球を振り分ける振分部を設けた場合に、当該振分部に遊技球を飛び込ませることができるように直線部１０１Ｂａ１を含む面の向きを制御することで、複数の遊技釘１００Ｂの配列によって所定方向に誘導される遊技球の一部を当該振分部に飛び込ませることができ、それにより遊技の興趣を向上させることができる。
【００５７】
＜遊技釘１００Ｃ＞
次に、図５を参照して、遊技釘１００Ｃについて説明する。図５（ａ）は、遊技釘１００Ｃの側面図であり、図５（ｂ）は、図５（ａ）のＥ−Ｅ線における遊技釘１００Ｃの断面図である。
【００５８】
遊技釘１００Ｃは、軸部１０１Ｃの一部形状が軸部１０１Ａと異なる以外は、上述した遊技釘１００Ａと同様に構成される。つまり、軸部１０１Ｃの一端側であって遊技板５０の前面５１側に突出する先端側端部（突端部）には、遊技釘１００Ａと同様の頭部１０２が形成されている。また、軸部１０１Ｃは、遊技釘１００Ａと同様、先端部１１１と螺旋部１１２と抜止部１１３とを、頭部１０２とは反対側となる端部に備えている。遊技釘１００Ｃは、第１軸部１０１Ｃａの形状に応じた取り付け向きが設定されていること以外、図３（ａ）に示した遊技釘１００Ａと同様にして遊技板５０に取り付けられる。
【００５９】
遊技釘１００Ｃは、遊技釘１００Ａと同様に金属製であり、例えば、黄銅によって形成される。遊技釘１００Ｃは、線材に対して転造などの圧造加工を施して形成されているが、必ずしも圧造加工によって形成する必要はなく、これに代えて、又は、これに加えて切削加工等の他の加工を用いて形成しても良い。なお、遊技釘１００Ｃの第１軸部１０１Ｃａは、圧造加工によって先端部１１１、螺旋部１１２、および抜止部１１３などを形成した後に、切削加工等によって形成してもよいし、圧造加工によって先端部１１１、螺旋部１１２、および抜止部１１３などを形成するのに先立って切削加工等によって形成してもよい。
【００６０】
また、軸部１０１Ｃは、頭部１０２に近い側に設定された第１軸部１０１Ｃａと、第１軸部１０１Ｃａと抜止部１１３との間に設定された第２軸部１０１Ｃｂとを備えている。第１軸部１０１Ｃａは、遊技釘１００Ｃを遊技板５０に打ち込んだ場合に、遊技板５０より前面側（すなわち、遊技板５０に挿入されない位置）であるとともに、当接部１１４を含む位置に設定される。つまり、遊技板５０とガラス板１１の間を流下する遊技球は、遊技釘１００Ｃの軸部１０１Ｃａにおける当接部１１４に当接する。
【００６１】
第１軸部１０１Ｃａおよび第２軸部１０１Ｃｂは、軸方向に対して垂直な断面の形状が異なっている。具体的に、第２軸部１０１Ｃｂにおける軸方向に対して垂直な断面が、遊技釘１００Ａの軸部１０１Ａと同様の円形状に形成されているのに対し、第１軸部１０１Ｃａにおける軸方向に対して垂直な断面は、図５（ｂ）に示すように、第２軸部１０１Ｃｂにおける軸方向に対して垂直な断面である円と略同一の円における半円より小さな部分の円弧と、当該円弧の両端１０１Ｃａ２，１０１Ｃａ３からそれぞれ延び、第２軸部１０１Ｃｂにおける軸方向に対して垂直な断面である円上での交点（頂点１０１Ｃａ１）で交わる各直線とで囲まれる形状にされている。
【００６２】
第１軸部１０１Ｃａを有する遊技釘１００Ｃは、図２に示したように、遊技領域２１における発射通路３１の出口近傍に取り付けられる。このとき、遊技釘１００Ｃは、第１軸部１０１Ｃａにおける頂点１０１Ｃａ１が、遊技盤２０（遊技板５０）の上側を向くような向きに取り付けられる。
【００６３】
ここで、パチンコ機１０において、上記形状に構成された遊技釘１００Ｃに係る作用および効果を説明する。
【００６４】
パチンコ機１０に対しては、糸を取り付けた遊技球を遊技領域内に発射させることによって不正行為が行われる可能性がある。
【００６５】
これに対し、本実施形態のパチンコ機１０によれば、発射通路３１の出口近傍に取り付けた遊技釘１００Ｃが、第１軸部１０１Ｃａにおける頂点１０１Ｃａ１が上側を向くような向きで取り付けられているので、糸を取り付けた遊技球が発射された場合、当該遊技球は、糸が遊技釘１００Ｃの頂点１０１Ｃａ１を跨いで、頂点１０１Ｃａ１を支点とした状態でぶら下がり易い。
【００６６】
このような状態で糸を引っ張ったり緩めたりした場合には、糸は頂点１０１Ｃａ１の角部によって摩擦されるので、遊技球に取り付けられた糸を角部との摩擦によって切れ易くすることができる。特に、図５（ｂ）に示すように、第１軸部１０１Ｃａにおける軸方向に対して垂直な断面は、頂点１０１Ｃａ１の角度が鋭角とされているので、遊技球に取り付けられた糸を切る効果が好適に向上する。
【００６７】
また、遊技釘１００Ｃは、第１軸部１０１Ｃａの断面形状が単純な円形状でないので、遊技球は、その接触位置（衝突位置）に応じて特徴的に跳ね返ることになる。よって、遊技釘１００Ｃにより跳ね返る遊技球の挙動に対する興趣を向上させることができる。特に、本実施形態では、当接部１１４を含む第１軸部１０１Ｃａの断面形状が頂点１０１Ｃａ１にて折れ曲がった角部を有する形状に構成された遊技釘１００Ｃが、当該角部が遊技盤２０の上側を向くような向きで、発射通路３１の出口近傍に取り付けられているので、発射通路３１から遊技領域２１に進入した遊技球について、遊技釘１００Ｃによる跳ね返り挙動を複雑化することができる。よって、発射通路３１から遊技領域２１に進入した遊技球の挙動を遊技者に楽しませることが可能となる。
【００６８】
＜釘ユニット２００＞
次に、図６を参照して、遊技釘１００Ｄを含む釘ユニット２００について説明する。図６（ａ）は、連結部２０１の長手方向を見る向きから見た釘ユニット２００の側面図である。図６（ｂ）は、図６（ａ）における矢印Ｇ方向に見た遊技釘１００Ｄの側面図であり、図６（ｃ）は、図６（ａ）のＦ−Ｆ線における遊技釘１００Ｄの断面図である。図６（ｄ）は、図６（ａ）における矢印Ｈ方向に見た連結部２０１の側面図である。なお、図６（ａ）には、釘ユニット２００を遊技板５０に取り付けた場合における当該遊技板５０の前面５１を二点鎖線で示している。
【００６９】
図６（ａ）に示すように、釘ユニット２００は、２本の遊技釘１００Ｄを連結部２０１により連結したユニットとして構成される。連結部２０１には、２本の遊技釘１００Ｄの間となる位置に、遊技釘１００Ｄの軸方向に沿って細長く延びる棒状の突出部２０１ａが形成されている。なお、１の釘ユニット２００に含まれる突出部２０１ａの数は、図６（ａ）に示した５つであることに限らず、釘ユニット２００を構成する両端の遊技釘１００Ｄ間の距離に応じた１以上の適宜の数とされる。
【００７０】
突出部２０１ａを有する釘ユニット２００は、連ねて配置される（配列された）複数の遊技釘、例えば、図２に示すように、遊技球を始動入賞口２５に誘導する複数の遊技釘（所謂、誘導釘）に代えて取り付けることができる。つまり、突出部２０１ａは、連ねて配置される遊技釘の一部を代替する部材として利用できる。よって、両端となる２本の遊技釘１００Ｄの間に適宜の数の突出部２０１ａを設けることで、誘導釘など、連ねて配置される遊技釘の代替となり得る種々のサイズの釘ユニット２００を準備することができる。
【００７１】
また、釘ユニット２００が必ずしも突出部２０１ａを含む必要はなく、連結部２０１に突出部２０１ａが形成されていないものであってもよい。例えば、本実施形態では、図２に示すように、上側の始動入賞口２５の上方に当該入賞口２５の入口として機能する一対の遊技釘（所謂、命釘）を釘ユニット２００の形態で取り付けており、かかる一対の遊技釘に対応する釘ユニット２００の連結部２０１には突出部２０１ａが形成されていない。
【００７２】
釘ユニット２００を構成する遊技釘１００Ｄは、軸部１０１Ｄに溝部１５５が形成されていること以外は、上述した遊技釘１００Ａと同様に構成される。つまり、軸部１０１Ｄの一端側であって遊技板５０の前面５１側に突出する先端側端部（突端部）には、遊技釘１００Ａと同様の頭部１０２が形成されている。また、軸部１０１Ｄは、遊技釘１００Ａと同様、先端部１１１と螺旋部１１２と抜止部１１３とを、頭部１０２とは反対側となる端部に備えている。遊技釘１００Ｄは、連結部２０１の長手方向と、溝部１１５．１１６が延びる方向とを一致させるように取り付け向きが設定されていること以外、図３（ａ）に示した遊技釘１００Ａと同様にして遊技板５０に取り付けられる。
【００７３】
遊技釘１００Ｄは、遊技釘１００Ａと同様に金属製であり、例えば、黄銅によって形成される。遊技釘１００Ｄは、線材に対して転造などの圧造加工を施して形成されているが、必ずしも圧造加工によって形成する必要はなく、これに代えて、又は、これに加えて切削加工等の他の加工を用いて形成しても良い。なお、遊技釘１００Ｄの軸部１０１Ｄにおける溝部１１５，１１６は、圧造加工によって先端部１１１、螺旋部１１２、および抜止部１１３などを形成した後に、切削加工等によって形成してもよいし、圧造加工によって先端部１１１、螺旋部１１２、および抜止部１１３などを形成するのに先立って切削加工等によって形成してもよい。
【００７４】
また、軸部１０１Ｄには、当接部１１４より先端部１１１側であり、かつ、遊技釘１００Ｄが遊技板５０に打ち込まれた場合に前面５１より前方側の位置に溝部１１５，１１６が形成されている。溝部１１５は、図６（ａ）および図６（ｂ）に示すように、連結部２０１が延びる方向（図６（ａ）における左右方向であり、図６（ａ）における紙面垂直方向）に軸部１０１Ｄを切り欠いて形成された溝である。一方、溝部１１６は、軸部１０１の軸方向に対して溝部１１５の裏側となる位置に、連結部２０１が延びる方向（長手方向）に軸部１０１Ｄを切り欠いて形成された、溝部１１５と対をなす溝である。
【００７５】
遊技釘１００Ｄの軸部１０１Ｄにおいて、一対の溝部１１５，１１６が形成された部分は、図６（ｃ）に示すように、溝部１１５，１１６が形成されていない部分に比べて、軸方向に垂直な断面が溝部１１５，１１６の深さの分だけ薄くなっているので、折曲や折損などの破損を生じ易い。特に、略同方向に延びる一対の溝部１１５，１１６が形成されたことで、軸部１０１Ｄは、特定方向の負荷に対して方向性をもって、すなわち、軸部１０１Ｄに対して垂直であり、溝部１１５，１１６に対して垂直な方向の負荷に対して、その負荷の方向に破損し易い。
【００７６】
また、本実施形態では、溝部１１５，１１６の形成位置が、釘ユニット２００を遊技板５０に取り付けた場合に、遊技板５０の前面５１より前方であって、頭部１０２より前面５１に近い位置となるよう設定されている。このように、釘ユニット２００を遊技板５０に取り付けた場合における溝部１１５，１１６位置を、頭部１０２より前面５１に近い位置とすることで、頭部１０２に不正に力を加えて遊技釘を曲げようとした場合に、力を加えられる位置（つまり力点）に対し、溝部１１５，１１６が、支点となる遊技板５０の前面５１に比較的近い位置となるため、溝部１１５，１１６に負荷がかかり易く、軸部１０１Ｄを溝部１１５，１１６において破損させ易い。
【００７７】
特に、釘ユニット２００を遊技板５０に取り付けた場合における溝部１１５，１１６の位置を、遊技板５０の前面５１から前方側に所定長さ（例えば、５ミリ程度）の位置とすることで、軸部１０１Ｄが溝部１１５，１１６おいて折損した場合であっても、遊技釘１００Ｄは遊技板５０の前面５１から所定長さだけ出た状態で残されるので、遊技釘１００Ｄを遊技板５０から取り外す作業を行い易い。
【００７８】
釘ユニット２００を構成する連結部２０１は、金属製であり、例えば、黄銅によって形成される。連結部２０１は、切削加工や成型加工などによって、所望の形状に形成される。連結部２０１には、図６（ｄ）に示すように、その長手方向の両端に、遊技釘１００Ｄを嵌め込み固定するための凹部２０１ｂが形成されている。よって、釘ユニット２００は、２本の遊技釘１００Ｄをそれぞれ連結部２０１の凹部２０１ｂに嵌め込み固定することで作成される。
【００７９】
凹部２０１ｂは、遊技釘１００Ｄを導入する入口となる開口部２０１ｂ１と、開口部２０１ｂ１に連設される嵌め込み部２０１ｂ２とから構成される。開口部２０１ｂ１は、遊技釘１００Ｄを導入可能な広さに構成され、その広さは嵌め込み部２０１ｂ２に近づくにつれて狭くなっている。
【００８０】
一方、嵌め込み部２０１ｂ２は、遊技釘１００Ｄの、当該嵌め込み部２０１ｂ２に嵌め込まれる部分（本実施形態では、軸部１０１Ｄにおける頭部１０２に近い側の端部）の外径と同程度の内径を有し、開口部２０１ｂ１から進入した遊技釘１００Ｄを受け入れ可能な程度に開口された半円以上の円弧として形成される。よって、嵌め込み部２０１ｂ２に嵌め込まれた遊技釘１００Ｄは、当該嵌め込み部２０１ｂ２に外れ難い状態で固定される。
【００８１】
上述したように、連結部２０１には、２本の遊技釘１００Ｄの間となる位置に、すなわち、両側に形成された凹部２０１ｂの間に、１以上の突出部２０１ａが必要に応じて形成される。突出部２０１ａは、その断面が、軸部１０１Ｄの断面と同程度の直径の円形で、略同一サイズの外周形状をした略円柱状の棒状体として構成される。
【００８２】
突出部２０１ａの長さは、図６（ａ）に示すように、釘ユニット２００を遊技板５０に取り付けた場合に、突出部２０１ａの先端が、遊技板５０の前面５１に接しない程度（例えば、前面５１から前方側に数ミリ程度浮く程度）の長さに設定されている。つまり、両端の遊技釘１００Ｄによって釘ユニット２００が遊技板５０に取り付けられた場合、突出部２０１ａと前面５１との間には若干の隙間が形成される。
【００８３】
ここで、パチンコ機１０において、上記構成の釘ユニット２００に係る作用および効果を説明する。
【００８４】
パチンコ機１０においては、遊技板５０に取り付けられている多数の遊技釘の一部が、釘ユニット２００の形態で取り付けられているので、釘ユニット２００を構成する２本の遊技釘１００Ｄにおける曲げ方向の自由度が、それらの遊技釘１００Ｄを連結する連結部２０１の存在によって規制される。よって、釘ユニット２００については、遊技釘１００Ｄを不正に曲げることが難しくなるため、不正行為を抑制できる。
【００８５】
また、始動入賞口２５の上方に設ける一対の遊技釘を釘ユニット２００の形態で取り付けることで、一対の遊技釘の間隔が連結部２０１によって固定されるので、始動入賞口２５への入球（進入）が容易となるよう一対の遊技釘の間隔を広げることが困難となる。よって、一対の遊技釘の間隔を広げる不正行為を抑制できる。同様に、一対の遊技釘の間隔を狭める（閉める）ことも困難となる。
【００８６】
釘ユニット２００には、遊技板５０に取り付けた場合に、その先端が前面５１から若干離れた（浮いた）状態となる突出部２０１ａが、両端となる２本の遊技釘１００Ｄの間に形成されている。よって、突出部２０１ａは、釘ユニット２００を遊技板５０に取り付けた状態において撓ませることが可能である。
【００８７】
そのため、突出部２０１ａが形成された釘ユニット２００を、例えば、図２に示したように、遊技球を始動入賞口２５に誘導する複数の遊技釘（所謂、誘導釘）に代えて用いた場合、連結部２０１に沿って誘導される遊技球が接触（衝突）したことで突出部２０１ａに撓みが生じる。かかる突出部２０１ａの撓みによって、釘ユニット２００上を連結部２０１に沿って誘導される遊技球を弾み易くすることができる。
【００８８】
よって、例えば、センター装飾部材２２の下部に、始動入賞口２５への入球が容易である箇所、または、始動入賞口２５への入球が困難である箇所のいずれかに遊技球を振り分ける振分部を設けた場合に、釘ユニット２００により始動入賞口２５へと誘導される遊技球の一部を当該振分部に飛び込ませることができ、それにより遊技の興趣を向上させることができる。
【００８９】
また、釘ユニット２００では、溝部１１５が延びる方向と連結部２０１の長手方向とが一致するように、遊技釘１００Ｄが取り付けられているので、溝部１１５，１１６が破損した場合には、釘ユニット２００の見た目が大きく変わることになる。よって、遊技釘１００Ｄなどに負荷をかけることで曲げる不正行為を、見た目の変化によって早期に発見でできる。また、このように不正行為が発見され易くなったことで、当該不正の実施が抑制される。
【００９０】
＜第２実施形態＞
次に、図７を主に参照して、第２実施形態について説明する。上述した第１実施形態に係るパチンコ機１０では、始動入賞口２５やスルーゲート２８などの入球口の上方に、当該入球口の入口として機能する複数本の遊技釘が遊技板５０に打ち込まれている。例えば、始動入賞口２５の上方には、始動入賞口２５の入口として機能する２本の遊技釘１００Ｄ（釘ユニット２００の一部）が打ち込まれている。
【００９１】
これに対し、第２実施形態に係るパチンコ機１０では、入球口の入口として機能する複数本の遊技釘の一部が、遊技板５０に打ち込まれることなく、入球口が形成された入球装置に一体化されている。なお、以下の説明において、第１実施形態における構成と同一の構成については同一の符号を付して説明を省略し、第１実施形態と異なる部分を説明する。
【００９２】
図７（ａ）は、第１の取り付け態様で取り付けられた、入球装置の１つである一般入賞装置３３４の正面図であり、図７（ｂ）は、第２の取り付け態様で取り付けられた一般入賞装置３３４の正面図である。
【００９３】
なお、図７（ａ）および図７（ｂ）には、一般入賞装置３３４に設けられているピン４０１と共に、一般入賞装置３３４における入球口である一般入賞口３２４の入口として機能する、一般入賞装置３３４の近傍に設けられた３本の遊技釘Ｑ１〜Ｑ３を合わせて図示している。遊技釘Ｑ１〜Ｑ３は、例えば、上述した遊技釘１００Ａである。なお、遊技釘Ｑ１〜Ｑ３は、遊技釘１００Ａに限らず、遊技釘１００Ｂ〜１００Ｄのいずれであってもよい。また、遊技釘Ｑ１〜Ｑ３が全て同じ形状の遊技釘でなくてもよい。
【００９４】
一般入賞口３２４は、第１実施形態の一般入賞口２４と同様に機能する入賞口であり、遊技球が入球（通過）したことで、その特典として賞球が払い出される。一般入賞装置３３４は、一般入賞口３２４が形成された入賞装置である。一般入賞装置３３４は、上側に一般入賞口２４が形成された本体３２４ａと、本体３２４ａの背面側に連設される台板３３４ｂとを備えている。本体３２４ａの内部には、一般入賞口３２４に連設されて一般入賞口３２４に入球した（一般入賞口３２４を通過した）遊技球を遊技板５０の背面側に形成される排出経路に送り出すための通路が形成されている。台板３３４ｂにおける一般入賞口３２４の入口側は、遊技球が一般入賞口３２４にスムーズに進入できるよう、台板３３４ｂの外縁側から一般入賞口３２４に向けてスロープ状に形成されている。
【００９５】
台板３３４ｂには、一般入賞装置３３４を遊技板５０に取り付けるためのビス３０１，３０２を挿通させるための挿通口が２箇所に形成されている。より詳細には、一般入賞口３２４を遊技機正面視におけるほぼ真上に向けた状態（すなわち、図７（ａ）に示す状態）において、当該一般入賞口３２４の中心を通る上下方向の軸の左側の上部には、ビス３０１を挿通するための第１の挿通口が形成されている。一方、同状態において、当該一般入賞口３２４の中心を通る上下方向の軸の右側の下部には、ビス３０２を挿通するための第２の挿通口が形成されている。
【００９６】
遊技板５０には、台板３３４ｂの第１の挿通口に通されたビス３０１を固定するための止め穴５４が形成されている。一方、遊技板５０には、台板３３４ｂの第２の挿通口に通されたビス３０２を固定するための止め穴として、２箇所の止め穴５５，５６が準備されている。
【００９７】
よって、第２の挿通口に通されたビス３０２の固定先が止め穴５５であるか、止め穴５６であるかに応じて、一般入賞装置３３４の取り付け向きを変化させることができる。つまり、第２の挿通口に通されたビス３０２を止め穴５５にて固定した場合、一般入賞装置３３４は、図７（ａ）に示すように、一般入賞口３２４が遊技機正面視におけるほぼ真上を向くように取り付けられる。
【００９８】
その一方で、第２の挿通口に通されたビス３０２を止め穴５６にて固定した場合、一般入賞装置３３４は、図７（ａ）に示す状態から止め穴５４を中心として時計回りに回転された状態で取り付けられる。よって、止め穴５６を用いて取り付けられた一般入賞装置３３４は、図７（ｂ）に示すように、一般入賞口３２４が遊技機正面視における右上を向くように取り付けられる。
【００９９】
製造時には、止め穴５５または止め穴５６のうち一方の止め穴に第２の挿通口に通したビス３０２をねじ止めすることで、一般入賞装置３３４を遊技板５０に取り付ける。このとき、使用しなかった他方の止め穴は樹脂を流し込むことで埋める。このように、第２の挿通口に通されたビス３０１の固定先として止め穴５５または止め穴５６を選ぶことで、一般入賞口３２４の開口向きが異なる遊技機を製造することができる。
【０１００】
なお、止め穴５５または止め穴５６のうち、一般入賞装置３３４の取り付けに利用しなかった止め穴は、仮止め部材を用いて仮止めさせる構成であってもよいし、そのまま開放させた状態としてもよい。
【０１０１】
台板３３４ｂにおける一般入賞口３２４の右上となる位置には、ピン４０１が立設されている。ピン４０１は、上述した遊技釘１００Ａにおける抜止部１１３より頭部１０２側の部分と同様の形状に構成される。つまり、ピン４０１は、断面形状が円形の一定形状に細長く形成された軸部と、当該軸部の一端側にて軸部より太く形成された頭部とを有する。ピン４０１は、軸部における頭部とは反対側となる端部が台板３３４ｂに固定されている。
【０１０２】
上述のように、止め穴５５または止め穴５６のいずれを使うかに応じて、一般入賞装置３３４の取り付け向きを変化させることができる。これにより、遊技釘Ｑ１〜Ｑ３に対するピン４０１の相対位置が変化する。例えば、止め穴５６を用いて一般入賞装置３３４を取り付けた場合（図７（ｂ））には、止め穴５５を用いた場合（図７（ａ））に比べて、遊技釘Ｑ１とピン４０１との距離が広くなる。遊技釘Ｑ１とピン４０１との距離が広くなったことで、その分、遊技球は一般入賞口３２４に入球し易くなる。
【０１０３】
止め穴５５を用いて一般入賞装置３３４を取り付けた場合には、遊技釘Ｑ２，Ｑ３の配置によって、左上側から流下する遊技球を遊技釘Ｑ１と遊技釘Ｑ２との間から一般入賞口３２４に案内する経路しか存在しなかった。これに対し、止め穴５６を用いて一般入賞装置３３４を取り付けた場合には、止め穴５５を用いた場合に比べて、遊技釘Ｑ３とピン４０１との距離が広くなり、それにより、遊技釘Ｑ１と遊技釘Ｑ２との間だけでなく、遊技釘Ｑ３とピン４０１との間も、右上側から流下する遊技球を一般入賞口３２４に案内する経路となり得る。よって、一般入賞口３２４への入口となる箇所が２箇所に増えるので、その点においても、遊技球は一般入賞口３２４に入球し易くなる。
【０１０４】
ここで、上述した第２実施形態の一般入賞装置３３４が取り付けられたパチンコ機に係る作用及び効果を説明する。
【０１０５】
上述したように、一般入賞装置３３４は、第２の挿通口に通されたビス３０２の固定先として、止め穴５５を用いるか止め穴５６を用いるかに応じて、一般入賞口３２４への入球し易さを変化させることができる。また、図７（ａ）および図７（ｂ）に示すように、一般入賞装置３３４の取り付け向きが変化したことで、一般入賞口３２４に入賞させるために遊技球を打ち込む方向にも変化をもたらすことが可能となる。このように、第２実施形態によれば、止め穴５５，５６のうち第２の挿通口に通されたビス３０２の固定先にする止め穴を製造時に選択することで、一般入賞装置３３４の取り付け態様が異なるパチンコ機１０を製造することができる。よって、２種類の異なる遊技性とした２種類の異なる遊技機を簡易的に製造することができる。
【０１０６】
また、ピン４０１は、細長く形成された軸部の一端が台板３３４ｂに固定されているので、その取り付け強度は比較的弱い。よって、ピン４０１は、ピン４０１を曲げるために不正な負荷がかけられた場合に台板３３４ｂから脱落し易い。ピン４０１は、台板３３４ｂに固定されることで一般入賞装置３３４に一体化された部材であるので、ピン４０１が脱落した場合には、一般入賞装置３３４の見た目に変化が生じる。一般入賞装置３３４のように、遊技球が通過したことで賞球などの特典を付与する入球口（例えば、一般入賞口３２４）を有する装置は、目立ち易いために見た目の変化に対して敏感となる。よって、一般入賞口３２４への遊技球の入球（進入）を有利にするべくピン４０１に対して行われた不正行為を、一般入賞装置３３４の見た目の変化によって早期に発見できる。また、一般入賞口３２４への遊技球の入球を有利にするための不正行為が発見され易くなったことで、当該不正の実施が抑制される。
【０１０７】
なお、ピン４０１に対する不正が行い難くなった場合であっても、遊技釘Ｑ１など、ピン４０１と共に一般入賞口３２４の入口として機能する他の遊技釘を曲げることで一般入賞口３２４への遊技球の入球を有利にすることは可能であるが、ピン４０１を曲げることが難しいために、遊技釘Ｑ１など、他の遊技釘を大きく曲げる必要が生じる。しかしながら、遊技釘が大きく曲げられたことで、遊技釘が曲げられたことを発見し易くなり、その点においても、一般入賞口３２４への遊技球の入球を有利にするための不正行為を発見し易い。
【０１０８】
＜第３実施形態＞
次に、図８を主に参照して、第３実施形態について説明する。上述した第１実施形態に係るパチンコ機１０では、始動入賞口２５の入口として機能する一対の遊技釘（遊技釘１００Ｄ）を釘ユニット２００の形態で取り付け、それにより、当該入口として機能する遊技釘１００Ｄに対する不正な曲げを抑制する構成とした。
【０１０９】
これに対し、第３実施形態に係るパチンコ機１０では、始動入賞口の入口として機能する一対の遊技釘に対し、各遊技釘における前方端部の周囲を釘カバーで囲う（覆う）ことで、これら一対の遊技釘に対する不正な曲げを抑制する。第１，第２実施形態における構成と同一の構成については同一の符号を付して説明を省略し、上記各実施形態と異なる部分を説明する。
【０１１０】
図８（ａ）は、始動入賞装置５３５の正面図であり、図８（ｂ）は、図８（ａ）のＪ−Ｊ線における始動入賞装置５３５の断面図である。なお、図８には、始動入賞装置５３５の上方に設けられ、始動入賞口５２５の入口として機能する一対の遊技釘Ｑ４，Ｑ５を合わせて図示している。
【０１１１】
図８に示す例において、一対の遊技釘Ｑ４，Ｑ５は、上述した遊技釘１００Ａである。なお、遊技釘Ｑ４，Ｑ５は、遊技釘１００Ａに限らず、遊技釘１００Ｂ〜１００Ｄのいずれであってもよい。また、遊技釘Ｑ４，Ｑ５の両方が同じ形状の遊技釘でなくてもよい。
【０１１２】
始動入賞装置５３５は、始動入賞口５２５が形成された樹脂製の入賞装置である。なお、始動入賞装置５３５は、少なくとも収容部５３５ｂ１の前面側が、遊技釘Ｑ４，Ｑ５が視認可能となるよう透明に構成される。収容部５３５ｂ１の前面側は、半透明であってもよい。始動入賞装置５３５は、始動入賞装置５３５の本体をなす本体部５３５ａと、遊技機正面視における本体部５３５ａの上方に連設された釘カバー部５３５ｂとを備えている。
【０１１３】
本体部５３５ａは、遊技機正面視における上面と背面（遊技板５０を向く面）が開放された箱状に構成される。本体部５３５ａの外周壁には、始動入賞装置５３５を遊技板５０に取り付けるための取付部５３５ａ２が設けられている。図８に示す例では、取付部５３５ａ２は、遊技機正面視における本体部５３５ａの左右両側の外周壁５３５ａ３と、底側の外周壁５３５ａ４との３箇所にそれぞれ設けられている。
【０１１４】
取付部５３５ａ２は、ビス５０１を挿通可能な挿通口を有する。始動入賞装置５３５は、本体部５３５ａが取付部５３５ａ２の挿通口に挿通されたビス５０１によって遊技板５０に固定されることで、遊技板５０に取り付けられる。
【０１１５】
本体部５３５ａにおける遊技機正面視における前側の外周壁５３５ａ５と、底側の外周壁５３５ａ４と、左右の外周壁５３５ａ３とにより囲まれる空間（以下、「本体部５３５ａの内部空間」と称す）の一部が、本体部５３５ａの上方の開口から始動入賞装置５３５に進入した遊技球を、遊技板５０の背面（前面５１の裏側となる面）側に形成される排出経路（図示せず）に案内する球通路として機能する。
【０１１６】
より詳細には、左右の外周壁５３５ａ３の各内壁には、外周壁５３５ａ３の上端から下方向に延びるリブ５３５ａ６と、リブ５３５ａ６の下端に連設されて外周壁５３５ａ３の遊技板５０側の端まで延びるリブ５３５ａ７とが立設されている。始動入賞装置５３５内に進入した遊技球は、左右両側に形成された各リブ５３５ａ６と、外周壁５３５ａ５の内壁と、遊技板５０の前面５１との間に形成される空間によって、本体部５３５ａの内部空間の底面まで下方に案内された後、当該内部空間の底面と左右両側に形成された各リブ５３５ａ７とによって排出経路に通じる遊技板５０の貫通孔まで案内される。
【０１１７】
つまり、始動入賞装置５３５の球通路は、本体部５３５ａの内部空間内において、一対の遊技釘Ｑ４，Ｑ５の間を通過した遊技球が、上述のように排出経路に通じる遊技板５０の貫通孔まで案内される経路である。なお、左右両側に形成された各リブ５３５ａ６，５３５ａ７は、球通路の外縁を形成する機能を果たすとともに、球通路を通過する遊技球を整流する機能を果たす。
【０１１８】
球通路における上端、すなわち、遊技球が一対の遊技釘Ｑ４，Ｑ５の間を通過した後、必ず排出経路に案内されるようになる境界位置での開口が、始動入賞口５２５となる。始動入賞口５２５は、第１実施形態の始動入賞口２５と同様に機能する入球口である。つまり、始動入賞口５２５は、遊技球が入球（通過）したことで、その特典として、大当たり等の抽選が行われるとともに賞球の払い出しが行われる入球口である。
【０１１９】
釘カバー部５３５ｂは、始動入賞装置５３５の上方に設けられた一対の遊技釘Ｑ４，Ｑ５の各頭部１０２の周囲を囲う（覆う）釘カバーとして機能する部分である。以下では、便宜的に、遊技釘Ｑ４の頭部１０２の周囲を囲う釘カバー部５３５ｂを、釘カバー部５３５ｂＡと称し、遊技釘Ｑ５の頭部１０２の周囲を囲う釘カバー部５３５ｂを、釘カバー部５３５ｂＢと称することがある。
【０１２０】
遊技釘Ｑ４の頭部１０２の周囲を囲う釘カバー部５３５ｂＡは、本体部５３５ａの前面側の外周壁５３５ａ３における左端側の上端に連設される。一方、遊技釘Ｑ５の頭部１０２の周囲を囲う釘カバー部５３５ｂＢは、本体部５３５ａの前面側の外周壁５３５ａ３における右端側の上端に連設される。なお、釘カバー部５３５ｂ（５３５ｂＡ，５３５ｂＢ）の前面側は、例えば、図８（ｂ）に示すように、本体部５３５ａの前面側の外周壁５３５ａ３の前面と面一の平面とされている。
【０１２１】
釘カバー部５３５ｂＡ，５３５ｂＢの各裏面（取り付け状態において遊技板５０に対向する面）には、それぞれ、遊技釘Ｑ４または遊技釘Ｑ５の頭部１０２の最大外径よりやや大きい円形に開口され、当該頭部１０２を前方から収容可能な深さに凹んだ収容部５３５ｂ１が形成されている。よって、始動入賞装置５３５がビス５０１により遊技板５０に取り付けられた（すなわち、固定された）状態において、釘カバー部５３５ｂＡ，５３５ｂＢは、それぞれ、各収容部５３５ｂ１が遊技釘Ｑ４または遊技釘Ｑ５の頭部１０２の周囲（より詳細には、頭部１０２の前面側、および、頭部１０２における軸部１０１Ａの中心軸線に交差する方向側）を囲う。
【０１２２】
釘カバー部５３５ｂ（５３５ｂＡ，５３５ｂＢ）は、遊技板５０に固定された始動入賞装置５３５と一体化されているので、釘カバー部５３５ｂによって、遊技釘Ｑ４，Ｑ５の各頭部１０２の周囲、特に、遊技釘Ｑ４，Ｑ５における前面５１より前方側の端部である各頭部１０２の軸部１０１Ａの中心軸線の周囲方向（以下、「軸中心周り」と称す）が囲われたことで、遊技釘Ｑ４，Ｑ５の各頭部１０２が軸中心周りのどの方向に動くことも一定の範囲内に制限して規制することができる。よって、釘カバー部５３５ｂで囲われた遊技釘Ｑ４，Ｑ５に対し、遊技釘Ｑ４，Ｑ５を曲げようとして不正な負荷が与えられたとしても、遊技釘Ｑ４，Ｑ５は当初の立設状態を保持することができる。
【０１２３】
特に、一対の遊技釘Ｑ４，Ｑ５は、始動入賞口５２５の入口として機能する遊技釘であるので、始動入賞口５２５への入球（進入）を有利にするために、遊技釘Ｑ４と遊技釘Ｑ５との間隔を広げようとする不正行為の対象となる可能性が高い。これに対し，遊技釘Ｑ４，Ｑ５を釘カバー部５３５ｂで囲うことで、遊技釘Ｑ４と遊技釘Ｑ５との間隔（すなわち、遊技釘Ｑ４と遊技釘Ｑ５との間を通過する遊技球の通過方向に対して直交する方向の長さ）を広げることが困難となる。これにより、始動入賞口５２５への入球（進入）が容易となるよう一対の遊技釘Ｑ４，Ｑ５の間隔を広げる不正行為を抑制できる。同様に、一対の遊技釘Ｑ４，Ｑ５の間隔を狭める（閉める）ことも困難となる。
【０１２４】
また、釘カバー部５３５ｂＡ，５３５ｂＢは、いずれも、本体部５３５ａに連設されているので、釘カバー部５３５ｂＡと釘カバー部５３５ｂＢとの間隔を変更することは不可能である。よって、釘カバー部５３５ｂＡ，５３５ｂＢの各収容部５３５ｂ１によって頭部１０２の周囲が囲われた一対の遊技釘Ｑ４，Ｑ５は、その間隔を広げることが困難となる。よって、始動入賞口５２５への入球（進入）が容易となるよう一対の遊技釘Ｑ４，Ｑ５の間隔を広げる不正行為を抑制できる。同様に、一対の遊技釘Ｑ４，Ｑ５の間隔を狭める（閉める）ことも困難となる。
【０１２５】
釘カバー部５３５ｂＡ，５３５ｂＢは、図８（ａ）に示すように、遊技機正面視における上方側の上側縁端部５３５ｂ２が、略半円の円弧形状に構成される。より詳細には、上側縁端部５３５ｂ２は、円形に開口された収容部５３５ｂ１と同心円状の円における略半円部分の円弧形状に構成される。つまり、上側縁端部５３５ｂ２は、収容部５３５ｂ１に収容された遊技釘Ｑ４，Ｑ５における軸部１０１Ａの軸中心に略一致する位置を中心とする、当該頭部１０２の最大外径より大きな径の円における略半円部分の円弧形状に構成される。
【０１２６】
釘カバー部５３５ｂ（５３５ｂＡ，５３５ｂＢ）の上側縁端部５３５ｂ２は、上述のように、遊技釘Ｑ４，Ｑ５の頭部１０２の最大外径より大きい径であるものの、遊技釘Ｑ４，Ｑ５の軸中心に略一致する位置を中心とする円における略半円部分の円弧形状であるので、遊技釘Ｑ４，Ｑ５が釘カバー部５３５ｂにより囲われたときの遊技板５０とガラス板１１の間を流下する遊技球の流下挙動を、遊技釘Ｑ４，Ｑ５が釘カバー部５３５ｂにより囲われず頭部１０２が露出しているときの流下挙動に似せることができる。よって、遊技釘Ｑ４，Ｑ５に対し釘カバー部５３５ｂを取り付けた場合であっても、遊技球の流下挙動に関して遊技者が感じる違和感を好ましい程度に抑制することができる。
【０１２７】
また、収容部５３５ｂ１は、遊技釘Ｑ４，Ｑ５の頭部１０２に対して大きく形成されているので、遊技釘Ｑ４，Ｑ５の当接部１１４に遊技球が当接して、遊技釘Ｑ４，Ｑ５が振動した場合に、収容部５３５ｂ１内で頭部１０２を変位可能とすることができる。よって、釘カバー部５３５ｂを設けても、遊技釘Ｑ４，Ｑ５が釘カバー部５３５ｂにより囲われず頭部１０２が露出しているときの流下挙動に似せることができる。
【０１２８】
なお、図８（ａ）に示す例では、上側縁端部５３５ｂ２を、遊技釘Ｑ４，Ｑ５の軸中心に略一致する位置を中心とする円における略半円の円弧形状としたが、円弧の大きさは、遊技釘Ｑ４，Ｑ５が釘カバー部５３５ｂにより囲われたときの遊技板５０とガラス板１１の間を流下する遊技球の流下挙動と、遊技釘Ｑ４，Ｑ５が釘カバー部５３５ｂにより囲われることなく露出しているときの流下挙動との類似性が所定のレベルで保たれる程度であれば、半円より小さい円弧（例えば、中心角１２０度の円弧）であっても、半円よりも大きい円弧（例えば、中心角２７０度の円弧）であってもよい。なお、上側縁端部５３５ｂ２には、上流側から流下する遊技球が接触するので、上側縁端部５３５ｂ２は半円以上の円弧であることが好ましい。
【０１２９】
また、上側縁端部５３５ｂ２を、遊技釘Ｑ４，Ｑ５の軸中心に略一致する位置を中心とする円の円弧とすることに限らず、遊技釘Ｑ４，Ｑ５の軸中心に対し、遊技機正面視における上側または下側に偏心した位置を中心とする円の円弧としてもよい。なお、遊技球の流下挙動を似せるという観点からすると、上側縁端部５３５ｂ２は、遊技釘Ｑ４，Ｑ５の軸中心に略一致する位置を中心とする円の円弧であることが好ましい。また、上側縁端部５３５ｂ２は、遊技釘Ｑ４，Ｑ５の軸中心を通る遊技機正面視における上下方向の仮想的な線分に対して左右対称な円弧であることに限らず、当該上下方向の仮想的な線分に対して非対称な円弧であってもよい。
【０１３０】
ここで、上述した第３実施形態の始動入賞装置５３５が取り付けられたパチンコ機１０に係る作用及び効果を説明する。
【０１３１】
第３実施形態のパチンコ機１０によれば、遊技釘Ｑ４，Ｑ５の頭部１０２の軸中心周りの外方が、遊技板５０に固定された始動入賞装置５３５と一体化された釘カバー部５３５ｂ（５３５ｂＡ，５３５ｂＢ）の収容部５３５ｂ１によって囲われるので、遊技釘Ｑ４，Ｑ５は、遊技釘Ｑ４，Ｑ５を曲げようとして不正な負荷が軸中心周りのいずれの方向から与えられたとしても、当初の立設状態を保持することができる。これにより、例えば、遊技釘Ｑ４と遊技釘Ｑ５との間隔を広げることが困難となるので、始動入賞口５２５への入球（進入）が容易となるよう一対の遊技釘Ｑ４，Ｑ５の間隔を広げる不正行為を抑制できる。
【０１３２】
また、釘カバー部５３５ｂは、ビス５０１により遊技板５０に固定された本体部５３５ａに連設されている。よって、釘カバー部５３５ｂ（５３５ｂＡ，５３５ｂＢ）は、釘カバー部５３５ｂを支持する本体部５３５ａを介して間接的に遊技板５０に固定されたことになるので、遊技釘Ｑ４，Ｑ５に対する取り付け状態を保持することができる。これにより、釘カバー部５３５ｂが誤って外れたり、遊技釘Ｑ４，Ｑ５に対する取り付け位置がずれたりなどの事象の発生が抑制されるので、遊技釘Ｑ４，Ｑ５が意図しない方向に曲げられることを抑制できる。
【０１３３】
また、釘カバー部５３５ｂは、遊技釘Ｑ４，Ｑ５の前方端部としての頭部１０２に対して遊技者側に相当する前側を覆う構成としているので、遊技者側から見て遊技釘の前方端部が釘カバー部５３５ｂに覆われ、不正行為を行おうとするものに対して、前方端部に対して力を加える不正が困難であることを認識させることができる。
【０１３４】
第３実施形態に係る上記説明では、遊技釘Ｑ４，Ｑ５の前方端部（より詳細には、頭部１０２）の周囲を囲う釘カバーとして、始動入賞装置５３５に一体化された釘カバー部５３５ｂを例示した。つまり、上記例示した釘カバー部５３５ｂは、ビス５０１により遊技板５０に固定された本体部５３５ａに支持されることで、遊技釘Ｑ４，Ｑ５に対して取り付けられるものであった。
【０１３５】
遊技釘Ｑ４，Ｑ５の前方端部の周囲を囲う釘カバーは、上記例示した釘カバー部５３５ｂのように、本体部５３５ａにより支持されることで、遊技釘Ｑ４，Ｑ５に対する取り付け状態が保持されるものに限らず、単独で遊技釘Ｑ４，Ｑ５に対する取り付け状態を保持するものであってもよい。
【０１３６】
図９（ａ）は、第３実施形態に係る別例の釘カバー５５０の正面図であり、図９（ｂ）は、図９（ａ）のＫ−Ｋ線における釘カバー５５０の断面図である。釘カバー５５０は、上記例示した釘カバー部５３５ｂと同様、始動入賞口５２５の上方に設けられた一対の遊技釘Ｑ４，Ｑ５の各頭部１０２ａの周囲を囲う樹脂製の釘カバーである。
【０１３７】
図９（ａ）に示すように、釘カバー５５０は、遊技釘Ｑ４，Ｑ５の各頭部１０２の周囲を囲う（覆う）ための２つのカバー部５５０ａと、これらカバー部５５０ａを連結する連結部５５０ｂとから構成される。なお、以下では、便宜的に、遊技釘Ｑ４の頭部１０２の周囲を囲うカバー部５５０ａを、カバー部５５０ａＡと称し、遊技釘Ｑ５の頭部１０２の周囲を囲うカバー部５５０ａを、カバー部５５０ａＢと称することがある。
【０１３８】
カバー部５５０ａＡ，５５０ａＢの各裏面（取り付け状態において遊技板５０に対向する面）には、それぞれ、遊技釘Ｑ４，Ｑ５の各頭部１０２を収容可能な凹みからなる収容部５５０ａ１と、頭部１０２を遊技機正面視における釘カバー５５０の下側縁端から収容部５５０ａ１へと案内するための案内部５５０ａ２とが形成されている。
【０１３９】
収容部５５０ａ１は、上記例示した釘カバー部５３５ｂの収容部５３５ｂ１と同様、遊技釘Ｑ４または遊技釘Ｑ５の頭部１０２の最大外径よりやや大きい円形に開口され、当該頭部１０２を前方から収容可能な深さを有する凹部である。案内部５５０ａ２は、釘カバー５５０の下側縁端と収容部５３５ｂ１とを連通させる溝部であり、その幅は収容部５５０ａ１の開口の直径に等しく、その深さは収容部５５０ａ１の深さに等しく構成される。
【０１４０】
図９に示す釘カバー５５０によれば、遊技釘Ｑ４，Ｑ５の各頭部１０２は、各カバー部５５０ａ（５５０ａＡ，５５０ａＢ）の案内部５５０ａ２における下側の開放から、案内部５５０ａ２により収容部５５０ａ１へと案内され、収容部５５０ａ１に収容される。遊技釘Ｑ４，Ｑ５の各頭部１０２がそれぞれカバー部５５０ａＡ，５５０ａＢに収容されたことで、遊技釘Ｑ４，Ｑ５に対する釘カバー５５０の取り付けが完了する。
【０１４１】
釘カバー５５０が遊技釘Ｑ４，Ｑ５に対して取り付けられた状態において、カバー部５５０ａＡ，５５０ａＢは、それぞれ、各収容部５５０ａ１が遊技釘Ｑ４または遊技釘Ｑ５の頭部１０２の周囲（より詳細には、頭部１０２の前面側、および、頭部１０２における軸部１０１Ａの中心軸線に交差する方向側）を囲う。
【０１４２】
カバー部５５０ａＡ，５５０ａＢは連結部５５０ｂにより連結されているので、収容部５５０ａ１によって頭部１０２の周囲が囲われた一対の遊技釘Ｑ４，Ｑ５は、その間隔を広げることが困難となる。よって、始動入賞口５２５への入球（進入）が容易となるよう一対の遊技釘Ｑ４，Ｑ５の間隔を広げる不正行為を抑制できる。同様に、一対の遊技釘Ｑ４，Ｑ５の間隔を狭める（閉める）ことも困難となる。
【０１４３】
釘カバー５５０のカバー部５５０ａ（５５０ａＡ，５５０ａＢ）は、図９（ａ）に示すように、上記例示した釘カバー部５３５ｂと同様、遊技機正面視における上方側の上側縁端部５５０ａ３が、略半円の円弧形状に構成される。より詳細には、上側縁端部５５０ａ３は、円形に開口された収容部５５０ａ１と同心円状の円における略半円部分の円弧形状に構成される。これにより、遊技釘Ｑ４，Ｑ５が釘カバー５５０により囲われたときの遊技板５０とガラス板１１の間を流下する遊技球の流下挙動を、遊技釘Ｑ４，Ｑ５が釘カバー５５０により囲われることなく露出しているときの流下挙動に似せることができる。よって、遊技釘Ｑ４，Ｑ５に対し釘カバー５５０を取り付けた場合であっても、遊技球の流下挙動に関して遊技者が感じる違和感を好ましい程度に抑制することができる。
【０１４４】
上述した釘カバー５５０によれば、単独で遊技釘Ｑ４，Ｑ５に対する取り付け状態を保持できるので、釘カバーを支持するための本体部５３５ａのような支持部材の有無を考慮することなく、釘カバー５５０を、遊技領域２１の立設された種々の遊技釘に対して取り付けることが可能である。
【０１４５】
なお、釘カバー５５０の前面側にガラス板１１に対して接着性または粘着性の層を設け、当該層を介することで、ガラス板１１に対する釘カバー５５０の位置を固定する構成としてもよい。
【０１４６】
上述したように、遊技釘Ｑ４，Ｑ５の各頭部１０２の周囲、特に、遊技釘Ｑ４，Ｑ５における前面５１より前方側の端部である各頭部１０２の軸中心周りが囲われているので、ガラス板１１に対する釘カバー５５０の位置が固定された場合には、遊技釘Ｑ４，Ｑ５の各頭部１０２が軸中心周りのどの方向に動くことも規制することができる。
【０１４７】
これにより、釘カバー部５３５ｂで囲われた遊技釘Ｑ４，Ｑ５に対し、遊技釘Ｑ４，Ｑ５を曲げようとして不正な負荷が与えられたとしても、遊技釘Ｑ４，Ｑ５は当初の立設状態を保持することができる。よって、ガラス板１１に対する釘カバー５５０の位置を固定可能な釘カバー５５０を、所定方向に遊技球を誘導するべく連ねて配置された複数の遊技釘に取り付けることで、遊技釘を曲げて遊技球の誘導方向を不正に変化させる不正行為を抑制できる。
【０１４８】
例えば、遊技球を始動入賞口５２５に誘導する複数の遊技釘（所謂、誘導釘）は、始動入賞口５２５への入球（進入）が有利となるよう、上方または下方（すなわち、それら複数の遊技釘の配列による遊技球の誘導方向に対して交差する方向）に不正に曲げられる対象となり易い。これに対し，かかる複数の遊技釘を釘カバー５５０で囲うことで、当該遊技釘を上方または下方に曲げることが困難となるため、始動入賞口５２５への入球（進入）が容易となるように遊技球の誘導方向を不正に変化させる不正行為を抑制することができる。
【０１４９】
図９に示す釘カバー５５０は、２つのカバー部５５０ａ（５５０ａＡ，５５０ａＢ）が、連結部５５０ｂにより連設されるものであったが、３つ以上のカバー部５５０ａを有し、隣接するカバー部５５０ａが連結部５５０ｂにより連結されるものであってもよい。つまり、釘カバー５５０は、３本以上の遊技釘を囲うことが可能な構成であってもよい。また、釘カバー５５０がガラス板１１または遊技板５０に固定されている場合には、１つのカバー部５５０ａのみを有し、１本の遊技釘を囲う構成であってもよい。
【０１５０】
＜第４実施形態＞
次に、図１０および図１１を主に参照して、第４実施形態について説明する。本実施形態に係るパチンコ機１０もまた、上述した第３実施形態と同様、始動入賞口の入口として機能する一対の遊技釘に対し、各遊技釘における前方端部の周囲を釘カバーで囲うことで、これら一対の遊技釘に対する不正な曲げを抑制できるものである。なお、以下の説明において、第１〜第３実施形態における構成と同一の構成については同一の符号を付して説明を省略し、上記各実施形態と異なる部分を説明する。
【０１５１】
図１０（ａ）は、始動入賞装置６３５の正面図であり、図１０（ｂ）は、図１０（ａ）のＬ−Ｌ線における始動入賞装置６３５の断面図である。図１０（ｃ）は、図１０（ａ）のＭ−Ｍ線における始動入賞装置６３５の断面図である。なお、図１０には、始動入賞装置６３５の上方に設けられ、始動入賞口６２５の入口として機能する一対の遊技釘Ｑ６，Ｑ７を合わせて図示している。
【０１５２】
図１０に示す例において、一対の遊技釘Ｑ６，Ｑ７は、上述した遊技釘１００Ａである。なお、遊技釘Ｑ６，Ｑ７は、遊技釘１００Ａに限らず、遊技釘１００Ｂ〜１００Ｄのいずれであってもよい。また、遊技釘Ｑ６，Ｑ７の両方が同じ形状の遊技釘でなくてもよい。
【０１５３】
始動入賞装置６３５は、始動入賞口６２５が形成された樹脂製の入賞装置である。なお、始動入賞装置６３５は、少なくとも収容部６３５ｃ１の前面側が、遊技釘Ｑ６，Ｑ７が視認可能となるよう透明に構成される。収容部６３５ｃ１の前面側は、半透明であってもよい。
【０１５４】
始動入賞装置６３５は、遊技機正面視における前面側に設けられる板状の前板部６３５ａと、前板部６３５ａを支持する前板支持部６３５ｂと、遊技機正面視における前板部６３５ａの上方に連設された釘カバー部６３５ｃとを備えている。
【０１５５】
前板支持部６３５ｂの外周壁には、前板支持部６３５ｂを遊技板５０に取り付けるための取付部６３５ｂ１が設けられている。図１０に示す例では、取付部６３５ｂ１は、遊技機正面視における前板支持部６３５ｂの左右両側の外周壁６３５ｂ２と、底側の外周壁６３５ｂ３との３箇所にそれぞれ設けられている。取付部６３５ｂ１は、ビス６０１を挿通可能な挿通口を有する。始動入賞装置６３５は、前板支持部６３５ｂが取付部６３５ｂ１の挿通口に挿通されたビス６０１によって遊技板５０に固定されることで、遊技板５０に取り付けられる。
【０１５６】
前板支持部６３５ｂにおける遊技機正面視における前側の外周壁６３５ｂ４の内側（遊技板５０を向く側）には、前板部６３５ａを収容する収容空間６３５ｂ５が形成されている。遊技機正面視における収容空間６３５ｂ５の後側には、前板部６３５ａと、外周壁６３５ｂ２と、外周壁６３５ｂ３とで囲まれる空間６３５ｂ６が形成される。空間６３５ｂ６の一部は、遊技機正面視における上方の開口から始動入賞装置６３５に進入した遊技球を、遊技板５０の背面（前面５１の裏側となる面）側に形成される排出経路（図示せず）に案内する球通路として機能する。
【０１５７】
より詳細には、左右の外周壁６３５ｂ２の各内壁には、外周壁６３５ｂ２の上端から下方向に延びるリブ６３５ｂ７と、リブ６３５ｂ７の下端に連設されて外周壁６３５ｂ２の遊技板５０側の端まで延びるリブ６３５ｂ８とが立設されている。
【０１５８】
一方、前板部６３５ａの裏面（すなわち、収容空間６３５ｂ５に収容された状態において遊技板５０に対向する側の面）にも、上下方向に延びるリブ６３５ａ１が立設されており、前板部６３５ａが収容空間６３５ｂ５に収容された状態において、始動入賞装置６３５内に進入した遊技球は、左右両側に形成された各リブ６３５ｂ７と、前板部６３５ａの裏面に形成されたリブ６３５ａ１と、遊技板５０の前面５１との間に形成される空間によって外周壁６３５ｂ３の内壁（すなわち、空間６３５ｂ６の底面）に接するまで下方に案内された後、左右両側に形成された各リブ６３５ｂ８によって排出経路に通じる遊技板５０の貫通孔まで案内される。
【０１５９】
つまり、始動入賞装置６３５の球通路は、空間６３５ｂ６内において、一対の遊技釘Ｑ６，Ｑ７の間を通過した遊技球が、上述のように排出経路に通じる遊技板５０の貫通孔まで案内される経路である。なお、左右両側に形成された各リブ６３５ｂ７，６３５ｂ８、および、前板部６３５ａの裏面に形成されたリブ６３５ａ１は、球通路の外縁を形成する機能を果たすとともに、球通路を通過する遊技球を整流する機能を果たす。
【０１６０】
球通路における上端、すなわち、遊技球が一対の遊技釘Ｑ６，Ｑ７の間を通過した後、必ず排出経路に案内されるようになる境界位置での開口が、始動入賞口６２５となる。始動入賞口６２５は、第１実施形態の始動入賞口２５と同様に機能する入球口である。つまり、始動入賞口６２５は、遊技球が入球（通過）したことで、その特典として、大当たり等の抽選が行われるとともに賞球の払い出しが行われる入球口である。
【０１６１】
前板部６３５ａは、遊技機正面視における上方側の開放部分から収容空間６３５ｂ５に挿入され、釘カバー部６３５ｃが前板支持部６３５ｂより上側に突出した状態で収容空間６３５ｂ５に収容される。収容空間６３５ｂ５に収容された前板部６３５ａは、パチンコ機１０の製造時において、前板支持部６３５ｂに対する相対位置が最終的に固定されるまでの間は、前板支持部６３５ｂに対して遊技機正面視における上または下方向に移動させることができ、それにより、前板支持部６３５ｂに対する相対位置を変化させることができる。詳細は後述するが、本実施形態のパチンコ機１０は、前板支持部６３５ｂに対する前板部６３５ａの相対位置を変化させることで、始動入賞口６２５の入口として機能する一対の遊技釘Ｑ６，Ｑ７を好適な位置に位置決めできるよう構成される。
【０１６２】
収容空間６３５ｂ５と空間６３５ｂ６との間には、これらの空間を仕切る仕切り壁６３５ｂ９が、外周壁６３５ｂ３の内側（すなわち、収容空間６３５ｂ５および空間６３５ｂ６の底側）から立設されている。仕切り壁６３５ｂ９は、収容空間６３５ｂ５および空間６３５ｂ６の底から、前板支持部６３５ｂに対する前板部６３５ａの上または下方向への移動に関して設定された所定高さまでの部分では、左側の外周壁６３５ｂ２から右側の外周壁６３５ｂ２まで連続して渡っており、それより上方では、左側の外周壁６３５ｂ２に接続する部分と、右側の外周壁６３５ｂ２に接続する部分とが、中央で分離した形状に構成される。
【０１６３】
仕切り壁６３５ｂ９の、前板部６３５ａの裏面側に対向する面の上端側には、断面鋸歯状の係合部６３５ｂ１０が形成されている。一方、前板部６３５ａの裏面には、係合部６３５ｂ１０に対応した位置に、係合部６３５ｂ１０の対となる断面鋸歯状の係合部６３５ａ２が形成されている。
【０１６４】
前板部６３５ａが収容空間６３５ｂ５に収容された状態において、前板部６３５ａの係合部６３５ａ２は、仕切り壁６３５ｂ９の係合部６３５ｂ１０に係合される。よって、パチンコ機１０の製造時において前板支持部６３５ｂに対する相対位置を変化させることで好適な前板部６３５ａの位置が決められた場合、その後に前板部６３５ａの位置が最終的に固定されるまでの間、好適とされた前板部６３５ａの位置を、係合部６３５ａ２と係合部６３５ｂ１０との係合によって仮保持することができる。これにより、好適とされた位置にて前板部６３５ａを作業者の手で保持し続けるなどの手間を防ぐことができる。
【０１６５】
前板支持部６３５ｂにおける外周壁６３５ｂ４には、前板部６３５ａを収容する収容空間６３５ｂ５の底面よりやや上方となる位置に、当該収容空間６３５ｂ５に通じる貫通孔６３５ｂ１１が形成されている。パチンコ機１０の製造時において、前板支持部６３５ｂに対する前板部６３５ａの相対位置が好適化された場合、エポキシ樹脂などの硬化性樹脂を貫通孔６３５ｂ１１から注入し、収容空間６３５ｂ５の下方側の、外周壁６３５ｂ２，６３５ｂ３，６３５ｂ４と仕切り壁６３５ｂ９とにより囲まれた空間のうち、前板部６３５ａの下端より下方の空間を樹脂で埋めるとともに、前板部６３５ａとその周りを囲う外周壁６３５ｂ４などの各壁との境界部分に樹脂を浸入させて硬化させることで、好適化された前板部６３５ａの位置を最終的に固定することができる。
【０１６６】
釘カバー部６３５ｃは、始動入賞装置６３５の上方に設けられた一対の遊技釘Ｑ６，Ｑ７の各頭部１０２の周囲を囲う（覆う）釘カバーとして機能する部分である。以下では、便宜的に、遊技釘Ｑ６の頭部１０２の周囲を覆う釘カバー部６３５ｃを、釘カバー部６３５ｃＡと称し、遊技釘Ｑ７の頭部１０２の周囲を覆う釘カバー部６３５ｃを、釘カバー部６３５ｃＢと称することがある。
【０１６７】
遊技釘Ｑ６の頭部１０２の周囲を覆う釘カバー部６３５ｃＡは、前板部６３５ａの左端側の上端に連設される。一方、遊技釘Ｑ７の頭部１０２の周囲を覆う釘カバー部６３５ｃＢは、前板部６３５ａの右端側の上端に連設される。なお、釘カバー部６３５ｃ（６３５ｃＡ，６３５ｃＢ）の前面側は、例えば、図１０（ｂ）に示すように、前板部６３５ａの前面と面一の平面とされている。
【０１６８】
図１０（ａ）に示すように、釘カバー部６３５ｃ（６３５ｃＡ，６３５ｃＢ）は、遊技機正面視における上方側の上側縁端部６３５ｃ２が、第３実施形態の上側縁端部５３５ｂ２と同様、略半円の円弧形状に構成される。これにより、上述した第３実施形態の釘カバー部５３５ｂ（５３５ｂＡ，５３５ｂＢ）と同様、遊技釘Ｑ６，Ｑ７に対し釘カバー部６３５ｃを取り付けた場合であっても、遊技球の流下挙動に関して遊技者が感じる違和感を好ましい程度に抑制することができる。
【０１６９】
釘カバー部６３５ｃＡ，６３５ｃＢの各裏面（取り付け状態において遊技板５０に対向する面）には、それぞれ、遊技釘Ｑ６または遊技釘Ｑ７の頭部１０２を収容可能に凹んだ収容部６３５ｃ１が形成されている。
【０１７０】
より詳細には、収容部６３５ｃ１における、釘カバー部６３５ｃ（６３５ｃＡ，６３５ｃＢ）の裏面側の開口は、上方から下方に向けて緩やかに狭まり（つまり、上下方向の単位長さに対する左右方向の変化量が、前記単位長さより短い）、下端にて、遊技釘Ｑ６または遊技釘Ｑ７の頭部１０２の最大外径よりやや大きい幅となる形状に構成される。また、収容部６３５ｃ１は、遊技釘Ｑ６または遊技釘Ｑ７の頭部１０２を前方から収容可能な深さに構成される。
【０１７１】
収容部６３５ｃ１は、上方側が開放されている。よって、始動入賞装置６３５がビス６０１で遊技板５０に取り付けられた後、前板部６３５ａを上方にスライドさせることで、遊技釘Ｑ６，Ｑ７の各頭部１０２を、それぞれ対応する釘カバー部６３５ｃ（６３５ｃＡ，６３５ｃＢ）の収容部６３５ｃ１に収容することができる。
【０１７２】
よって、始動入賞装置６３５がビス６０１で遊技板５０に取り付けられた（すなわち、固定された）状態において、釘カバー部６３５ｃＡ，６３５ｃＢは、それぞれ、各収容部６３５ｃ１が遊技釘Ｑ６または遊技釘Ｑ７の頭部１０２の周囲（より詳細には、頭部１０２の前面側、および、頭部１０２における軸部１０１Ａの中心軸線に交差する方向のうち左右および下側）を囲う。このように、遊技釘Ｑ６または遊技釘Ｑ７の頭部１０２の周囲が収容部６３５ｃ１の内壁によって覆われるので、当該内壁が邪魔となって遊技釘Ｑ６，Ｑ７を曲げる不正行為を行い難くすることができる。
【０１７３】
なお、釘カバー部６３５ｃのうち、遊技釘Ｑ６に対する釘カバー部６３５ｃＡの収容部６３５ｃ１は、始動入賞装置６３５が遊技板５０に取り付けられた状態において、遊技釘Ｑ６の頭部１０２が、遊技機正面視における右上から左下へと、重力方向の単位長さに対する左右方向の変化量が前記単位長さより十分に短くなるような傾きで延びる内壁Ｚ１の側に近接または接触するよう設計されている。以下、「内壁Ｚ１の傾き」とは、内壁Ｚ１の長手方向の重力方向に対する傾きを示す。つまり、本実施形態において、内壁Ｚ１の傾きは、「遊技機正面視における右上から左下へ向かう（延びる）傾き」を示す。内壁Ｚ１の傾きの大きさは、「重力方向の単位長さに対する左右方向の変化量が前記単位長さより十分に短くなるような傾きの大きさ」である。この「傾きの大きさ」としては、２０度以下としてもよく、１０度以下であることが好ましく、８度以下であることが好適である。
【０１７４】
一方、遊技釘Ｑ６に対する釘カバー部６３５ｃＢの収容部６３５ｃ１は、始動入賞装置６３５が遊技板５０に取り付けられた状態において、遊技釘Ｑ７の頭部１０２が、遊技機正面視における左上から右下へと、重力方向の単位長さに対する左右方向の変化量が前記単位長さより十分に短くなるような傾きで延びる内壁Ｚ２の側に近接または接触するよう設計されている。以下、「内壁Ｚ２の傾き」とは、内壁Ｚ２の長手方向の重力方向に対する傾きを示す。つまり、本実施形態において、内壁Ｚ２の傾きは、「遊技機正面視における左上から右下へ向かう（延びる）傾き」を示す。内壁Ｚ２の傾きの大きさは、「重力方向の単位長さに対する左右方向の変化量が前記単位長さより十分に短くなるような傾きの大きさ」である。
【０１７５】
より詳細には、釘カバー部６３５ｃＡ，６３５ｃＢの各収容部６３５ｃ１は、係合部６３５ａ２と係合部６３５ｂ１０とが係合する範囲内で前板部６３５ａを移動させた場合に、遊技釘Ｑ６または遊技釘Ｑ７の頭部１０２が、当該範囲内の少なくとも一部において内壁Ｚ１または内壁Ｚ２に接触するよう設計されている。本実施形態のパチンコ機１０では、その製造時において、収容部６３５ｃ１が上述のように設計された釘カバー部６３５ｃを利用することで、遊技釘Ｑ６，Ｑ７を適切に位置決めできるよう構成されている。
【０１７６】
ここで、図１１を参照して、釘カバー部６３５ｃ（６３５ｃＡ，６３５ｃＢ）を利用した遊技釘Ｑ６，Ｑ７の位置決めについて説明する。図１１は、遊技板５０に平行な面で切断した釘カバー部６３５ｃＡ付近の断面図である。より詳細には、図１１（ａ）は、前板支持部６３５ｂに対する前板部６３５ａの位置が所定位置にあるときの断面図であり、図１１（ｂ）は、前板部６３５ａを図１１（ａ）の状態から上方にスライドさせたときの断面図である。
【０１７７】
遊技釘Ｑ６を収容する収容部６３５ｃ１の内壁Ｚ１は、その傾きが、遊技機正面視における右上から左下へ向かう傾きとされているので、遊技釘Ｑ６が内壁Ｚ１に接した状態で、前板部６３５ａを上方にスライド（すなわち、ビス６０１により固定された前板支持部６３５ｂに対して相対的に上方に移動）させた場合には、遊技釘Ｑ６は、内壁Ｚ１によって遊技機正面視における左上方向に押圧される。
【０１７８】
なお、内壁Ｚ１の傾きは、その大きさが、重力方向の単位長さに対する左右方向の変化量が前記単位長さより十分に短くなるような大きさに設定されているので、上方向への押圧は無視できる程度となり、遊技釘Ｑ６は，実質的に左方向に押圧される。以下では、前板部６３５ａを上方にスライドさせたことに伴う、収容部６３５ｃ１の内壁Ｚ１による遊技釘Ｑ６の押圧方向を、実質的な押圧方向である左方向であるとして説明する。
【０１７９】
つまり、前板部６３５ａが、遊技釘Ｑ６の頭部１０２が収容部６３５ｃ１の下側の内壁Ｚ０から高さＨ１の位置で内壁Ｚ１に接した状態（すなわち、図１１（ａ）に示す状態）から、上方にスライドされて、頭部１０２が内壁Ｚ０から高さＨ２（Ｈ１＜Ｈ２）の位置で内壁Ｚ１に接した状態（すなわち、図１１（ｂ）に示す状態）とされた場合、遊技釘Ｑ６は、内壁Ｚ１によって左方向に押圧される。
【０１８０】
同様に、遊技釘Ｑ７を収容する収容部６３５ｃ１の内壁Ｚ２は、その傾きが、遊技機正面視における左上から右下へ向かう傾きであるので、遊技釘Ｑ７が内壁Ｚ２に接した状態で、前板部６３５ａを上方にスライドさせた場合には、遊技釘Ｑ７は、内壁Ｚ２によって遊技機正面視における右上方向に押圧される。
【０１８１】
なお、内壁Ｚ２の傾きは、その大きさが、重力方向の単位長さに対する左右方向の変化量が前記単位長さより十分に短くなるような大きさに設定されているので、上方向への押圧は無視できる程度となり、遊技釘Ｑ７は，実質的に右方向に押圧される。以下では、前板部６３５ａを上方にスライドさせたことに伴う、収容部６３５ｃ１の内壁Ｚ２による遊技釘Ｑ７の押圧方向を、実質的な押圧方向である右方向であるとして説明する。
【０１８２】
よって、本実施形態のパチンコ機１０によれば、始動入賞装置６３５がビス６０１で遊技板５０に取り付けられた状態において、前板部６３５ａを上方にスライドさせた場合、遊技釘Ｑ６および遊技釘Ｑ７は、それぞれ、遊技機正面視における左方向および右方向へ押圧されるので、遊技釘Ｑ６および遊技釘Ｑ７を、それぞれ左方向および右方向に動かすことができる。これにより、遊技釘Ｑ６と遊技釘Ｑ７との間隔（より詳細には、各遊技釘Ｑ６，Ｑ７における遊技球が当接する当接部１１４の間隔）を広げることができる。
【０１８３】
従って、パチンコ機１０の製造時に、遊技釘Ｑ６，Ｑ７が遊技板５０に打ち付けられた後で、これら遊技釘Ｑ６，Ｑ７の間隔を好適な広さ（すなわち、設計許容範囲内の間隔）に調整することができる。上述したように、遊技釘Ｑ６，Ｑ７の間隔が好適な広さとなるよう、前板部６３５ａの位置が調整された後は、硬化性樹脂を貫通孔６３５ｂ１１から注入することで、前板部６３５ａの位置が調整後の好適な位置にて最終的に固定される。これにより、遊技釘Ｑ６，Ｑ７の間隔が適切に調整された後に前板部６３５ａが移動され、それにより、遊技釘Ｑ６，Ｑ７の間隔が不適切な広さとなることを抑制できる。
【０１８４】
なお、前板部６３５ａは、上方側にスライド可能に構成されたが、その初期位置に相当する下端にあるときには、遊技釘Ｑ６，Ｑ７の頭部１０２の少なくとも一部が遊技機正面側から見えるように可動可能な範囲を設定することが好ましく、全部が見えるように設定することが好適である。これにより、始動入賞装置６３５を遊技板５０に取り付けた状態でも、前板部６３５ａを最下端に位置させて遊技釘Ｑ６，Ｑ７の頭部１０２を前方側から手作業で調整してから、前板部６３５ａを上方にスライドさせて微調整を行うことができる。
【０１８５】
ここで、上述した第４実施形態の始動入賞装置６３５が取り付けられたパチンコ機１０に係る作用及び効果を説明する。
【０１８６】
第４実施形態のパチンコ機１０によれば、収容部６３５ｃ１における内壁Ｚ１，Ｚ２の傾きの大きさが、重力方向の単位長さに対する左右方向の変化量が前記単位長さより十分に短くなるような大きさとされているので、前板部６３５ａが上方にスライドされると、遊技釘Ｑ６，Ｑ７がそれぞれ左方および右方に動かされる。よって、前板部６３５ａを上方にスライドさせることで、遊技釘Ｑ６，Ｑ７の間隔を広げることができる。
【０１８７】
従来のパチンコ機においては、遊技釘は遊技板への取り付け時において位置ずれが生じることがあり、遊技釘に位置ずれが生じた場合には、遊技機の性能が設計値と異なる可能性がある。例えば、始動入賞口６２５のような始動入賞口の上方に設けられ、当該始動入賞口への入口として機能する一対の遊技釘に位置ずれが生じた場合、一対の遊技釘間の距離が設計値通りとならず、それによって、始動入賞口に進入する（入賞する）遊技球の進入確率が設計値と異なる状況が生じることがある。
【０１８８】
これに対し、第４実施形態のパチンコ機１０によれば、製造時に、前板部６３５ａを上方にスライドさせ（すなわち、遊技釘Ｑ６，Ｑ７に対して釘カバー部６３５ｃを上方に移動させ）、それにより、遊技釘Ｑ６，Ｑ７の間隔を調整することで、当該間隔が好適な広さ（すなわち、設計許容範囲内の間隔）となるよう、遊技釘Ｑ６，Ｑ７を位置決めすることができる。よって、パチンコ機１０の製造時に、設計基準値（設計中央値）に合わない間隔で取りつけられていた遊技釘Ｑ６，Ｑ７が、設計基準値に近づくように位置決めされたことで、多数台のパチンコ機１０を製造した場合であっても、それらを設計基準値に近い性能を有するパチンコ機として出荷することができる。
【０１８９】
また、前板部６３５ａは、始動入賞装置６３５の一部として、前板支持部６３５ｂに対する相対位置が好適に決められた後も、その位置にて最終的な固定を行うことで、取り外されることなく残すことができる。よって、遊技釘Ｑ６，Ｑ７の位置決めに利用した部材を、当該位置決め後に取り外す必要がなく、取り外す処理や取り外し後の処理に要する手間を省くことができる。
【０１９０】
また、前板部６３５ａは、係合部６３５ａ２が、係合部６３５ｂ１０により誘導されながら上方または下方にスライドさせることができる。これにより、遊技釘Ｑ６，Ｑ７に対する前板部６３５ａの移動方向は、係合部６３５ａ２および係合部６３５ｂ１０によって規制されるので、前板部６３５ａのスライドによる遊技釘Ｑ６，Ｑ７が動く方向を一定的にすることができる。これにより、遊技釘Ｑ６，Ｑ７の位置決めに対する汎用性を高めることができる。
【０１９１】
また、収容部６３５ｃ１は、その内壁が、遊技釘Ｑ６，Ｑ７の頭部１０２の周囲（より詳細には、頭部１０２の前面側、および、頭部１０２における軸部１０１Ａの中心軸線に交差する方向のうち左右および下側）を囲っているので、当該内壁が邪魔となって遊技釘Ｑ６，Ｑ７を曲げる不正行為を行い難くすることができる。このように、釘カバー部６３５ｃ（６３５ｃＡ，６３５ｃＢ）は、遊技釘Ｑ６，Ｑ７に対する不正な曲げ行為を抑制する機能と、遊技釘Ｑ６，Ｑ７を適切に位置決めできる機能との両方を有する。
【０１９２】
また、収容部６３５ｃ１が設けられる前板部６３５ａを上方にスライドさせて遊技釘Ｑ６，Ｑ７の頭部１０２を収容部６３５ｃ１の内部に収容する構成であるので、遊技釘Ｑ６，Ｑ７の頭部１０２の位置が設計許容範囲から大きく外れている場合には、スライド操作をしても収容部６３５ｃ１に遊技釘Ｑ６，Ｑ７の頭部１０２が収容されずに、周辺部分に干渉することとなる。このため、前板部６３５ａを設計許容範囲内に達するまでスライドさせることができなかったり、そのスライド操作によって前板部６３５ａの一部が遊技釘Ｑ６，Ｑ７の頭部１０２と干渉して破損し易い。よって、前板部６３５ａのスライド操作によって設計許容範囲から遊技釘Ｑ６，Ｑ７の頭部１０２が外れていることを検出し易くすることができる。
【０１９３】
なお、第４実施形態に係る上記説明では、遊技釘Ｑ６，Ｑ７として、遊技釘１００Ａを例示したが、遊技釘１００Ｄを用い、溝部１１５，１１６の長手方向が曲げたい方向に対して直交するように遊技板５０に取り付けることで、収容部６３５ｃ１の内壁Ｚ１，Ｚ２による押圧で遊技釘Ｑ６，Ｑ７が曲がり易くなるので、前板部６３５ａのスライドによる遊技釘Ｑ６，Ｑ７の調整を行い易くできる。
【０１９４】
＜第５実施形態＞
次に、図１２および図１３を主に参照して、第５実施形態について説明する。上述した第４実施形態に係るパチンコ機１０では、前板部６３５ａを前板支持部６３５ｂに対して遊技機正面視における上下方向に移動させることで、始動入賞口６２５の上方に設けられた一対の遊技釘Ｑ６，Ｑ７を好適に位置決めする構成とした。
【０１９５】
これに対し、第５実施形態に係るパチンコ機１０では、遊技板５０に固定された前板支持部に対し、前板部を遊技機正面視における前後方向に移動させることで、始動入賞口の上方に設けられた一対の遊技釘の位置決めを図る。なお、以下の説明において、第１〜第４実施形態における構成と同一の構成については同一の符号を付して説明を省略し、上記各実施形態と異なる部分を説明する。
【０１９６】
図１２（ａ）は、始動入賞装置７３５の正面図であり、図１２（ｂ）は、図１２（ａ）のＮ−Ｎ線における始動入賞装置７３５の断面図である。図１２（ｃ）は、図１２（ａ）のＰ−Ｐ線における始動入賞装置７３５の断面図である。なお、図１２では，始動入賞装置７３５以外の部品を必要に応じて図示している。
【０１９７】
始動入賞装置７３５は、始動入賞口７２５が形成された樹脂製の入賞装置である。なお、始動入賞装置７３５は、少なくとも収容部７３５ｃ１の前面側が、遊技釘Ｑ８，Ｑ９が視認可能となるよう透明に構成される。収容部７３５ｃ１の前面側は、半透明であってもよい。
【０１９８】
始動入賞装置７３５の上方には、始動入賞口７２５の入口として機能する一対の遊技釘Ｑ８，Ｑ９が設けられている。なお、本実施形態において、一対の遊技釘Ｑ８，Ｑ９は、上述した遊技釘１００Ａである。なお、遊技釘Ｑ８，Ｑ９は、遊技釘１００Ａに限らず、遊技釘１００Ｂ〜１００Ｄのいずれであってもよい。また、遊技釘Ｑ８，Ｑ９の両方が同じ形状の遊技釘でなくてもよい。
【０１９９】
始動入賞装置７３５は、本体部７３５ａと、本体部７３５ａを支持する本体支持部７３５ｂと、本体部７３５ａに連設された釘カバー部７３５ｃとを備えている。本体部７３５ａは、始動入賞装置５３５の本体をなす部分であり、遊技機正面視の前方に位置する前板７３５ａ１と、本体部７３５ａの底壁を構成する底壁７３５ａ２と、本体部７３５ａの左右の側壁を構成する側壁７３５ａ３とを備えている。
【０２００】
前板７３５ａ１と、底壁７３５ａ２と、左右の側壁７３５ａ３とで囲まれる空間（以下、「本体部７３５ａの内部空間」と称す）の一部が、本体部７３５ａの上方の開口から始動入賞装置７３５に進入した遊技球を、遊技板５０の背面（前面５１の裏側となる面）側に形成される排出経路（図示せず）に案内する球通路として機能する。
【０２０１】
より詳細には、左右の側壁７３５ａ３の各内壁には、側壁７３５ａ３の上端から下方向に延びるリブ７３５ａ５と、リブ７３５ａ５の下端に連設されて側壁７３５ａ３の遊技板５０側の端まで延びるリブ７３５ａ６とが立設されている。また、底壁７３５ａ２の内壁（すなわち、本体部７３５ａの内部空間の底面）には、本体部７３５ａの内部空間における遊技機正面視における左右方向の略中央に、前板７３５ａ１の裏面側から遊技板５０側の端まで延びるリブ７３５ａ７が立設されている。始動入賞装置７３５内に進入した遊技球は、左右両側に形成された各リブ７３５ａ５と、前板７３５ａ１の裏面と、遊技板５０の前面５１との間に形成される空間によって、底側のリブ７３５ａ７に接するまで下方に案内された後、リブ７３５ａ７と左右両側に形成された各リブ７３５ａ６とによって排出経路に通じる遊技板５０の貫通孔まで案内される。
【０２０２】
つまり、始動入賞装置７３５の球通路は、本体部７３５ａの内部空間内において、一対の遊技釘Ｑ８，Ｑ９の間を通過した遊技球が、上述のように排出経路に通じる遊技板５０の貫通孔まで案内される経路である。なお、左右両側に形成された各リブ７３５ａ５，７３５ａ６、および、底側のリブ７３５ａ７は、球通路の外縁を形成する機能を果たすとともに、球通路を通過する遊技球を整流する機能を果たす。
【０２０３】
球通路における上端、すなわち、遊技球が一対の遊技釘Ｑ８，Ｑ９の間を通過した後、必ず排出経路に案内されるようになる境界位置での開口が、始動入賞口７２５となる。始動入賞口７２５は、第１実施形態の始動入賞口２５と同様に機能する入球口である。つまり、始動入賞口７２５は、遊技球が入球（通過）したことで、その特典として、大当たり等の抽選が行われるとともに賞球の払い出しが行われる入球口である。
【０２０４】
本体支持部７３５ｂは、上面が開放された断面コの字状に構成され、図１２（ｂ）に示すように、その後端側が前面５１から遊技板５０に入り込んだ形で取り付けられる。本体支持部７３５ｂの外周壁には、本体支持部７３５ｂを遊技板５０に取り付けるための取付部７３５ｂ１が設けられている。図１２に示す例では、取付部７３５ｂ１は、遊技機正面視における本体支持部７３５ｂの左右両側の外周壁７３５ｂ２と、底側の外周壁７３５ｂ３との３箇所にそれぞれ設けられている。取付部７３５ｂ１は、ビス７０１を挿通可能な挿通口を有する。始動入賞装置７３５は、本体支持部７３５ｂが取付部７３５ｂ１の挿通口に挿通されたビス７０１によって遊技板５０に固定されることで、遊技板５０に取り付けられる。
【０２０５】
本体支持部７３５ｂにおける外周壁７３５ｂ２，７３５ｂ３の内側には、本体部７３５ａを収容する収容空間が形成される。よって、本体支持部７３５ｂは、収容空間に収容された本体部７３５ａを下方から支える。
【０２０６】
本体支持部７３５ｂには、左右両側の各外周壁７３５ｂ２の上側端部から、外周壁７３５ｂ２の内壁より内側に突出する突出部７３５ｂ５が設けられている。突出部７３５ｂ５は、収容空間に収容された本体部７３５ａが上側から脱落しないようストッパの役割を果たす。
【０２０７】
本体部７３５ａは、遊技機正面視における前方側の開放部分から収容空間に挿入され、前板７３５ａ１が本体支持部７３５ｂより前方に突出した状態で収容空間に収容される。収容空間に収容された本体部７３５ａの後端側は、前面５１から遊技板５０に入り込んでいる。収容空間に収容された本体部７３５ａは、パチンコ機１０の製造時において、本体支持部７３５ｂに対する相対位置が最終的に固定されるまでの間は、本体支持部７３５ｂに対して遊技機正面視における前方または後方向に移動させることができ、それにより、本体支持部７３５ｂに対する相対位置を変化させることができる。
【０２０８】
詳細は後述するが、本実施形態のパチンコ機１０は、本体支持部７３５ｂに対する本体部７３５ａの相対位置を変化させることで、始動入賞口７２５の入口として機能する一対の遊技釘Ｑ８，Ｑ９を好適な位置に位置決めできるよう構成される。
【０２０９】
本体支持部７３５ｂの底側の外周壁７３５ｂ３における後端側の内壁には、断面鋸歯状の係合部７３５ｂ６が形成されている。一方、本体部７３５ａの底壁７３５ａ２には、係合部７３５ｂ６に対応した位置に、係合部７３５ｂ６の対となる断面鋸歯状の係合部７３５ａ８が形成されている。
【０２１０】
本体部７３５ａが収容空間に収容された状態において、本体部７３５ａの係合部７３５ａ８は、本体支持部７３５ｂの係合部７３５ｂ６に係合される。よって、パチンコ機１０の製造時において、本体支持部７３５ｂに対する相対位置を変化させることで好適な本体部７３５ａの位置が決められた場合、その後に本体部７３５ａの位置が最終的に固定されるまでの間、好適とされた本体部７３５ａの位置を、係合部７３５ａ８と係合部７３５ｂ６との係合によって仮保持することができる。これにより、好適とされた位置にて本体部７３５ａを作業者の手で保持し続けるなどの手間を防ぐことができる。
【０２１１】
本体支持部７３５ｂにおける左右の外周壁７３５ｂ２にそれぞれ設けられた突出部７３５ｂ５には、当該突出部７３５ｂ５の上面から下面まで貫通する貫通孔７３５ｂ７が形成されている。よって、図１２（ｃ）に示すように、本体部７３５ａが収容空間に収容された状態において、貫通孔７３５ｂ７を上面側から臨む底には、側壁７３５ａ３と外周壁７３５ｂ２との境界部分が露出している。
【０２１２】
これにより、パチンコ機１０の製造時において、本体支持部７３５ｂに対する本体部７３５ａの相対位置が好適化された場合、エポキシ樹脂などの硬化性樹脂を貫通孔７３５ｂ７から注入し、側壁７３５ａ３と外周壁７３５ｂ２との境界部分に樹脂を浸入させて硬化させることで、好適化された本体部７３５ａの位置を最終的に固定することができる。
【０２１３】
釘カバー部７３５ｃは、始動入賞装置７３５の上方に設けられた一対の遊技釘Ｑ８，Ｑ９の各頭部１０２の周囲を囲う（覆う）釘カバーとして機能する部分である。以下では、便宜的に、遊技釘Ｑ８の頭部１０２の周囲を覆う釘カバー部７３５ｃを、釘カバー部７３５ｃＡと称し、遊技釘Ｑ８の頭部１０２の周囲を覆う釘カバー部７３５ｃを、釘カバー部７３５ｃＢと称することがある。
【０２１４】
遊技釘Ｑ８の頭部１０２の周囲を覆う釘カバー部７３５ｃＡは、本体部７３５ａにおける前板７３５ａ１の左端側の上端に連設される。一方、遊技釘Ｑ９の頭部１０２の周囲を覆う釘カバー部７３５ｃＢは、前板７３５ａ１右端側の上端に連設される。なお、釘カバー部７３５ｃ（７３５ｃＡ，７３５ｃＢ）の前面側は、例えば、図１２（ｂ）に示すように、前板７３５ａ１の前面と面一の平面とされている。
【０２１５】
図１２（ａ）に示すように、釘カバー部７３５ｃ（７３５ｃＡ，７３５ｃＢ）は、上端を含む縁端部７３５ｃ２が、遊技板５０に対して平行な断面が円形である収容部７３５ｃ１と同心円状の円の円弧形状に構成される。第３実施形態の上側縁端部５３５ｂ２が略半円の円弧形状であったのに対し、縁端部７３５ｃ２を構成する円弧は半円以上の円弧であるが、縁端部７３５ｃ２は、上側縁端部５３５ｂ２と同様の効果を奏する。つまり、遊技釘Ｑ８，Ｑ９に対し、かかる縁端部７３５ｃ２を有する釘カバー部７３５ｃを取り付けた場合であっても、遊技球の流下挙動に関して遊技者が感じる違和感を好ましい程度に抑制することができる。
【０２１６】
釘カバー部７３５ｃＡ，７３５ｃＢの各裏面（取り付け状態において遊技板５０に対向する面）には、それぞれ、遊技釘Ｑ８または遊技釘Ｑ９の頭部１０２を収容可能に凹んだ収容部７３５ｃ１が形成されている。より詳細には、収容部７３５ｃ１は、収容部７３５ｃ１の底面を上面とし、収容部７３５ｃ１の開口を底面とする円錐台の形状に構成される。
【０２１７】
収容部７３５ｃ１の開口および底面の各中心を通る断面のうち、円錐台の斜面部に相当する直線は、図１２（ｃ）に示すように、収容部７３５ｃ１の開口側から底面に向けて緩やかに狭まる（つまり、収容部７３５ｃ１の開口側から底面に向かう単位長さに対する、当該向きに直交する向きの変化量が、前記単位長さより短い）形状に構成される。また、収容部７３５ｃ１は、遊技釘Ｑ７または遊技釘Ｑ８の頭部１０２を前方から収容可能な深さに構成される。
【０２１８】
始動入賞装置７３５をビス７０１で遊技板５０に取り付けることで、遊技釘Ｑ８，Ｑ９の各頭部１０２が、それぞれ対応する釘カバー部７３５ｃ（７３５ｃＡ，７３５ｃＢ）の収容部７３５ｃ１の開口から挿入され、それにより、各頭部１０２を収容部７３５ｃ１に収容することができる。
【０２１９】
よって、始動入賞装置７３５がビス７０１で遊技板５０に取り付けられた（すなわち、固定された）状態において、釘カバー部７３５ｃＡ，７３５ｃＢは、それぞれ、各収容部７３５ｃ１が遊技釘Ｑ８または遊技釘Ｑ９の頭部１０２の周囲（より詳細には、頭部１０２の前面側、および、頭部１０２における軸部１０１Ａの中心軸線に交差する方向側）を囲う。このように、遊技釘Ｑ８または遊技釘Ｑ９の頭部１０２の周囲が収容部７３５ｃ１の内壁によって囲われるので、当該内壁が邪魔となって遊技釘Ｑ８，Ｑ９を曲げる不正行為を行い難くすることができる。
【０２２０】
なお、釘カバー部７３５ｃのうち、遊技釘Ｑ８に対する釘カバー部７３５ｃＡの収容部７３５ｃ１は、始動入賞装置７３５が遊技板５０に取り付けられた状態において、遊技釘Ｑ８の頭部１０２が、遊技機正面視における右側（すなわち、対となる遊技釘Ｑ９に近い側）の内壁に近接または接触するよう設計されている。
【０２２１】
一方、遊技釘Ｑ９に対する釘カバー部７３５ｃＢの収容部７３５ｃ１は、始動入賞装置７３５が遊技板５０に取り付けられた状態において、遊技釘Ｑ９の頭部１０２が、遊技機正面視における左側（すなわち、対となる遊技釘Ｑ８に近い側）の内壁に近接または接触するよう設計されている。
【０２２２】
より詳細には、釘カバー部７３５ｃＡ，７３５ｃＢの各収容部７３５ｃ１は、係合部７３５ａ８と係合部７３５ｂ６とが係合する範囲内で本体部７３５ａを移動させた場合に、遊技釘Ｑ８，Ｑ９の頭部１０２が、当該範囲内の少なくとも一部において、対になる遊技釘に近い側の内壁に接触するよう設計されている。本実施形態のパチンコ機１０では、その製造時において、収容部７３５ｃ１が上述のように設計された釘カバー部７３５ｃを利用することで、遊技釘Ｑ８，Ｑ９を適切に位置決めできるよう構成されている。
【０２２３】
ここで、図１３を参照して、釘カバー部７３５ｃ（７３５ｃＡ，７３５ｃＢ）を利用した遊技釘Ｑ８，Ｑ９の位置決めについて説明する。図１３は、図１２（ｃ）における、釘カバー部７３５ｃＡ付近の拡大断面図である。図１３において、実線で示した釘カバー部７３５ｃＡは、本体支持部７３５ｂに対して本体部７３５ａが所定位置にある場合を示す。一方、二点鎖線は、上記所定位置の本体部７３５ａを後方にスライドさせたときの収容部７３５ｃ１の位置を示す。
【０２２４】
収容部７３５ｃ１は、収容部７３５ｃ１の開口側から底面に向けて狭まる円錐台形状に構成されるので、遊技釘Ｑ８が、収容部７３５ｃ１の内壁における遊技釘Ｑ９に近い側（図１３における右側）にて接した状態で、本体部７３５ａを後方にスライド（すなわち、ビス７０１により固定された本体支持部７３５ｂに対して相対的に後方に移動）させた場合には、遊技釘Ｑ８は、当該遊技釘Ｑ８が接触する内壁によって遊技機正面視における左後方向に押圧される。
【０２２５】
このとき、収容部７３５ｃ１の内壁が、上述したように、開口側から底面に向けて緩やかに狭まる形状であることから、後方向への押圧は無視できる程度となり、遊技釘Ｑ８は，実質的に左方向に押圧される。以下では、本体部７３５ａを後方にスライドさせたことに伴う、収容部７３５ｃ１の内壁による遊技釘Ｑ８の押圧方向を、実質的な押圧方向である左方向であるとして説明する。つまり、本体部７３５ａが、遊技釘Ｑ８の頭部１０２が収容部７３５ｃ１に接した状態で、本体部７３５ａが後方にスライドされた場合、遊技釘Ｑ８は、図１３に示すように、収容部７３５ｃ１の内壁によって左方向に押圧される。
【０２２６】
同様に、遊技釘Ｑ９が、収容部７３５ｃ１の内壁における遊技釘Ｑ８に近い側にて接した状態で、本体部７３５ａを後方にスライドさせた場合には、遊技釘Ｑ９は、当該遊技釘Ｑ９が接触する内壁によって遊技機正面視における右後方向に押圧される。このとき、上述した遊技釘Ｑ８の場合と同様の理由で、後方向への押圧は無視できる程度であるので、遊技釘Ｑ９は，実質的に右方向に押圧される。以下では、本体部７３５ａを後方にスライドさせたことに伴う、収容部７３５ｃ１の内壁による遊技釘Ｑ９の押圧方向を、実質的な押圧方向である右方向であるとして説明する。
【０２２７】
よって、始動入賞装置７３５がビス７０１で遊技板５０に取り付けられた状態において、本体部７３５ａを後方にスライドさせた場合、遊技釘Ｑ８および遊技釘Ｑ９は、それぞれ、遊技機正面視における左方向および右方向へ押圧されるので、遊技釘Ｑ８および遊技釘Ｑ９を、それぞれ左方向および右方向に動かすことができる。これにより、遊技釘Ｑ８と遊技釘Ｑ９との間隔（より詳細には、各遊技釘Ｑ８，Ｑ９における遊技球が当接する当接部１１４の間隔）を広げることができる。
【０２２８】
従って、パチンコ機１０の製造時に、遊技釘Ｑ８，Ｑ９が遊技板５０に打ち付けられた後で、これら遊技釘Ｑ８，Ｑ９の間隔を好適な広さ（すなわち、設計許容範囲内の間隔）に調整することができる。上述したように、遊技釘Ｑ８，Ｑ９の間隔が好適な広さとなるよう、本体部７３５ａの位置が調整された後は、硬化性樹脂を貫通孔７３５ｂ７から注入することで、本体部７３５ａの位置が調整後の好適な位置にて最終的に固定される。これにより、遊技釘Ｑ８，Ｑ９の間隔が適切に調整された後に本体部７３５ａが移動され、それにより、遊技釘Ｑ８，Ｑ９の間隔が不適切な広さとなることを抑制できる。
【０２２９】
ここで、上述した第５実施形態の始動入賞装置７３５が取り付けられたパチンコ機１０に係る作用及び効果を説明する。
【０２３０】
第５実施形態のパチンコ機１０によれば、収容部７３５ｃ１が、開口側から底面に向けて緩やかに狭まる円錐台形状とされるので、本体部７３５ａを後方にスライドさせ（すなわち、遊技釘Ｑ８，Ｑ９に対して釘カバー部７３５ｃを後方に移動させ）、それにより、遊技釘Ｑ８，Ｑ９がそれぞれ左方および右方に動かされる。よって、本体部７３５ａを後方にスライドさせることで、遊技釘Ｑ８，Ｑ９の間隔を広げることができる。
【０２３１】
よって、製造時に、本体部７３５ａを後方にスライドさせて遊技釘Ｑ８，Ｑ９の間隔を調整することで、当該間隔が好適な広さ（すなわち、設計許容範囲内の間隔）となるよう、遊技釘Ｑ８，Ｑ９を位置決めすることができる。よって、パチンコ機１０の製造時に、設計許容範囲外の間隔で取りつけられていた遊技釘Ｑ８，Ｑ９が、設計許容範囲内の間隔となるよう位置決めされたことで、パチンコ機１０を、設計許容範囲内の性能を有するパチンコ機として出荷することができる。
【０２３２】
また、本体部７３５ａは、始動入賞装置７３５の一部として、本体支持部７３５ｂに対する相対位置が好適に決められた後も、その位置にて最終的な固定を行うことで、取り外されることなく残すことができる。よって、遊技釘Ｑ８，Ｑ９の位置決めに利用した部材を、当該位置決め後に取り外す必要がなく、取り外す処理や取り外し後の処理に要する手間を省くことができる。
【０２３３】
また、本体部７３５ａは、係合部７３５ａ８が、係合部７３５ｂ６により誘導されながら前方または後方にスライドさせることができる。これにより、遊技釘Ｑ８，Ｑ９に対する本体部７３５ａの移動方向は、係合部７３５ａ８および係合部７３５ｂ６によって規制されるので、本体部７３５ａのスライドによる遊技釘Ｑ８，Ｑ９が動く方向を一定的にすることができる。これにより、遊技釘Ｑ８，Ｑ９の位置決めに対する汎用性を高めることができる。
【０２３４】
また、収容部７３５ｃ１は、その内壁が、遊技釘Ｑ８または遊技釘Ｑ９の頭部１０２の周囲（より詳細には、頭部１０２の前面側、および、頭部１０２における軸部１０１Ａの中心軸線に交差する方向側）を囲う。このように、釘カバー部７３５ｃ（７３５ｃＡ，７３５ｃＢ）は、遊技釘Ｑ８，Ｑ９に対する不正な曲げ行為を抑制する機能と、遊技釘Ｑ８，Ｑ９を適切に位置決めできる機能との両方を有する。
【０２３５】
また、本体部７３５ａは、本体支持部７３５ｂに対して遊技機正面視における前方または後方向に移動されるものであるので、本体支持部７３５ｂに対する本体部７３５ａの相対位置がいずれであるかにかかわらず、本体部７３５ａ（より詳細には、始動入賞装置７３５）の、遊技機正面視における遊技板５０上での配置に変化がないので、遊技板５０の全体的な見栄えが大きく変わらず、遊技者に違和感を与えることを抑制できる。よって、遊技者に違和感を与えずに設計許容範囲内の性能となるよう遊技釘Ｑ８，Ｑ９を位置決めすることができる。
【０２３６】
また、収容部７３５ｃ１が設けられる本体部７３５ａを後方にスライドさせて遊技釘Ｑ８，Ｑ９の頭部１０２を収容部６３５ｃ１の内部に収容する構成であるので、遊技釘Ｑ８，Ｑ９の頭部１０２の位置が設計許容範囲から大きく外れている場合には、スライド操作をしても収容部７３５ｃ１に遊技釘Ｑ８，Ｑ９の頭部１０２が収容されずに、周辺部分に干渉することとなる。このため、本体部７３５ａを設計許容範囲内に達するまでスライドさせることができなかったり、そのスライド操作によって本体部７３５ａの一部が遊技釘Ｑ８，Ｑ９の頭部１０２と干渉して破損し易い。よって、本体部７３５ａのスライド操作によって設計許容範囲から遊技釘Ｑ８，Ｑ９の頭部１０２が外れていることを検出し易くすることができる。
【０２３７】
なお、第５実施形態に係る上記説明では、遊技釘Ｑ８，Ｑ９として、遊技釘１００Ａを例示したが、遊技釘１００Ｄを用い、溝部１１５，１１６の長手方向が曲げたい方向に対して直交するように遊技板５０に取り付けることで、収容部７３５ｃ１の内壁による押圧で遊技釘Ｑ８，Ｑ９が曲がり易くなるので、本体部７３５ａのスライドによる遊技釘Ｑ８，Ｑ９の調整を行い易くできる。
【０２３８】
＜第６実施形態＞
次に、図１４から図１９を主に参照して、第６実施形態について説明する。上述した第１実施形態に係るパチンコ機１０では、発射通路３１の出口近傍に、遊技釘１００Ｃを、第１軸部１０１Ｃａにおける頂点１０１Ｃａ１が上側を向くような向きで取り付けることで、糸を取り付けた遊技球を用いる不正行為を抑制する構成とした。
【０２３９】
これに対し、第６実施形態に係るパチンコ機１０では、戻り球防止機構８００を用いて、糸を取り付けた遊技球を用いる不正行為を抑制する。なお、以下の説明において、第１〜第５実施形態における構成と同一の構成については同一の符号を付して説明を省略し、上記各実施形態と異なる部分を説明する。
【０２４０】
まず、図１４から図１６を参照して、戻り球防止機構８００における主な構造的構成について説明する。図１４は、遊技盤２０（遊技板５０）における戻り球防止機構８００付近の拡大正面図である。なお、図１４においては、非作動状態におけるゲート部材８１０を実線で示す一方で、最大の作動状態におけるゲート部材８１０を一点鎖線で示す。また、図１４においては、２つの遊技球Ｐ１，Ｐ２を合わせて図示している。一方、図１５は、戻り球防止機構８００の分解斜視図である。
【０２４１】
また、図１６は、ゲート部材８１０が非作動状態にあるときの戻り球防止機構８００を遊技機正面視における左方向から見た側面図である。なお、図１６においては、遊技盤２０（遊技板５０）に取り付けられた状態の戻り球防止機構８００を図示しており、ガラス板１１や、内レール２９ｂの先に配列された複数の遊技釘１００Ａのうち、戻り球防止機構８００の近傍に位置する遊技釘１００Ａを合わせて図示している。また、図１６においては、開閉部８１１ａおよび突出部８１１ｅの機能を説明する上での参考として、遊技球に取り付けられた糸８５０や遊技球Ｐを合わせて図示している。
【０２４２】
戻り球防止機構８００は、上述した戻り球防止機構３２と同様、内レール２９ｂの先に配列された複数の遊技釘１００Ａの先端側に取り付けられ、発射通路３１から遊技領域２１内へ一旦放出された遊技球が発射通路３１に戻ることを防止するものである。戻り球防止機構８００は、発射通路３１の出口の広さを変動させる板状の開閉部８１１ａを有するゲート部材８１０と、そのゲート部材８１０を回動可能に支持する支持部材８２０とを主に備えている。
【０２４３】
まず、戻り球防止機構８００におけるゲート部材８１０について説明する。ゲート部材８１０は、図１５に示すように、ポリアセタール樹脂などの樹脂を射出成形した樹脂体８１１と、その樹脂体８１１の錘部８１１ｂに付設された錘８１２とから構成される。
【０２４４】
樹脂体８１１の中心部には、貫通形成された円筒状の軸穴８１１ｃが設けられている。軸穴８１１ｃには、遊技板５０の側から前方（すなわち、ガラス板１１の側）に向けて突設される支点ピン８２２の軸部８２２ａが挿通され、それにより、ゲート部材８１０は、支点ピン８２２により回動可能に支持される。
【０２４５】
樹脂体８１１において、軸穴８１１ｃには、薄板状に形成された開閉部８１１ａが延設されている。開閉部８１１ａは、根元側（すなわち、支点ピン８２２が挿通される軸穴８１１ｃの側）が、内レール２９ｂの先に配列された複数の遊技釘１００Ａの先端側に配置される。
【０２４６】
開閉部８１１ａは、ゲート部材８１０（開閉部８１１ａ）が非作動状態にあるときの位置である初期位置（図１４の実線で示す位置）において、根元側から先端（図１５に示す先端８１１ａ１）側に向かうにつれて、遊技領域２１の側に向かい、外レール２９ａからの距離が次第に短くなるよう配置される。このとき、開閉部８１１ａの先端８１１ａ１（図１５参照）から外レール２９ａまでの距離（すなわち、先端８１１ａ１から外レール２９ａに対して下ろした垂線の長さ）は、遊技球の直径より短い。
【０２４７】
つまり、開閉部８１１ａは、初期位置において、発射通路３１の出口付近に、遊技球の直径より狭い部分が創出されるよう配置される。よって、開閉部８１１ａが初期位置にある場合、発射通路３１を通って遊技領域２１側へ向かう遊技球（例えば、図１４に示す遊技球Ｐ１）は、開閉部８１１ａにおける発射通路３１側の面に当接（衝突）する。
【０２４８】
遊技領域２１側へ向かって上側へと発射通路３１を進行する遊技球が、開閉部８１１ａに当接した場合、当該遊技球が遊技領域２１側へと進むにつれ、開閉部８１１ａが遊技球によって遊技領域２１側へと押す。これにより、ゲート部材８１０は、支点ピン８２２を軸として、開閉部８１１ａが遊技領域２１側に移動するように、すなわち、図１４における時計回り方向に回動（作動）する。
【０２４９】
遊技領域２１側に向かう遊技球によってゲート部材８１０が作動されると、開閉部８１１ａは、遊技球が遊技領域２１側へと進むにつれて、当該遊技球によって遊技領域２１側へと押し退けられ、それにより、開閉部８１１ａの先端８１１ａ１から外レール２９ａまでの距離が次第に広げられる。なお、以下の説明では、先端８１１ａ１から外レール２９ａまでの距離が次第に広がるよう動く、開閉部８１１ａの動作を「開閉部８１１ａの開放」と称することがある。
【０２５０】
開閉部８１１ａが遊技球によって押し退けられて開放される過程において、開閉部８１１ａが、当該開閉部８１１ａと外レール２９ａとの間を遊技球が通過可能な状態まで開放されると、開閉部８１１ａを押し退けていた遊技球は、開閉部８１１ａと外レール２９ａとの間（より詳細には、先端８１１ａ１と外レール２９ａとの間）を通り抜け、それにより、例えば、図１４に示す遊技球Ｐ２のように遊技領域２１側に進入する。
【０２５１】
なお、以下において、遊技領域２１側に向かって発射通路３１を進む遊技球が開閉部８１１ａと外レール２９ａとの間を通過可能な開閉部８１１ａの状態を「第１状態」と称す。当該「第１状態」は、発射通路３１側から遊技領域２１側への遊技球の進入を許容する開閉部８１１ａの状態（詳細には、その遊技球の進入を許容する場合に開閉部８１１ａが非作動状態から一定量動作した状態）とも言える。
【０２５２】
ここで、糸８５０が取り付けられている遊技球（例えば、後述する図１７に示す遊技球Ｐ３）が発射装置から発射され、ゲート部材８１０の開閉部８１１ａを押し退けて発射通路３１側から遊技領域２１側に進入した場合、当該遊技球に取り付けられた糸８５０は、当該遊技球の軌跡に連動して、開閉部８１１ａの先端８１１ａ１側を、発射通路３１の側（図１６における紙面手前側）から遊技領域２１の側（図１６における紙面奥側）に跨ぐ。
【０２５３】
開閉部８１１ａには、その先端８１１ａ１（すなわち、軸穴８１１ｃから離れる側の端）の側に、薄板状の開閉部８１１ａにおける面側から見て、当該開閉部８１１ａの根元側（又は、遊技領域２１内へ進入する遊技球の進行方向とは逆側）に向かって狭まる略Ｖ字状の切欠き部８１１ａ２が形成されている。本実施形態の樹脂体８１１には、３つの切欠き部８１１ａ２が開閉部８１１ａに形成されている。よって、糸８５０が、開閉部８１１ａの先端８１１ａ１における切欠き部８１１ａ２の形成位置を跨いだ場合、切欠き部８１１ａ２には、発射通路３１の側から遊技領域２１の側に（すなわち、支点ピン８２２の軸方向に対して交差する向きに）渡る糸８５０が受け入れられる。
【０２５４】
開閉部８１１ａを押し退けて遊技領域２１に進入した遊技球は、その自重によって遊技領域２１を流下するので、開閉部８１１ａの先端８１１ａ１を跨いだ糸８５０は、当該糸８５０が取り付けられた遊技球によって下方に引っ張られ、切欠き部８１１ａ２における略Ｖ字の底側（すなわち、開閉部８１１ａの根元に向かう側）に向かって入り込んでいく。
【０２５５】
詳細は後述するが、遊技球に取り付けられた糸８５０が切欠き部８１１ａ２に入り込んだ場合（詳細には、切欠き部８１１ａ２に対して糸８５０が摺動しない場合であって相対移動が制限された場合）、当該糸８５０が開閉部８１１ａを遊技領域２１側に引っ張り、それにより、開閉部８１１ａを最大に開放された状態（または、それに近い状態）に維持することができる。
【０２５６】
その一方で、糸８５０が、先端８１１ａ１における切欠き部８１１ａ２が形成されていない位置を跨ぐ場合、当該糸８５０は、図１６に示すように、先端８１１ａ１に当接する。糸８５０は、当該糸８５０が取り付けられた遊技球によって下方に引っ張られるため、先端８１１ａ１に引っ掛かった状態となる。
【０２５７】
なお、遊技球に取り付けられた糸８５０が開閉部８１１ａの先端８１１ａ１側を跨ぐ状況では、当該遊技球は、開閉部８１１ａを押し退けて遊技領域２１に進入しているので、ゲート部材８１０が非作動状態にない（すなわち、開閉部８１１ａが初期位置にない）と考えられる。
【０２５８】
しかしながら、遊技機正面視における左方向から見た開閉部８１１ａの形状の差異は、ゲート部材８１０が非作動状態である場合と、ゲート部材８１０が作動状態である場合（すなわち、開閉部８１１ａが初期位置より開放されている場合）とで、糸８５０と開閉部８１１ａとの位置関係を説明する上で無視できるほど小さい。よって、以下の説明では、糸８５０と開閉部８１１ａとの位置関係について、ゲート部材８１０が非作動状態にない場合を示す図１６を参照して説明する。
【０２５９】
開閉部８１１ａの先端８１１ａ１は、図１６に示すように、遊技機正面視における後方側（すなわち、遊技板５０に近い側）から前方側（すなわち、ガラス板１１に近い側）に向かうにつれて、開閉部８１１ａの根元側（すなわち、支点ピン８２２が挿通される軸穴８１１ｃの側）に次第に近づく傾斜に形成される。なお、遊技盤２０（遊技板５０）に取り付けられている戻り球防止機構８００において、上記「開閉部８１１ａの根元側に次第に近づく傾斜」は、下降傾斜に相当する。
【０２６０】
このように、開閉部８１１ａの先端８１１ａ１は、前方側に向かうにつれて下降傾斜するよう構成されるので、後方側（すなわち、遊技板５０に近い側）から各切欠き部８１１ａ２の形成位置に向かう傾斜は、いずれも、前方に隣接する切欠き部８１１ａ２に向けて下降する（つまり、開閉部８１１ａの根元側に近づく）傾斜となる。
【０２６１】
かかる先端８１１ａ１の傾斜によれば、先端８１１ａ１を発射通路３１の側から遊技領域２１の側に跨ぐ（先端８１１ａ１に引っ掛かった）糸８５０を、当該糸８５０より傾斜の下流側に位置する切欠き部８１１ａ２の方へ誘導することができる。これにより、糸８５０が開閉部８１１ａの先端８１１ａ１を跨いだ場合に、当該糸８５０を切欠き部８１１ａ２に入り込み易くすることができる。
【０２６２】
特に、発射装置から発射される遊技球に糸８５０が取り付けられている場合、不正行為者が、上側の球皿１３から出ている糸８５０を引っ張ったり緩めたりすることで、当該糸８５０が取り付けられた遊技球を意図的に操ると、開閉部８１１ａの先端８１１ａ１を跨ぐ糸８５０に対しては、前方側（すなわち、ガラス板１１の側）に引く力が働き易い。上述したように、後方側から各切欠き部８１１ａ２の形成位置に向かう傾斜は、いずれも、前方に隣接する切欠き部８１１ａ２に向けて下降する傾斜（下降傾斜）に構成されるので、先端８１１ａ１を跨ぐ糸８５０を、好適に切欠き部８１１ａ２に誘導することができる。
【０２６３】
また、開閉部８１１ａの先端８１１ａ１における、最も前方側に位置する切欠き部８１１ａ２より前方側の傾斜も、前方になるにつれて下降傾斜する。よって、開閉部８１１ａの先端８１１ａ１を跨ぐ糸８５０が、当該先端８１１ａ１の傾斜に沿って前方に誘導されたものの、糸８５０が切欠き部８１１ａ２に入らなかった場合には、先端８１１ａ１における前方側の端（すなわち、ガラス板１１側の端）を越え、開閉部８１１ａにおける前方側の端辺８１１ａ３とガラス板１１との隙間８６１に入るよう誘導される。
【０２６４】
隙間８６１に入った糸８５０（例えば、図１６における糸８５０Ａ）は、隙間８６１内を、端辺８１１ａ３が延びる方向（すなわち、開閉部８１１ａの根元側に向かう方向）に沿って下方に誘導される。ここで、開閉部８１１ａにおける端辺８１１ａ３は、図１６に示すように、遊技機正面視における左方向（すなわち、図１６の紙面手前側）から見て、支点ピン８２２における前方側先端（すなわち、ガラス板１１側の先端）より前方側に位置する。よって、隙間８６１を下方に誘導された糸８５０（８５０Ａ）は、支点ピン８２２に引っ掛かることなく、支点ピン８２２よりさらに下方側に移動し易くすることができる。
【０２６５】
図１５に示すように、樹脂体８１１において、軸穴８１１ｃには、その軸穴８１１ｃに対し開閉部８１１ａとは逆側となる位置に錘部８１１ｂが延設されている。錘部８１１ｂは、ゲート部材８１０が遊技球によって作動して開放された開閉部８１１ａを、初期位置（図１４の実線で示す位置）の側に復帰させる付勢力を発生する部位として機能する。
【０２６６】
錘部８１１ｂは、その先端（すなわち、軸穴８１１ｃから離れる側の端）側に、遊技機正面視における後方側（すなわち、支持部材８２０を向く側）から前方側に向けて穿設された錘取付穴８１１ｄが設けられている。錘取付穴８１１ｄは、円柱状の錘８１２を圧入可能な円筒状に形成される。錘取付穴８１１ｄには、樹脂体８１１の材料より比重の重い材料（例えば、鉄などの金属）からなる錘８１２が圧入される。これにより、錘部８１１ｂに錘８１２が付設される。
【０２６７】
錘部８１１ｂに錘８１２が付設されたことで、当該錘部８１１ｂは、開閉部８１１ａを初期位置に復帰させるために好適な付勢力を、樹脂体８１１の材料のみで錘部８１１ｂを構成する場合に比べて小さいサイズで実現することができる。これにより、他の部品のレイアウト領域を拡大して遊技領域２１の設計自由度を高めることができる。特に、錘８１２が錘部８１１ｂの先端側に付設されているので、より好適に付勢力を発生させることができる。
【０２６８】
開閉部８１１ａは、遊技領域２１側へ向かう遊技球によって遊技領域２１側に押し退けられたことで第１状態に移行した後、その遊技球が遊技領域２１側に進入したことで開閉部８１１ａを押し退ける力が働かなくなった場合に、錘部８１１ｂにより発生される付勢力によって初期位置の側に向かって回動する。
【０２６９】
詳細は後述するが、錘部８１１ｂは、取付基部８２１ａに立設された壁部８２１ｂの突出部８２１ｂ１によって、当該突出部８２１ｂ１に当接する位置より遊技領域２１側（すなわち、図１４における反時計回り方向）に回動することが規制されている。これにより、錘部８１１ｂにより発生される付勢力によって開閉部８１１ａが初期位置の側に回動された場合に、当該開閉部８１１ａが初期位置を超えて発射通路３１側（すなわち、図１４における反時計回り方向）に回動されることを抑制できる。よって、錘部８１１ｂにより発生される付勢力によって開閉部８１１ａ初期位置に復帰させることができる。
【０２７０】
初期位置に復帰した開閉部８１１ａは、当該初期位置を超えて発射通路３１側に回動できないので、当該開閉部８１１ａに対し、遊技球が遊技領域２１の側から当接（衝突）したとしても、当該遊技球は、開閉部８１１ａが壁となって発射通路３１の側に進入することができない。これにより、戻り球防止機構８００は、発射通路３１から遊技領域２１内へ一旦放出された遊技球が発射通路３１に戻ることを防止できるのである。
【０２７１】
なお、以下において、初期位置の開閉部８１１ａのように、遊技領域２１側から発射通路３１側への遊技球の進入を規制する開閉部８１１ａの状態を「第２状態」と称す。開閉部８１１ａは、遊技領域２１側から発射通路３１側に向かう遊技球によって作動して第１状態に切り替えられるとともに、錘部８１１ｂにより発生される付勢力によって初期位置に復帰することで第２状態に切り替えられる。
【０２７２】
図１５に示すように、樹脂体８１１において、錘部８１１ｂの先端には、錘部８１１ｂにおける前後方向の幅に対して細長く形成された突出部８１１ｅが延設されている。本実施形態の樹脂体８１１には、２つの突出部８１１ｅが前後方向に並べて設けられている。かかる突出部８１１ｅは、図１４に示すように、錘部８１１ｂに対し、発射通路３１側に折れ曲がるように延びている。
【０２７３】
突出部８１１ｅは、開閉部８１１ａが初期位置（図１４の実線で示す位置）にある場合、外レール２９ａとの間隔が遊技球Ｐの直径より大きく設定され、具体的には、内レール２９ｂの先に配列された複数の遊技釘１００Ａより発射通路３１側に突出しないよう配置される。よって、開閉部８１１ａが初期位置にある場合、突出部８１１ｅは、発射通路３１内における遊技球の進行を阻害しない。
【０２７４】
また、図１６に示すように、開閉部８１１ａが初期位置にある場合には、突出部８１１ｅの先端（すなわち、錘部８１１ｂから離れる側の端）と、内レール２９ｂの先に配列された複数の遊技釘１００Ａのうち、最も遊技領域２１側の遊技釘１００Ａ（より詳細には、遊技釘１００Ａの軸部１０１Ａであり、当該遊技釘１００Ａを発射通路先端の遊技釘１００Ａとも称す）との離間距離が、遊技球Ｐの直径より短く設定されている。よって、開閉部８１１ａが初期位置にある場合に、発射通路３１を通過する遊技球が、突出部８１１ｅと遊技釘１００Ａとの間を擦り抜けて遊技領域２１側へと進入することを抑制できる。また、突出部８１１ｅの先端と、発射通路先端の遊技釘１００Ａとの離間距離は、突出部８１１ｅ付近まで進行した遊技球が勢いを失って発射通路３１を逆流する場合に、突出部８１１ｅに下側を支持された状態から発射通路先端の遊技釘１００Ａに下側を支持されて発射通路３１に沿って誘導される距離に設定されている。
【０２７５】
図１６に示すように、遊技機正面視における前後方向に並ぶ２つの突出部８１１ｅは、その間隔が遊技球Ｐの直径より狭くなるよう設定されている。また、各突出部８１１ｅから遊技板５０またはガラス板１１までの間隔もまた、遊技球Ｐの直径より狭くなるよう設定されている。よって、発射通路３１を通過する遊技球が、突出部８１１ｅの間、または、突出部８１１ｅと遊技板５０もしくはガラス板１１との間を擦り抜けて遊技領域２１側へと進入することを抑制できる。
【０２７６】
開閉部８１１ａが初期位置にある場合、突出部８１１ｅは、図１４の実線で示すように、その先端側が、内レール２９ｂの先に配列された複数の遊技釘１００Ａ（より詳細には、遊技釘１００Ａの軸部１０１Ａ）における発射通路３１側の並びに沿って配置され、突出部８１１ｅにおける発射通路３１側の面は、発射通路３１が延びる方向に対して比較的緩やかな傾斜で発射通路３１から離れる方向に傾斜する。よって、突出部８１１ｅは、その発射通路３１側の面が、発射通路３１を遊技領域２１に向かって進行する遊技球を、遊技領域２１へ向けて案内する案内部として機能し得る。
【０２７７】
突出部８１１ｅは、開閉部８１１ａが開放される過程において、開閉部８１１ａの開放動作に伴い作動する。具体的に、突出部８１１ｅは、開閉部８１１ａの開放量が増えるにつれて、発射通路３１の内側（内レール２９ｂの先に配列された複数の遊技釘１００Ａの側）から外側（すなわち、発射通路３１における外レール２９ａの側）に向けて次第に突出する。よって、遊技機正面視における前方側から見て、突出部８１１ｅが発射通路３１に重なる領域は、開閉部８１１ａに連動し、開閉部８１１ａの開放量が増えるにつれて次第に増える。
【０２７８】
突出部８１１ｅが発射通路３１の内側から外側に向けて突出する過程（すなわち、外レール２９ａに近づく方向側に移動する過程）において、突出部８１１ｅが、当該突出部８１１ｅと外レール２９ａとの間を遊技球が擦り抜け不可能な状態まで突出する（すなわち、外レール２９ａに近づく）と、発射通路３１を遊技領域２１側に向かって進行する遊技球は、突出部８１１ｅに当接（衝突）し、それにより、突出部８１１ｅの先端と外レール２９ａとの間を通過することができなくなる。なお、突出部８１１ｅは、錘部８１１ｂに対し、発射通路３１側に折れ曲がるように延びているので、ゲート部材８１０（錘部８１１ｂ）の少ない回動量で、外レール２９ａとの間を遊技球が擦り抜け不可能な状態まで突出することが可能である。
【０２７９】
また、上述のように、錘部８１１ｂから延設された２つの突出部８１１ｅは、前後方向に、上述した間隔となるよう配置されているので、遊技球が突出部８１１ｅの先端と外レール２９ａとの間を通過できない状況において、その遊技球は、突出部８１１ｅの間、または、突出部８１１ｅと遊技板５０もしくはガラス板１１との間を擦り抜けて遊技領域２１側に進入することもできない。
【０２８０】
よって、突出部８１１ｅが、当該突出部８１１ｅと外レール２９ａとの間を遊技球が擦り抜け不可能な状態まで突出すると、それ以降、発射通路３１を遊技領域２１側に向かって進行する遊技球は、突出部８１１ｅによって、遊技領域２１側への進入が阻止される。つまり、発射通路３１を通過する遊技球が遊技領域２１側に進入することを阻止できる機能を有する。
【０２８１】
以下の説明において、発射通路３１の内側から徐々に突出する突出部８１１ｅにおいて、当該突出部８１１ｅと外レール２９ａとの間を遊技球が擦り抜け不可能にする、突出部８１１ｅの位置、すなわち、遊技球の遊技領域２１側への進入を阻止可能な突出部８１１ｅの位置を「阻止位置」と称することがある。
【０２８２】
ここで、例えば、開閉部８１１ａが最大に開放された状態（すなわち、ゲート部材８１０が最大に作動した状態）において、突出部８１１ｅは、図１４の一点鎖線で示すように、発射通路３１の内側から当該発射通路３１の幅方向の略半分程度の位置まで突出する。このとき、突出部８１１ｅの先端（すなわち、錘部８１１ｂから離れる側の端）から外レール２９ａまでの距離は遊技球の直径より狭く、遊技球は突出部８１１ｅと外レール２９ａとの間を擦り抜けることができない。よって、開閉部８１１ａが最大に開放された状態において、突出部８１１ｅは阻止位置に配置されている。
【０２８３】
なお、突出部８１１ｅを阻止位置に配置させることが可能な開閉部８１１ａの状態は、必ずしも最大に開放された状態に限らず、最大よりも小さな開放状態にて突出部８１１ｅが阻止位置に配置されても良いが、少なくとも第１状態の開閉部８１１ａに対しては、突出部８１１ｅが阻止位置に配置されることが好ましい。また、開閉部８１１ａが第１状態にない場合（すなわち、遊技球が発射通路３１側から遊技領域２１側に進入できない状態にある場合）の一部において、突出部８１１ｅが阻止位置に配置されてもよい。
【０２８４】
詳細は後述するが、本実施形態の戻り球防止機構８００によれば、突出部８１１ｅによって遊技領域２１側への進行が阻止されることを利用して、糸が取り付けられた遊技球を用いた不正行為を抑制することができる。
【０２８５】
なお、突出部８１１ｅが阻止位置をとる状態において、突出部８１１ｅの先端（すなわち、錘部８１１ｂから離れる側の端）と、内レール２９ｂの先に配列された複数の遊技釘１００Ａのうち、最も遊技領域２１側の遊技釘１００Ａ（より詳細には、遊技釘１００Ａの軸部１０１Ａ）との離間距離は、遊技球Ｐの直径より短くなるよう設定されている。よって、発射通路３１を通過する遊技球が、突出部８１１ｅと遊技釘１００Ａとの間を擦り抜けて遊技領域２１側へと進入することはない。
【０２８６】
また、発射装置による遊技球の発射間隔は一般的に略０．６秒であり、ゲート部材８１０が遊技球によって作動して開放された開閉部８１１ａが錘部８１１ｂの付勢力によって初期位置に復帰されるまでの間隔は０．６秒より短いため、問題なく遊技が進行する場合において、発射装置から発射された遊技球が突出部８１１ｅに当接（衝突）することはない。
【０２８７】
図１６に示すように、突出部８１１ｅは、切欠き部８１１ａ２の形成位置に対し、前後方向（図１６における左右方向）にずれた位置に設けられている。これにより、遊技球に取り付けられた糸が切欠き部８１１ａ２に受け入れられた（すなわち、切欠き部８１１ａ２に糸が入り込んだ）場合に、例えば、一点鎖線Ｓで示すように、当該糸における発射通路３１側（図１６における紙面手前側）の部分を突出部８１１ｅに当接し難くすることができる。
【０２８８】
詳細は後述するが、本実施形態の戻り球防止機構８００によれば、遊技球に取り付けられた糸が切欠き部８１１ａ２に糸が入り込むことで、開閉部８１１ａを、最大に開放された状態（または、それに近い状態）に維持させることができる。しかしながら、開閉部８１１ａを跨ぐ糸のうち発射通路３１側の部分が、突出部８１１ｅを発射通路３１側から遊技領域２１側へ押し戻され、それにより、突出部８１１ｅによる遊技球の阻止機能が失われて、遊技の継続が可能になる状況が生じ得る。
【０２８９】
これに対し、突出部８１１ｅを、切欠き部８１１ａ２の形成位置に対し、前後方向にずらして設けたことで、糸による突出部８１１ｅの押し戻しが生じ難く、突出部８１１ｅによる遊技球の阻止機能が失われる状況を、好適に抑制できる。
【０２９０】
次に、戻り球防止機構８００における支持部材８２０について説明する。支持部材８２０は、図１５に示すように、遊技板５０の前面５１に沿った板状の取付基部８２１ａを有するベース部材８２１と、ベース部材８２１に対し遊技機正面視における前方側（図１４における紙面手前側）に向けて突設される支点ピン８２２とから構成される。
【０２９１】
ベース部材８２１は、ポリカーボネートなどの樹脂からなり、板状に形成された取付基部８２１ａと、取付基部８２１ａから略コの字状の断面形状で突出する壁部８２１ｂと、遊技機正面視における壁部８２１ｂの下前側から突出する糸受け部８２１ｃとを備えている。
【０２９２】
取付基部８２１ａの上下２箇所には、ビス８３１を挿通可能な挿通口８２１ａ１が形成されている。戻り球防止機構８００は、ベース部材８２１が取付基部８２１ａの挿通口８２１ａ１に挿通されたビス８３１によって遊技板５０に固定されることで、遊技板５０に取り付けられる。
【０２９３】
また、取付基部８２１ａの中央部には、支点ピン８２２の先端に形成されたねじ部８２２ｂがねじ込まれる支点穴８２１ａ２が穿設されている。ゲート部材８１０の軸穴８１１ｃに挿通された支点ピン８２２のねじ部８２２ｂを支点穴８２１ａ２にねじ込むことで、ゲート部材８１０を、支点穴８２１ａ２の縁と、支点ピン８２２の頭部８２２ｃとの間に、支点ピン８２２に対して回動可能に支持することができる。
【０２９４】
なお、必ずしも支点ピン８２２によってゲート部材８１０を回動可能に支持する必要はなく、他の構成としても良い。例えば、遊技板５０に先端部が固定される軸部材によってゲート部材８１０を回動可能に支持してもよい。また、支点ピン８２２の先端部についても、ねじ部を有さずに、取付基部８２１ａ又は遊技板５０に打ち込み固定される尖った先端部を有する釘状の支点ピンとしても良い。
【０２９５】
ベース部材８２１の壁部８２１ｂは、図１４に示すように、ゲート部材８１０を向く側の壁面が、遊技機正面視においてゲート部材８１０の錘部８１１ｂの外形に沿った形状に形成されている。壁部８２１ｂは、錘部８１１ｂより遊技領域２１側に位置し、錘部８１１ｂと遊技領域２１とを区画する壁として機能する。つまり、遊技領域２１内に一旦進入した遊技球は、遊技釘１００Ａや遊技釘１００Ｃなどに衝突したことで錘部８１１ｂの方向へ向かったとしても、壁部８２１ｂが壁となって、その遊技球が錘部８１１ｂに衝突（当接）することはない。
【０２９６】
遊技球が遊技領域２１側から錘部８１１ｂに当接することがあれば、錘部８１１ｂが発射通路３１側（すなわち、図１４における時計回り方向）に回動し、その結果として、開閉部８１１ａが開放されるという状況が生じ得るが、戻り球防止機構８００は、壁部８２１ｂを設けたことで、発射通路３１を通過する遊技球とは無関係に（すなわち、意図しない状況下で）開閉部８１１ａが開放されることを抑制できる。
【０２９７】
また、壁部８２１ｂにおけるゲート部材８１０を向く側の壁面を錘部８１１ｂの外形に倣う形状とすることで、壁部８２１ｂを錘部８１１ｂに近接させて設けることができ、それにより、壁部８２１ｂが遊技領域２１側に突出する範囲を小さく抑えることができる。よって、遊技領域２１が戻り球防止機構８００の設置によって狭められることを抑制できるので、遊技領域２１における他の部品をレイアウトするための領域が広がり、遊技盤２０の設計自由度を高めることができる。
【０２９８】
なお、壁部８２１ｂは、必ずしも支持部材８２０（ベース部材８２１）に形成する必要はなく、錘部８１１ｂの外形に倣う部分を有するものであれば、他の部材で形成してもよい。例えば、錘部８１１ｂの外形に倣って複数の釘部材（例えば、遊技釘１００Ａ）を遊技板５０に立設させることで形成してもよい。また、壁部８２１ｂは、必ずしも、錘部８１１ｂの外形に倣う部分を有するものとする必要はなく、ゲート部材８１０の錘部８１１ｂに遊技領域２１側から遊技球が当接しない大きさ及び形状であれば他の大きさ及び形状に構成しても良い。また、壁部８２１ｂは、ゲート部材８１０の突出部８１１ｅにも、遊技領域２１側から遊技球が当接しない大きさ及び形状に構成されることが好ましく、これにより、発射通路３１を通過する遊技球とは無関係に（すなわち、意図しない状況下で）開閉部８１１ａが開放されることを好適に抑制できる。
【０２９９】
壁部８２１ｂには、図１５に示すように、ゲート部材８１０を向く側の壁面における支点穴８２１ａ２の下方に、前後方向の筋状に突出する突出部８２１ｂ１が形成されている。突出部８２１ｂ１は、ゲート部材８１０の錘部８１１ｂが、突出部８２１ｂ１に当接する位置より遊技領域２１側（すなわち、図１４における反時計回り方向）に回動（移動）することを規制する規制部として機能する部位である。
【０３００】
よって、初期位置にある開閉部８１１ａに対し、遊技領域２１側から遊技球が衝突（当接）することがあったとしても、開閉部８１１ａが発射通路３１側（すなわち、図１４における反時計回り方向）に回動されることはない。これにより、錘部８１１ｂによる付勢力によって初期位置に復帰した開閉部８１１ａに対し、遊技球が遊技領域２１の側から当接（衝突）したとしても、当該遊技球は、開閉部８１１ａが壁となって発射通路３１の側に進入することができない。よって、戻り球防止機構８００によれば、発射通路３１から遊技領域２１内へ一旦放出された遊技球が発射通路３１に戻ることを防止することができる。
【０３０１】
なお、突出部８２１ｂ１のような、ゲート部材８１０の錘部８１１ｂの遊技領域２１側への回動を規制する規制部は、必ずしも壁部８２１ｂと一体的に設ける必要はなく、壁部８２１ｂとは別に形成された遊技釘１００Ａなどを、壁部８２１ｂと錘部８１１ｂとの間となるよう配設することで、錘部８１１ｂの遊技領域２１側への回動を規制するように構成してもよい。
【０３０２】
糸受け部８２１ｃは、図１６に示すように、その上端側に、ゲート部材８１０の側を向く傾斜面８２１ｃ１を備えている。傾斜面８２１ｃ１は、後方側（すなわち、ゲート部材８１０に近づく側）に向かって下降傾斜する。そのため、ゲート部材８１０における錘部８１１ｂの前面８１１ｂ１との間には、遊技機正面視における左右方向（すなわち、発射通路３１側および遊技領域２１側）が開放されて、下側になるにつれて幅（すなわち、傾斜面８２１ｃ１と前面８１１ｂ１との離間距離）が狭まる空間８６２が創出される。
【０３０３】
図１６に示すように、糸受け部８２１ｃは、遊技機正面視における左方向から見て、傾斜面８２１ｃ１におけるガラス板１１側の端が、開閉部８１１ａにおける前方側の端辺８１１ａ３より前方側、すなわち、ガラス板１１に近い側に位置する。これにより、隙間８６１を通って下方に誘導された糸８５０は、糸受け部８２１ｃの傾斜面８２１ｃ１に到達し易くなるため、図１６に示す糸８５０Ｂのように空間８６２内へと案内され易い。
【０３０４】
空間８６２の入口部における前後方向の幅（すなわち、傾斜面８２１ｃ１におけるガラス板１１側の端と錘部８１１ｂの前面８１１ｂ１との離間距離）は、切欠き部８１１ａ２の入口部の幅に比べて広く構成される。よって、切欠き部８１１ａ２の入口部より太い糸８５０であっても空間８６２に受け入れることが可能となる。
【０３０５】
これにより、切欠き部８１１ａ２を細く形成したとしても、切欠き部８１１ａ２に受け入れられない太さの糸を空間８６２に受け入れることができる。よって、開閉部８１１ａにおいて切欠き部８１１ａ２が占める面積を少なくできるので、遊技球が随時当接（衝突）するために高い強度が必要とされる開閉部８１１ａを、切欠き部８１１ａ２の形成によっても好適な強度に保つことができる。
【０３０６】
糸受け部８２１ｃの前面とガラス板１１との間に形成される隙間は、切欠き部８１１ａ２の入口部（先端８１１ａ１側）の幅程度またはそれ以下であることが好ましい。これにより、糸８５０の太さが太く、切欠き部８１１ａ２に受け入れられなかった場合に、そのような糸８５０が糸受け部８２１ｃの前面とガラス板１１との隙間を擦り抜けることを抑制することができる。よって、隙間８６１を通って下方に誘導された糸８５０を、好適に空間８６２内に入り込ませることができる。
【０３０７】
なお、糸受け部８２１ｃの前面とガラス板１１との間に形成される隙間は、その幅が狭いほど、遊技球に取り付けられた糸８５０が、糸受け部８２１ｃの前面とガラス板１１との隙間を擦り抜けることを好適に抑制できる。特に、糸受け部８２１ｃの前面とガラス板１１との間に隙間が形成されない、すなわち、糸受け部８２１ｃの前面がガラス板１１に当接する構成とすることで、隙間８６１を通って下方に誘導された糸８５０を、確実に空間８６２内に入り込ませることが可能となる。
【０３０８】
また、糸受け部８２１ｃの上方側であって、ガラス板１１と開閉部８１１ａ（特に、開閉部８１１ａの先端８１１ａ１）との隙間は、遊技領域２１側から発射通路３１への遊技球の進入を阻止可能な範囲内（例えば、遊技球の半径より小さい範囲内）において大きく構成されるようにすることが好ましく、これにより、遊技球に取り付けられた糸８５０がガラス板１１から離れて糸受け部８２１ｃに進入し易い。例えば、開閉部８１１ａにおける前方側の端辺８１１ａ３は、ガラス板１１から遊技球の直径の４分の１以上に離間して配置することが好ましい。一方、開閉部８１１ａにおける後方側の端辺（図１６における開閉部８１１ａの左側の縁部分）は、遊技板５０の前面５１との間に糸が進入しないように狭く構成されることが好ましい。すなわち、開閉部８１１ａ（特に、開閉部８１１ａの先端８１１ａ１）における前方側のガラス板１１との隙間は、開閉部８１１ａ（特に、開閉部８１１ａの先端８１１ａ１）の後方側における遊技板５０の前面５１との隙間より大きく構成されることが好ましい。また、開閉部８１１ａの先端８１１ａ１より下側にてガラス板１１におけるゲート部材８１０側を向く面に、遊技球に取り付けられた糸８５０をゲート部材８１０側に誘導する誘導用部材を取り付けても良く、例えば、支点ピン８２２の前側に、隙間を隔てて突出部材としてガラス板１１側から次第に小さくなる断面を有する形状（例えば、円錐台形）の突出部を設けても良く、これにより、糸受け部８２１ｃに遊技球を更に進入し易くすることができる。
【０３０９】
ここで、詳細は後述するが、遊技球に取り付けられた糸が、空間８６２（すなわち、糸受け部８２１ｃの傾斜面８２１ｃ１と前面８１１ｂ１との間）に入り込んだ場合には、当該糸がゲート部材８１０（開閉部８１１ａ）の回動を抑制し、それにより、それ以降に発射装置から発射される遊技球の遊技領域２１側への進入を抑制できる。
【０３１０】
支持部材８２０の支点ピン８２２は、ゲート部材８１０を挿通支持する軸部８２２ａと、軸部８２２ａの一端側に連設されるねじ部８２２ｂと、軸部８２２ａの他端側に軸部８２２ａより大きな外形に形成される頭部８２２ｃとを備えている。ねじ部８２２ｂは、ベース部材８２１の支点穴８２１ａ２にねじ込まれる螺旋状のねじ山を有し、頭部８２２ｃは、ドライバーなどの工具を差し込むための十字の溝が設けられている。
【０３１１】
支点ピン８２２は、ねじ部８２２ｂの側から、座金８４０および軸穴８１１ｃに挿通した状態で、工具を用いて頭部８２２ｃを回転させ、ねじ部８２２ｂをベース部材８２１の支点穴８２１ａ２にねじ込むことでベース部材８２１に固定される。これにより、ゲート部材８１０が、支点ピン８２２に対して回動可能に支持される。
【０３１２】
なお、ゲート部材８１０の固定は、必ずしも、工具を用いてねじ込み固定する支点ピン８２２に限定されるものではない。例えば、ベース部材８２１の取付基部８２１ａに回転軸を一体的に形成し、その回転軸にゲート部材８１０を回動可能に支持させ、回転軸の先端にＣリングやナットなどの固定具を取着することで、ゲート部材８１０を支持部材８２０に固定する構成であってもよい。また、支点ピン８２２は、必ずしも、ベース部材８２１に固定されるものである必要はなく、遊技板５０（遊技盤２０）の前面５１に直接ねじ込まれるものであってもよい。すなわち、ゲート部材８１０が、ベース部材８２１を介すことなく、遊技板５０（遊技盤２０）に直接支持される構成であってもよい。
【０３１３】
次に、図１７から図１９を参照して、本実施形態の戻り球防止機構８００が取り付けられたパチンコ機に係る作用及び効果を説明する。まず、図１７を参照して、ゲート部材８１０に切欠き部８１１ａ２および突出部８１１ｅを設けたことによる、糸を取り付けた遊技球を用いる不正行為の抑制機能について説明する。
【０３１４】
図１７は、遊技球Ｐ３に取り付けられた糸８５０が開閉部８１１ａの切欠き部８１１ａ２に入り込んだ状態における、戻り球防止機構８００付近の模式的な拡大正面図である。なお、図１７では、図面の見易さを重視して、支持部材８２０における取付基部８２１ａの図示を省略している。
【０３１５】
図１７に示すように、発射装置から発射された遊技球Ｐ３が、開閉部８１１ａを遊技領域２１側に押し退けて、発射通路３１側から遊技領域２１側へと進入した場合に、当該遊技球Ｐ３に取り付けられた糸８５０が、開閉部８１１ａの先端８１１ａ１（図１７では付番を省略）における切欠き部８１１ａ２（図１７では付番を省略）の形成位置を跨いだ場合、切欠き部８１１ａ２には、発射通路３１の側から遊技領域２１の側に（すなわち、支点ピン８２２の軸方向に対して交差する向きに）渡る糸８５０が入り込む。
【０３１６】
糸８５０が開閉部８１１ａの先端８１１ａ１に形成された切欠き部８１１ａ２に入り込んだ場合、当該糸８５０が遊技球Ｐ３により下方に引かれることで、糸８５０は、切欠き部８１１ａ２における略Ｖ字の底側（すなわち、開閉部８１１ａの根元に向かう側）に向かって入り込んでいく。
【０３１７】
糸８５０が切欠き部８１１ａ２に食い込むことで、糸８５０と切欠き部８１１ａ２との間に生じる摩擦力を含む抵抗力が大きくなるため、開閉部８１１ａは、遊技球Ｐ３に引かれる糸８５０によって遊技領域２１側へと引っ張られる。これにより、開閉部８１１ａの先端８１１ａ１側が、糸８５０によって遊技領域２１側へと押される状況が生じ、それにより、開閉部８１１ａは、回動軸である支点ピン８２２周りに遊技領域２１側（すなわち、図１７における時計回り方向）に回動される。よって、開閉部８１１ａは、壁部８２１ｂに当接するまで遊技領域２１側に回動し、最大に開放された状態（または、それに近い状態）で維持される。なお、切欠き部８１１ａ２は、略Ｖ字の形状に構成されるので、受け入れ可能な太さであれば、種々の太さの糸８５０に対応できる。
【０３１８】
開閉部８１１ａが最大に開放されている場合、上述したように、突出部８１１ｅは、阻止位置に配置されるので、その後に発射装置から発射された遊技球は、遊技球Ｐ４のように、突出部８１１ｅに当接（衝突）し、それにより、遊技領域２１側に進入することが阻止される。
【０３１９】
本実施形態の戻り球防止機構８００によれば、開閉部８１１ａが最大に開放された状態において阻止位置に配置される突出部８１１ｅと、開閉部８１１ａが最大に開放された状態で維持されることを可能にする切欠き部８１１ａ２とを設けたことで、不正な遊技球Ｐ３に取り付けられた糸８５０によって、阻止位置にある突出部８１１ｅの状態を維持させることができ、それにより、遊技球Ｐ３より後に発射装置から発射される遊技球が遊技領域２１側に進入することを阻止することができる。
【０３２０】
よって、不正行為者が、糸８５０が取り付けられた遊技球Ｐ３を用いて不正を行おうとしたとしても、それ以降に発射される遊技球（例えば、遊技球Ｐ４）を遊技領域２１に進入させることができないので、不正な遊技球Ｐ３を用いて不正に遊技球を獲得するといった不正行為を抑制することができる。
【０３２１】
次に、図１８および図１９を参照して、支持部材８２０に糸受け部８２１ｃを設けたことによる、糸を取り付けた遊技球を用いる不正行為の抑制機能について説明する。図１８および図１９は、遊技球Ｐ３に取り付けられた糸８５０が糸受け部８２１ｃに入り込んだ状態における、戻り球防止機構８００付近の模式的な拡大正面図である。なお、図１８および図１９では、図面の見易さを重視して、支持部材８２０における取付基部８２１ａの図示を省略している。
【０３２２】
図１８および図１９に示すように、発射装置から発射された遊技球Ｐ３が、開閉部８１１ａを遊技領域２１側に押し退けて発射通路３１側から遊技領域２１側へと進入した場合に、当該遊技球Ｐ３に取り付けられた糸８５０が、糸受け部８２１ｃの傾斜面８２１ｃ１（図１８および図１９では付番を省略）と前面８１１ｂ１との間に形成される空間８６２（図１８および図１９では付番を省略）に入り込んだ場合、糸８５０が遊技球Ｐ３により下方に引かれることで、糸８５０は、空間８６２を下側へと入り込んでいく。
【０３２３】
ここで、例えば、図１８に示すように、糸８５０が遊技球Ｐ３により下方に引かれることで、当該糸８５０が、糸受け部８２１ｃの傾斜面８２１ｃ１と前面８１１ｂ１との間に狭持された（嵌まり込んだ）場合、くさび状に糸８５０を作用させて、糸８５０と錘部８１１ｂの前面８１１ｂ１との間には大きな摩擦力が生じ易くなるため、錘部８１１ｂの回動（上下方向の移動）が抑制される。
【０３２４】
錘部８１１ｂの回動が抑制された場合には、開閉部８１１ａの回動も抑制されることになるため、遊技球Ｐ３の後に発射装置から発射された遊技球Ｐ４は、開閉部８１１ａを第１状態に切り替えることが困難となる。よって、糸８５０が不正に取り付けられた遊技球Ｐ３の後に発射装置から発射される遊技球を、遊技領域２１側に進入することを阻止することができる。
【０３２５】
なお、遊技球Ｐ３に取り付けられた糸８５０が、糸受け部８２１ｃの傾斜面８２１ｃ１と前面８１１ｂ１との間に狭持されたものの、遊技球Ｐ３が糸８５０を引く衝撃によって、開閉部８１１ａが遊技領域２１側へと回動され、それにより、開閉部８１１ａが第１状態をとる可能性がある。また、後続の遊技球Ｐ４が開閉部８１１ａに当接することで開閉部８１１ａが遊技領域２１側へと回動されて第１状態をとる可能性もある。
【０３２６】
しかしながら、かかる場合、糸８５０が糸受け部８２１ｃの傾斜面８２１ｃ１の上を経由して錘部８１２ｂの下側（詳細には、錘部８１２ｂと壁部８２１ｂとの間）に入り込む。この壁部８２１ｂにおける下側の先端部は、例えば、突出部８１１ｅが阻止位置に配置される高さにおける錘部８１２ｂの下端の高さまで発射通路３１側及び上側に突出（連続）し、これにより、壁部８２１ｂと錘部８１２ｂとの間に挟まれた糸８５０によって錘部８１２ｂを上昇させて突出部８１１ｅが阻止位置に配置可能に構成されている。また、糸受け部８２１ｃの傾斜面８２１ｃ１は、壁部８２１ｂの上側に向かう誘導面を構成し、錘部８１２ｂと壁部８２１ｂとの間に糸８５０を誘導する糸誘導部として機能する。このため、錘部８１１ｂは、糸８５０によって遊技領域２１側（すなわち、図１９における反時計回り方向）への回動が規制され、それにより、開閉部８１１ａが第１状態のまま維持される。
【０３２７】
その結果、突出部８１１ｅが阻止位置で維持されるので、遊技球Ｐ３の後に発射装置から発射された遊技球Ｐ４は、突出部８１１ｅによって、遊技領域２１側への進入が阻止される。よって、かかる場合も、糸８５０が不正に取り付けられた遊技球Ｐ３の後に発射装置から発射される遊技球を、遊技領域２１側に進入することを阻止することができる。
【０３２８】
本実施形態の戻り球防止機構８００によれば、錘部８１１ｂの前面８１１ｂ１との間で、不正な遊技球Ｐ３に取り付けられた糸８５０を狭持可能な傾斜面８２１ｃ１を有する糸受け部８２１ｃを設けたことで、開閉部８１１ａの回動を抑制することができる。これにより、遊技球Ｐ３より後に発射装置から発射された遊技球が開閉部８１１ａを押し退けられない状況や、遊技球Ｐ３より後に発射装置から発射された遊技球が突出部８１１ｅに当接する状況が創出されるので、遊技球Ｐ３より後に発射装置から発射される遊技球が遊技領域２１側に進入することを阻止することができる。
【０３２９】
本実施形態において、空間８６２は、上述したように、下側になるにつれて幅（すなわち、傾斜面８２１ｃ１と前面８１１ｂ１との離間距離）が狭まる形状であるので、受け入れ可能な太さであれば、種々の太さの糸８５０に対応できる。
【０３３０】
なお、本発明は、上記実施形態に限られることはなく、例えば、以下に記載するように変形して実施しても良い。この場合に、以下に記載する各構成を上記実施形態に対して適用しても良く、以下に記載する複数の構成を組み合わせて上記実施形態に対して適用しても良い。
【０３３１】
（１）上記各実施形態では、遊技釘１００Ａ〜１００Ｄ、および、釘ユニット２００を構成する連結部２０１の製造方法として、圧造加工および切削加工を主に例示したが、成型加工によって形成してもよい。また、上記各実施形態では、遊技釘１００Ｄと連結部２０１と別々に形成した後に組み立てる構成としたが、遊技釘１００Ｄと連結部２０１とが一体化された釘ユニット２００を成型加工などによって形成してもよい。
【０３３２】
（２）螺旋部１１２、抜止部１１３の変形例
上記各実施形態では、遊技釘１００Ａ〜１００Ｄは、遊技板５０に対しての保持力を確保するための部分として、螺旋部１１２および抜止部１１３を備える構成としたが、螺旋部１１２または抜止部１１３の一方だけを備える構成であってもよい。また、遊技釘１００Ａ〜１００Ｄが、螺旋部１１２または抜止部１１３のいずれも備えていない構成であってもよい。
【０３３３】
上記各実施形態では、抜止部１１３として、図３（ｂ）に示す形状を採用したが、遊技板５０内に進入して遊技釘１００Ａ〜１００Ｄの抜け方向側への移動を阻止可能な形状であれば適宜の形状を採用できる。例えば、抜止部１１３のような周方向側において一定の形状が連続するものでなく、周方向側に離間した複数の棘状の突起部を抜止部としてもよい。
【０３３４】
（３）上記各実施形態では、遊技領域２１と発射通路３１との仕切り部を、配列された複数の遊技釘１００Ａによって形成する構成としたが、当該仕切り部を、遊技領域２１または発射通路３１の側が起伏形状を有する面に形成された板部材から構成してもよい。
【０３３５】
また、遊技領域２１と発射通路３１との仕切り部を、直線部１０１Ｂａ１を含む面を遊技領域２１または発射通路３１の側を向けて配列させた複数の遊技釘１００Ｂから形成する構成であってもよい。特に、直線部１０１Ｂａ１を含む面を発射通路３１の側を向けて配列させた場合には、発射通路３１の側の起伏が少なくなるので、発射装置から発射された遊技球を好適にガイドして遊技領域２１へと進入させることが可能となる。
【０３３６】
（４）発射通路３１の出口近傍に取り付ける遊技釘の変形例
上記各実施形態では、発射通路３１の出口近傍に、遊技釘１００Ｃを、第１軸部１０１Ｃａにおける頂点１０１Ｃａ１が上側を向くような向きで取り付けることで、糸を取り付けた遊技球を用いる不正行為を抑制する構成とした。
【０３３７】
当該不正行為を抑制する目的で発射通路３１の出口近傍に取り付ける遊技釘として、軸方向に対して略垂直など角度を持って延び、開口から軸内部に向けてＶ字などの先細りする溝部が当接部に形成されている遊技釘を用いる構成としてもよい。かかる遊技釘が、例えば、溝部の開口が上方（例えば、発射通路３１とは反対側のやや上向き）を向くように発射通路３１の出口近傍に取り付けた場合、糸が取り付けられた遊技球は、糸が溝部の奥に入り込んだ状態で当該遊技釘にぶら下がり易い。そして、溝部の底はＶ字などの先細りの形状に構成されているので、溝部に入り込んだ糸は、糸を動かすにつれて溝部の底まで入り込んでいく。かかる状態で糸を引っ張ったり緩めたりした場合、糸が溝部の側壁と底部によって摩擦され、当該糸をやがて切断することが可能となる。かかる溝部は、軸方向における断面において開口側から底に向けて曲線を描いていることが好ましい。例えば、溝部の開口が発射通路３１とは反対側のやや上向きを向くように遊技釘を取り付けた状態において、軸方向における溝部の断面が、開口部分から上方に緩くカーブした曲線を描いている場合には、溝部に入り込んだ糸が、糸の操作よって取り外されることを困難にすることができる。
【０３３８】
（５）上記各実施形態では、遊技釘１００Ｂ，１００Ｃとして、軸部１０１Ｂ，１０１Ｃの一部の断面形状が非円形状である場合について例示した。具体的に、軸部１０１Ｂの一部（第１軸部１０１Ｂａ）の断面形状が、直線部１０１Ｂａ１と円弧部１０１Ｂａ２とからなる半円形状である遊技釘１００Ｂと、軸部１０１Ｃの一部（第１軸部１０１Ｃａ）の断面形状が、半円以下の円弧と、当該両端１０１Ｃａ２，１０１Ｃａ３からそれぞれ延びる直線とからなる形状である遊技釘１００Ｃとを例示した。
【０３３９】
軸部の断面形状としては、上記以外の非円形状であってもよい。例えば、軸部が、当該軸部の断面（つまり、軸部の軸方向に対して垂直な断面）が第１の曲率の円弧に形成された第１の外面と、該第１の外面に接続された、前記断面が第１の曲率より小さな第２の曲率の円弧、直線、または少なくとも１の折れ曲がった角部を有する形に形成された第２の外面とを有する構成としてもよい。当接部を含む軸部の断面形状が非円形状であることで、当該軸部に接触する遊技球が、その接触方向に応じて特徴的に跳ね返ることになるため、遊技釘により跳ね返る遊技球の挙動に対する興趣を向上させることができる。
【０３４０】
例えば、遊技釘１００Ｂの第１軸部１０１Ｂａのように、その断面形状が、直線部１０１Ｂａ１と、半円の円弧部１０１Ｂａ２との組み合わせである構成に限らず、半円より小さいまたは大きな円弧部と、当該円弧部の両端を結ぶ直線や、当該円弧部より曲率の小さな円弧とを組み合わせた構成であってもよい。
【０３４１】
このとき、遊技釘１００Ｂの軸部１０１Ｂにおける直線部１０１Ｂａ１を含む面が、断面において直線に近い円弧（すなわち、円弧部１０１Ｂａ２より曲率が小さい円弧）である面に置換された遊技釘を、遊技領域２１と発射通路３１との間を仕切る仕切り部の近傍に取り付けられる遊技釘として採用してもよい。
【０３４２】
また、遊技釘１００Ｃの第１軸部１０１Ｃａのように、その断面形状が、円弧の両端１０１Ｃａ２，１０１Ｃａ３からそれぞれ延びる直線によって１の折れ曲がった角部を有する構成に限らず、円弧の一端１０１Ｃａ２から他端１０１Ｃａ３までの間に、２以上の折れ曲がった角部を有する構成としてもよい。また、第１軸部１０１Ｃａのように、その断面形状における円弧部分が、半円以下の円弧であることに限らず、半円以上の円弧であってもよい。つまり、断面形状に含まれる折れ曲がった角部は、鋭角に限らず鈍角であってもよい。
【０３４３】
（６）釘ユニット２００の変形例
上記各実施形態では、釘ユニット２００が、２本の遊技釘１００Ｄを連結部２０１により連結したものとして説明したが、釘ユニット２００を構成する遊技釘１００Ｄは２本に限定されない。つまり、３本以上の遊技釘１００Ｄが連結部によって連結される構成であってもよい。３本以上の遊技釘１００Ｄが連結部に連結される場合にも、２本の遊技釘１００Ｄの間に突出部２０１ａと同様の突出部が形成されていてもよい。
【０３４４】
上記各実施形態では、釘ユニット２００では、軸部１０１Ｄの軸方向に対して直交する向きに形成された溝部１１５，１１６を有する遊技釘１００Ｄが、溝部１１５，１１６の延びる方向と連結部２０１の長手方向とが一致するように取り付けられる構成としたが、遊技釘１００Ｄが、溝部１１５，１１６の延びる方向が連結部２０１の長手方向に対して略直交するように取り付けられる構成であってもよい。かかる構成によれば、連結部２０１の長手方向に対して直交する向きに対する強度を高めることができる。よって、始動入賞口２５の上方に取り付けられた釘ユニット２００のように、連結部により連結された２本の遊技釘の間を遊技球が通過する釘ユニットにおいて、釘ユニットを構成する遊技釘が、遊技釘間を通過する遊技球によって破損することを抑制できる。
【０３４５】
その一方で、当該変形例の構成によれば、連結部２０１の長手方向に沿った向きに対する強度が低くなるので、連結部により連結された遊技釘の間隔を広げる負荷によって遊技釘が破損し易くなる。従来から、遊技球が通過したことで賞球や抽選などの特典を付与する入球口（例えば、始動入賞口２５）などの上方に取り付けられる一対の遊技釘は、その間隔を広げることで、遊技球の通過を容易にする不正行為の対象となり易い。これに対し、始動入賞口２５の上方に取り付けられた釘ユニット２００のように、遊技球が通過したことで賞球や抽選などの特典を付与する入球口の入口として機能する一対の遊技釘が連結された釘ユニットについて、軸方向に対して直交する向きに形成された溝部を有する遊技釘を、溝部の延びる方向が連結部の長手方向に対して略直交するように取り付けることで、連結部により連結された一対の遊技釘が、その間隔を広げる負荷により破損され易くなるため、遊技釘間を広げる不正行為を抑制することができる。  上記各実施形態では、釘ユニット２００を構成する遊技釘として、溝部１１５，１１６を有する遊技釘１００Ｄを用いる構成としたが、遊技釘１００Ｄに代えて、遊技釘１００Ａを用いる構成としてもよい。また、釘ユニット２００を構成する釘部材として、遊技釘１００Ｂや遊技釘１００Ｃを用いる構成としてもよい。遊技釘の間に遊技球を通過させる釘ユニット、例えば、始動入賞口２５の上方に配置される一対の遊技釘の代替にする釘ユニット２００において、遊技釘として、遊技釘１００Ｂを用い、軸部１０１Ｂにおける直線部１０１Ｂａ１を含む面を内側に向けて配置する構成としてもよい。
【０３４６】
上記各実施形態では、釘ユニット２００における突出部２０１ａを、細長く延びる棒状に構成したが、細長く延びる板状であってもよい。また、上記各実施形態では、突出部２０１ａの長さを、釘ユニット２００を遊技板５０に取り付けた場合に、突出部２０１ａの先端が、遊技板５０の前面５１に接しない程度の長さとしたが、遊技板５０の前面に接する程度の長さとしてもよい。また、突出部２０１ａを挿入するための穴を遊技板５０に形成し、釘ユニット２００を遊技板５０に取り付けた場合に、突出部２０１ａを対応する穴に挿入する構成としてもよい。このとき、穴の外径は、突出部２０１ａの外径より大きくてもよく、突出部２０１ａに対応する穴の外径を十分に大きくすることで、突出部２０１ａに動きの自由度を持たせることができる。これにより、連結部２０１に沿って誘導される遊技球が突出部２０１ａにて弾み易くなる。
【０３４７】
（７）溝部１１５，１１６の変形例
上記各実施形態では、溝部１１５，１１６を有する遊技釘１００Ｄを、釘ユニット２００を構成する遊技釘として用いる構成としたが、単独で遊技板５０に取り付ける構成であってもよい。つまり、単独で遊技板５０に取り付けられる遊技釘の軸部に、溝部１１５，１１６と同様の、軸部を破損可能な溝部が設けられている構成であってもよい。単独で遊技板５０に取り付けられる遊技釘に溝部が形成されている場合には、当該遊技釘を、溝部が不正にかけられる負荷の方向に応じた向きとなるよう遊技板５０に取り付ける。
【０３４８】
上記各実施形態では、軸部１０１Ｄの周囲に一対となる２本の溝部１１５，１１６が形成される構成としたが、軸部１０１Ｄの全周に連なる溝部を形成する構成としてもよい。また、溝部１１５または溝部１１６のうち一方を軸部１０１Ｄに形成する構成としてもよい。
【０３４９】
上記各実施形態では、溝部１１５，１１６を、軸部１０１Ｄの軸方向に対して直交する向きに延びる溝部としたが、溝部１１５，１１６が、軸部１０１Ｄの軸方向に対して直交以外の角度を持って延びる溝部であってもよい。
【０３５０】
上記各実施形態では、溝部１１５，１１６が連結部２０１が延びる方向（すなわち、遊技球の流下方向に対して略直交する向き）を向くように、遊技釘１００Ｄを取り付ける構成としたが、溝部１１５，１１６が遊技球の流下方向に沿った向き（すなわち、遊技機正面視における上下方向）を向くように遊技釘１００Ｄを取り付ける構成としてもよい。かかる構成によれば、遊技板５０に取り付けられた遊技釘１００の、遊技球の流下方向に沿った向きに対する強度を高めることができる。よって、遊技球が通過したことで賞球や抽選などの特典を付与する入球口（例えば、始動入賞口２５）などの上方に取り付けられる一対の遊技釘など、その間を遊技球が流下する遊技釘について、遊技釘が流下する遊技球によって破損することを抑制できる。
【０３５１】
その一方で、当該変形例の構成によれば、遊技釘１００の、遊技球の流下方向に略直交する向きに対する強度が低くなるので、２本の遊技釘の間隔を広げる負荷によって遊技釘が破損し易くなる。従来から、遊技球が通過したことで賞球や抽選などの特典を付与する入球口（例えば、始動入賞口２５）などの上方に取り付けられる一対の遊技釘は、その間隔を広げることで、遊技球の通過を容易にする不正行為の対象となり易い。これに対し、当該一対の遊技釘として、軸方向に対して直交する向きに形成された溝部を有する遊技釘を用い、これらの遊技釘を、溝部の延びる方向が連結部の長手方向に対して略直交するように取り付けることで、入球口などの上方に取り付けられた一対の遊技釘が、その間隔を広げる負荷により破損され易くなるため、遊技釘間を広げる不正行為を抑制することができる。
【０３５２】
上記各実施形態では、溝部１１５，１１６を、遊技釘１００Ｄを遊技板５０に取り付けた場合に、遊技板５０の前面５１より前方であって、頭部１０２より前面５１に近い位置に設ける構成としたが、溝部１１５，１１６を、軸部１０１Ｄにおける頭部１０２に近い側に設ける構成としてもよい。この場合、当接部１１４より頭部１０２の側に溝部１１５，１１６を設けることが好ましい。溝部１１５，１１６が当接部１１４より頭部１０２の側に設けられたことで、遊技球との接触によって損傷を受ける可能性が少なくなるので、遊技中に遊技釘１００Ｄが誤って折損される場合を低減しつつ、不正行為を発見し易い機能を付加することができる。
【０３５３】
上記各実施形態では、溝部１１５，１１６の底の形状を略平面としたが、当該底の形状がＶ字型や丸みのある形状であってもよい。溝部１１５，１１６の底の形状を、Ｖ字型や丸みのある形状など、幅狭の形状とすることで、軸部１０１Ｄをより破損させ易くできる。また、上記各実施形態では、溝部１１５，１１６の側壁部分の形状を直線状としたが、当該側壁部分の形状が曲線であってもよい。
【０３５４】
（８）第２実施形態に係る一般入賞装置３３４の変形例
上記第２実施形態では、一般入賞口３２４が形成された一般入賞装置３３４を例示して説明したが、始動入賞口２５と同様の始動入賞口が形成された始動入賞装置や、スルーゲート２８と同様のスルーゲートが形成された装置などにも同様の構成を適用できる。
【０３５５】
上記第２実施形態では、細長く形成された軸部を有するピン４０１が台板３３４ｂに固定される構成としたが、ピン４０１の代わりに、遊技釘Ｑ１と対になって入口となるように、遊技機正面視において一般入賞口３２４の右端から上方に延びる所定形状（例えば、遊技機正面視においてピン４０１に相当する位置が頂点となる山型の形状）の樹脂部分が台板３３４ｂと一体になって成形されている構成であってもよい。かかる構成によれば、遊技釘Ｑ１と対になって入口となる樹脂部分を台板３３４ｂから動かしたり変形させたりすることができないので、一般入賞口３２４への遊技球の入球を有利にするための不正行為が困難となる。
【０３５６】
上記第２実施形態では、遊技機正面視において一般入賞口３２４の右上方にてピン４０１を台板３３４ｂに固定する構成としたが、一般入賞口３２４の左上方にてピン４０１を台板３３４ｂに固定する構成としてもよい。
【０３５７】
上記第２実施形態では、一般入賞装置３３４の台板３３４ｂに固定されるピンをピン４０１のみとしたが、一般入賞口３２４の入口を構成する複数のピンを台板３３４ｂに固定される構成であってもよい。
【０３５８】
上記第２実施形態では、一般入賞装置３３４に対し遊技機正面視における右側に２つの止め穴５５，５６を設ける構成としたが、３つ以上の止め穴を設ける構成としてもよい。これにより、一般入賞装置の取り付け態様を３種以上にすることができる。また、上記第２実施形態では、一般入賞装置３３４に対し遊技機正面視における左側に止め穴５４を設け、右側に止め穴５５，５６を設ける構成としたが、一般入賞装置３３４の右側に１の止め穴を設け、左側に複数の止め穴を設ける構成としてもよい。
【０３５９】
（９）遊技釘１００Ａ〜１００Ｄの変形例
上記各実施形態では、頭部１０２が、軸部１０１Ａ〜１０１Ｄの外径（より詳細には、断面が円形状である部分の外周）より大きな外径に（すなわち、太く）構成された遊技釘１００Ａ〜１００Ｄを例示したが、頭部１０２の外径が、軸部１０１Ａ〜１０１Ｄの外径より小さい遊技釘に本発明を適用してもよい。頭部１０２の外径が、軸部１０１Ａ〜１０１Ｄの外径より小さい遊技釘は、例えば、遊技板５０の裏面（すなわち、前面５１の裏側にあたる面）側から、前面５１側へと貫通させることで遊技板５０に取り付けられる構成としてもよい。また、軸部の突端部が頭部を構成し、突端部に外径の異なる部位を有しない遊技釘を用いる構成としてもよい。
（１０）釘カバーの変形例
上記第３から第５実施形態では、釘カバー（例えば、釘カバー部５３５ｂ）を取り付ける対象の遊技釘として、始動入賞口の入口として機能する一対の遊技釘を例示したが、本発明の釘カバーは、遊技板５０に打ち込まれた適宜の遊技釘に適用可能である。なお、本発明の釘カバーを、２本の遊技釘に対して取り付けられるものに限らず、３本以上の遊技釘や単独の遊技釘に対して取り付ける構成としてもよい。
【０３６０】
上記第３から第５実施形態において、釘カバーを遊技板５０に対して支持部材（例えば、釘カバー部５３５ｂを支持する本体部５３５ａなど）を介して間接的に固定される場合を例示したが、釘カバーに脚部を設け、釘カバーを脚部によって直接的に遊技板５０に固定する構成としてもよい。
【０３６１】
釘カバーが、遊技板５０またはガラス板１１に対して、直接的に、または、釘カバーを支持する支持部材（例えば、釘カバー部５３５ｂを支持する本体部５３５ａなど）を介して間接的に固定される（すなわち、取り付けの対象とする遊技釘に対する取り付け状態が固定される）構成とすることで、釘カバーの収容部に収容された遊技釘が不正に曲げられることを抑制できる。
【０３６２】
これにより、例えば、本発明の釘カバーを、遊技球を始動入賞口に誘導するべく連ねて配列された複数の遊技釘（所謂、誘導釘）のうち、一部または全ての遊技釘に対して取り付けることで、誘導釘を上方または下方に曲げることで、遊技球を始動入賞口に誘導し易くする不正行為を好適に抑制できる。つまり、本発明の釘カバーによれば、誘導釘を構成する遊技釘や、始動入賞口の入口として機能する一対の遊技釘のように、始動入賞口に通じる通路の少なくとも一部を構成する遊技釘を、始動入賞口への入球が有利となるよう不正に曲げる行為を好適に抑制することができる。
【０３６３】
また、本発明の釘カバーを取り付ける対象にする遊技釘は、始動入賞口の入口として機能する一対の遊技釘のように、始動入賞口５２５など始動入賞口に通じる通路の少なくとも一部を構成する遊技釘に限らず、始動入賞口以外の、遊技球が通過したことで賞球や抽選などの特典を付与する有利領域（例えば、一般入賞口２４やスルーゲート２８など）に通じる通路の少なくとも一部を構成する遊技釘を対象としてもよい。
【０３６４】
上記第３から第５実施形態では、釘カバー部５３５ｂなどの釘カバーは、透明又は半透明に構成されたが、不透明にしてもよい。ただし、遊技者から遊技釘の頭部が視認可能としておくことは好ましく、これにより、遊技釘によって構成される遊技球の通路を遊技者が確認可能とすることができる。
【０３６５】
上記第３から第５実施形態では、釘カバー部５３５ｂなどの釘カバーは、収容部（収容部５３５ｂ１など）の遊技機正面視における前面側が開放されておらず、収容部に収容された遊技釘の頭部が遊技機正面視における前面側に露出しない構成としたが、収容部の遊技機正面視における前面側が開放された構成であってもよい。
【０３６６】
上記第３から第５実施形態では、釘カバーの収容部は、遊技釘の頭部の軸中心周りの周囲の少なくとも一部を覆う（囲う）内壁を有する構成としたが、遊技釘の曲げを規制したい方向に壁が形成されるものであってもよい。例えば、始動入賞口の入口として機能する一対の遊技釘に対して取り付ける釘カバーが、当該一対の遊技釘の頭部に対して、当該頭部より外側（すなわち、対となる遊技釘がある側とは反対側）に壁が形成されている場合、一対の遊技釘の間隔が広げられることを抑制できる。
【０３６７】
上記第３から第５実施形態では、釘カバーの収容部の深さは、遊技釘の頭部を収容可能な深さとしたが、軸部の一部も収容される構成であってもよい。また、必ずしも、頭部が全て収容される深さでなくてもよく、頭部の先端側の一部のみが収容される深さとしてもよいし、遊技釘の頭部の軸中心周りの周囲が全く収容されず前側（頭部の先端側）のみを覆うように（例えば、深さのない平板状の構成）としてもよい。
【０３６８】
上記第３から第５実施形態では、釘カバーに収容される遊技釘として、頭部の外径が軸部の外径より大きい遊技釘１００Ａを例示したが、本発明の釘カバーを、頭部の外径が軸部の外径より小さい（小径の）遊技釘に対して適用してもよい。
【０３６９】
頭部の外径が軸部の外径より小さい遊技釘を対象とする場合、釘カバーにおける上端を含む縁端部（上側縁端部５３５ｂ２や縁端部７３５ｃ２など）が、収容部に収容された遊技釘における軸部の軸中心に略一致する位置を中心とする、当該遊技釘の軸部の外径より大きな径の円の円弧形状とすることができる。かかる場合、軸部の外径より小さい外径の頭部を有する遊技釘が用いられているにもかかわらず、釘カバーにおける上端を含む縁端部が、遊技釘１００Ａの頭部１０２のような、軸部の外径より大きい外径の頭部を模倣し、それにより、軸部の外径より大きい外径の頭部を有する遊技釘が取り付けられているかのような状況を擬似的に提供することができる。
【０３７０】
上記第３から第５実施形態では、釘カバーにおける上端を含む縁端部（上側縁端部５３５ｂ２や縁端部７３５ｃ２など）が、円弧形状である場合について例示したが、円形に近い多角形状など、他の形状であってもよい。
【０３７１】
上記第３から第５実施形態では、釘カバーにおける前面側が平面である場合について例示したが、球面形状であってもよい。例えば、釘カバーにおける前面側が、当該釘カバーの上端を含む縁端部の円弧を含む球面形状（例えば、四半球の球面形状）であってもよい。
【０３７２】
上記第４実施形態では、前板部６３５ａを上方にスライドさせた場合に、遊技釘Ｑ６，Ｑ７が、収容部６３５ｃ１の内壁Ｚ１，Ｚ２の傾きによって、左または右方向に動かされる構成としたが、内壁Ｚ１，Ｚ２の傾きをそれぞれ左右反転させた傾きとし、それにより、前板部６３５ａを下方にスライドさせることで、遊技釘Ｑ６，Ｑ７が左または右方向に動く構成としてもよい。
【０３７３】
また、収容部６３５ｃ１の内壁Ｚ１，Ｚ２に対向する側の内壁（すなわち、遊技釘Ｑ６，Ｑ７が接することのない側の内壁）の傾きとしては、前板部６３５ａを上方または下方にスライドさせた場合に、遊技釘Ｑ６，Ｑ７が左または右方向に動く種々の傾きを採用できる。例えば、収容部６３５ｃ１の内壁Ｚ１，Ｚ２に対向する側の内壁の傾きを、収容部６３内壁Ｚ１，Ｚ２の傾きと平行な傾きとしてもよい。
【０３７４】
また、収容部６３５ｃ１の内壁Ｚ１，Ｚ２の傾きの大きさを、重力方向の単位長さに対する左右方向の変化量が前記単位長さより十分に短くなるような傾きの大きさとすることで、前板部６３５ａを上方にスライドさせた場合に、遊技釘Ｑ６，Ｑ７が左または右方向に動く構成としたが、遊技釘Ｑ６，Ｑ７を動かしたい方向は、内壁Ｚ１，Ｚ２の傾きの大きさに応じて変更可能である。
【０３７５】
また、上記第５実施形態では、収容部７３５ｃ１を、底面側より開口側の方が大きい円錐台形状としたことで、本体部７３５ａを前方にスライドさせた場合に、遊技釘Ｑ８，Ｑ９が、左または右方向に動かされる構成とした。これに代えて、収容部７３５ｃ１を、開口側より底面側の方が大きい円錐台形状とし、それにより、本体部７３５ａを後方にスライドさせた場合に、遊技釘Ｑ８，Ｑ９が、左または右方向に動かされる構成としてもよい。また、収容部６３５ｃ１を円錐台形状とせず、本体部７３５ａを前方または後方にスライドさせた場合に、遊技釘Ｑ８，Ｑ９が、左または右方向に動く種々の形状を採用できる。
【０３７６】
また、円錐台形状である収容部７３５ｃ１の内壁が開口側から底面に向けて緩やかに狭まる形状とされたことで本体部７３５ａを後方にスライドさせた場合に、遊技釘Ｑ８，Ｑ９が左または右方向に動く構成としたが、遊技釘Ｑ８，Ｑ９を動かしたい方向は、円錐台の斜面の傾きに応じて変更可能である。
【０３７７】
上記第５実施形態では、本体支持部７３５ｂにより支持される（すなわち、本体支持部７３５ｂの収容空間に収容された）本体部７３５ａは、その後端側が前面５１から遊技板５０に入り込んだ状態で前方または後方にスライドされる構成としたが、本体部７３５ａの底壁７３５ａ２および側壁７３５ａ３を前後方向に伸縮可能な構成（例えば、蛇腹に構成）して、後端を前面５１に接続する構成としてもよい。
【０３７８】
上記第４および第５実施形態では、硬化性樹脂を用いることで、前板部６３５ａまたは本体部７３５ａの位置を最終的に固定する構成としたが、ピンなどの固定部材を用いて、最終的な位置固定を図る構成としてもよい。
【０３７９】
上記第４および第５実施形態では、釘カバー部６３５ｃ，７３５ｃは、遊技釘Ｑ６，Ｑ７，Ｑ８，Ｑ９に対する不正な曲げ行為を抑制する機能と、遊技釘Ｑ６，Ｑ７，Ｑ８，Ｑ９を適切に位置決めできる機能との両方を有する構成としたが、遊技釘を適切に位置決めできる機能を有さない構成としてもよい。つまり、釘カバー部６３５ｃ，７３５ｃにおいて、前板部６３５ａまたは本体部７３５ａをスライドさせても、遊技釘Ｑ５，Ｑ６，Ｑ７，Ｑ８，Ｑ９が、収容部６３５ｃ１，７３５ｃ１の内壁に接触しない構成であってもよい。
【０３８０】
上記第４および第５実施形態において、釘カバー部６３５ｃ，７３５ｃと、前板部６３５ａまたは前板７３５ａ１との接続部分に破損可能な破損部を設ける構成としてもよい。破損部としては、例えば、釘カバー部６３５ｃ，７３５ｃと、前板部６３５ａまたは前板７３５ａ１との接続部分の厚みを薄くしてもよいし、当該接続部における幅を狭くしてもよい。かかる破損部を設けることで、遊技釘Ｑ６，Ｑ７，Ｑ８，Ｑ９が設計許容範囲から大きく外れている場合に、前板部６３５ａまたは本体部７３５ａをスライドさせたとき、遊技釘Ｑ６，Ｑ７，Ｑ８，Ｑ９が、収容部６３５ｃ１，７３５ｃ１の外で釘カバー部６３５ｃ，７３５ｃに接触し、それによってかかる負荷で破損する部位を破損部に限定し易くすることができる。それにより、遊技釘Ｑ６，Ｑ７，Ｑ８，Ｑ９が、釘カバー部６３５ｃ，７３５ｃにより調整できないほどに設計許容範囲から大きく外れていることを作業者に判り易く報せることができる。また、前板部６３５ａまたは本体部７３５ａが不正にスライドされた場合にも、その不正を破損部の破損によって報せることが可能となり、不正有無の確認が必要な箇所を限定して容易に確認作業を行うことができる。
【０３８１】
（１１）戻り球防止機構８００の変形例
上記第６実施形態では、戻り球防止機構８００が、糸を取り付けた遊技球を用いる不正行為を抑制する構成として、切欠き部８１１ａ２に糸を引っ掛けることで突出部８１１ｅを阻止位置に維持させる構成と、空間８６２に入り込んだ糸に基づいて、開閉部８１１ａの回動を制限する構成と、空間８６２を経由して錘部８１１ｂの下側に入り込んだ糸に基づいて突出部８１１ｅを阻止位置に維持させる構成とが含まれる構成としたが、いずれか１つの構成のみであってもよいし、いずれか２つの組合せであっても良い。いずれかの構成のみであっても、糸を取り付けた遊技球を用いる不正行為を抑制することができ、２つ以上の組合せによって更に好適に不正行為を抑制することができる。
【０３８２】
上記第６実施形態では、阻止位置に配置された突出部８１１ｅは、遊技球に取り付けられた糸が切欠き部８１１ａ２に引っ掛かることで、阻止位置に維持される構成としたが、突出部８１１ｅを阻止位置に維持する構成としては、必ずしも、上記構成に限定されない。
【０３８３】
例えば、ゲート部材８１０の回動を、当該ゲート部材８１０に固着された回動軸をモータやソレノイドなどの動力源によって回動させることで行うものとし、遊技球に不正に取り付けられた糸が検出された場合には、回動軸を回動させる動力を停止することで、突出部８１１ｅを阻止位置に維持させる構成としてもよい。このように、切欠き部８１１ａ２を用いることなく、突出部８１１ｅを阻止位置に維持させる場合には、開閉部８１１ａが最大に開放された状態（または、それに近い状態）でゲート部材８１０の回動が停止されなくても、突出部８１１ｅが阻止位置となる所定の位置で停止できればよい。
【０３８４】
なお、遊技球に不正に取り付けられた糸を検出する手段としては、例えば、遊技球に取り付けられた糸が接触または近接したことで当該糸を検出可能な検出部（例えば、接触センサや近接センサなど）が例示される。かかる検出部は、切欠き部８１１ａ２の内側や、開閉部８１１ａにおける前方側の端辺８１１ａ３や、開閉部８１１ａにおける後方側の端辺に設ければよい。なお、検出部を開閉部８１１ａに設ける場合、少なくとも、先端８１１ａ１における後方側の端（すなわち、遊技板５０側の端）の付近が、当該後方側の端に向けて下降傾斜する構成であることが好ましい。
【０３８５】
上記第６実施形態では、開閉部８１１ａが開放されることで、すなわち、第２状態から第１状態に対応した側へ動作することで、阻止位置（遊技球の遊技領域２１側への進入を阻止可能にする位置）に配置される部材として、ゲート部材８１０の突出部８１１ｅを例示したが、上記場合に阻止位置に配置される部材としては、必ずしも、開閉部８１１ａに連動して動作する突出部８１１ｅに限定されない。
【０３８６】
例えば、発射通路３１における戻り球防止機構８００より下流側に、遊技盤２０（遊技板５０）側から前方に突出可能であり、かつ、突出した場合に遊技球の遊技領域２１側への進入を阻止可能にするソレノイドを設け、開閉部８１１ａが初期位置にあるときには、遊技盤２０内にソレノイドを収容し、開閉部８１１ａが開放されることで第１状態となった場合に、当該ソレノイドを前方に突出させる（つまり、阻止位置に配置する）構成としてもよい。
【０３８７】
あるいは、遊技盤２０（遊技板５０）側から前方に突出可能なソレノイドを、戻り球防止機構８００より遊技領域２１側の、突出した場合に戻り球防止機構８００から遊技領域２１側に向かう遊技球を発射通路３１側に押し戻す位置に設け、開閉部８１１ａが初期位置にあるときには、遊技盤２０内にソレノイドを収容し、遊技球が開閉部８１１ａを押し退けて遊技領域２１側に進入した場合に、当該ソレノイドを前方に突出させる（つまり、阻止位置に配置する）構成としてもよい。
【０３８８】
なお、上記のような構成において、遊技球に不正に取り付けられた糸が検出された場合に、前方に突出したソレノイドをロックさせることで、突出部８１１ｅが阻止位置にて維持された場合と同様、その後に発射装置から発射される遊技球の遊技領域２１側への進入を阻止することができる。
【０３８９】
上記第６実施形態では、開閉部８１１ａの先端８１１ａ１に形成される切欠き部８１１ａ２を略Ｖ字状に構成したが、遊技球に取り付けられた糸を支点ピン８２２の軸方向に対して交差する向きに開閉部８１１ａを跨ぐことが可能な形状であれば、切欠き部８１１ａ２の形状は略Ｖ字状であることに限られる必要はない。なお、遊技球に取り付けられた糸を受け入れ易くするため、入口側（開閉部８１１ａの先端８１１ａ１側）を広めに形成し、糸との摩擦力が生じやすいよう、底側（開閉部８１１ａの根元側）を狭く形成することが好ましい。また、切欠き部８１１ａ２にゴムなどの弾性変形可能な部位（例えば、弾性体の薄板）を取り付けることで、受け入れた糸を挟みやすいように構成してもよい。
【０３９０】
上記第６実施形態では、３つの切欠き部８１１ａ２を開閉部８１１ａの先端８１１ａ１に形成する構成としたが、切欠き部８１１ａ２の数は、１つまたは２つでもよいし、４つ以上であってもよい。また、切欠き部８１１ａ２の配置は、開閉部８１１ａの前方側または後方側に偏っていてもよい。このとき、先端８１１ａ１の傾きにおける下流側となる位置に切欠き部８１１ａ２を設けると、切欠き部８１１ａ２が、遊技球に取り付けられた糸を受け入れやすくなるので好ましい。
【０３９１】
上記第６実施形態では、開閉部８１１ａの先端８１１ａ１は、前方側に向かうにつれて直線的に下降傾斜するよう構成したが、下降傾斜の形状は曲線であってもよい。
【０３９２】
上記第６実施形態では、開閉部８１１ａの先端８１１ａ１は、前方側に向かうにつれて下降傾斜するよう構成したが、先端８１１ａ１に形成された切欠き部８１１ａ２に向けて下降傾斜するよう形成してもよい。つまり、隣接する切欠き部８１１ａ２の間には、これらの間における中央側の頂点から、各切欠き部８１１ａ２に向かう下降傾斜が形成される構成としてもよい。なお、開閉部８１１ａの先端８１１ａ１における、少なくとも一方の端に向かう傾斜は下降傾斜であることが好ましい。
【０３９３】
上記第６実施形態では、糸受け部８２１ｃ（傾斜面８２１ｃ１）を錘部８１１ｂの前方側に配置し、遊技球に取り付けられた糸を、糸受け部８２１ｃの傾斜面８２１ｃ１と錘部８１１ｂの前面８１１ｂ１との間に狭持させる構成としたが、必ずしも、遊技球に取り付けられた糸を狭持するための糸受け部は、錘部８１１ｂの前方に配置される必要はない。
【０３９４】
例えば、支点ピン８２２に挿通可能な開口が略中央に形成された皿状部材を、ゲート部材８１０と座金８４０との間に、底方向をゲート部材８１０に向けて配置されるように支点ピン８２２に挿通させることで、隙間８６１を通って下方に誘導された糸を、開閉部８１１ａと皿状部材との間に受け入れることができる。これにより、遊技球に取り付けられた糸と開閉部８１１ａとの間に摩擦力を生じさせることができ、それにより、ゲート部材８１０（開閉部８１１ａ）の回動を抑制することが可能となる。
【０３９５】
上記第６実施形態では、遊技球に取り付けられた糸と、糸受け部８２１ｃの傾斜面８２１ｃ１と錘部８１１ｂの前面８１１ｂ１との間に狭持させることで生じた摩擦力を利用して、ゲート部材８１０（開閉部８１１ａ）の回動を抑制し、それにより、例えば、開閉部８１１ａが第１状態に移行することを抑制する構成としたが、ゲート部材８１０の回動を抑制するための摩擦力を発生させる部位としては、必ずしも、開閉部８１１ａに連動して動作する錘部８１１ｂに限定されない。
【０３９６】
例えば、錘部８１１ｂと同様、開閉部８１１ａに連動して動作する突出部８１１ｅとの間に遊技球に取り付けられた糸を狭持可能な糸受け部を設け、該糸受け部と突出部８１１ｅとの間に遊技球に取り付けられた糸を狭持させてもよい。また、突出部８１１ｅのように、錘部８１１ｂや突出部８１１ｅのように、開閉部８１１ａの回動に連動して支点ピン２２周りを回動する部位に限らず、開閉部８１１ａの回動に連動して上下または左右方向に動作する部位または部材がある場合には、当該部位または部材との間に遊技球に取り付けられた糸を狭持可能な糸受け部を設ける構成としてもよい。
【０３９７】
上記第６実施形態では、糸受け部８２１ｃの傾斜面８２１ｃ１と錘部８１１ｂの前面８１１ｂ１との間に狭持させることで、ゲート部材８１０（開閉部８１１ａ）の回動を抑制し、それにより、例えば、開閉部８１１ａが第１状態に移行することを抑制する構成としたが、ゲート部材８１０の回動を抑制する構成としては、必ずしも、上記構成に限定されない。
【０３９８】
例えば、ゲート部材８１０の回動を、当該ゲート部材８１０に固着された回動軸をモータやソレノイドなどの動力源によって回動させることで行うものとし、遊技球に不正に取り付けられた糸が検出された場合には、回動軸を回動させる動力を停止することで、ゲート部材８１０（開閉部８１１ａ）の回動を抑制する構成としてもよい。
【０３９９】
なお、遊技球に不正に取り付けられた糸を検出する手段としては、例えば、遊技球に取り付けられた糸が接触または近接したことで当該糸を検出可能な検出部（例えば、接触センサや近接センサなど）が例示される。かかる検出部は、切欠き部８１１ａ２の内側や、開閉部８１１ａにおける前方側の端辺８１１ａ３や、開閉部８１１ａにおける後方側の端辺に設ければよい。なお、検出部を開閉部８１１ａに設ける場合、少なくとも、先端８１１ａ１における後方側の端（すなわち、遊技板５０側の端）の付近が、当該後方側の端に向けて下降傾斜する構成であることが好ましい。
【０４００】
上記第６実施形態では、阻止位置に配置された突出部８１１ｅが、遊技球に取り付けられた糸が切欠き部８１１ａ２に引っ掛かることで、阻止位置に維持される構成としたが、突出部８１１ｅを阻止位置に維持する構成としては、必ずしも、上記構成に限定されない。
【０４０１】
例えば、ゲート部材８１０の回動を、当該ゲート部材８１０に固着された回動軸をモータやソレノイドなどの動力源によって回動させることで行うものとし、遊技球に不正に取り付けられた糸が検出された場合には、回動軸を回動させる動力を停止することで、突出部８１１ｅを阻止位置に維持させる構成としてもよい。
【０４０２】
なお、遊技球に不正に取り付けられた糸を検出する手段としては、例えば、遊技球に取り付けられた糸を検出可能な検出部（例えば、接触センサや近接センサなど）が例示される。かかる検出部は、切欠き部８１１ａ２の内側や、開閉部８１１ａにおける前方側の端辺８１１ａ３や、開閉部８１１ａにおける後方側の端辺に設ければよい。
【０４０３】
上記第６実施形態では、内レール２９ｂの先には、複数の遊技釘１００Ａが配列されているため、戻り球防止機構８００は、それら複数の遊技釘１００Ａの先端側に取り付けられる構成であった。複数の遊技釘１００Ａに代えて、内レール２９ｂが延長されている場合には、内レール２９ｂの先端側に戻り球防止機構８００を取り付ける構成としてもよい。内レール２９ｂの先端側に戻り球防止機構８００を取り付ける場合、突出部８１１ｅの形状に沿って内レール２９ｂを切欠くことで、発射通路３１を通過する遊技球が、突出部８１１ｅと内レール２９ｂとの間を擦り抜けて遊技領域２１側へと進入することを好適に抑制できる。
【０４０４】
上記第６実施形態では、錘８１２が、錘部８１１ｂの先端側に遊技機正面視における前後方向に付設される構成としたが、突出部８１１ｅに錘８１２を付設する構成としてもよい。つまり、突出部８１１ｅが、錘部８１１ｂとしての機能を果たす構成としてもよい。突出部８１１ｅに錘８１２を付設することで、開閉部８１１ａを初期位置に復帰させるための付勢力をより好適に発生することができる。また、上記第６実施形態では、錘部８１１ｂに錘８１２を付設する構成としたが、錘８１２を付設することなく、錘部８１１ｂを樹脂体８１１の材料のみで構成してもよいし、また、錘部８１１ｂを必ずしも設ける必要はなく、バネなどの付勢力によって開閉部８１１ａを初期位置に復帰させても良い。
【０４０５】
上記第６実施形態では、突出部８１１ｅが阻止位置に配置された状態で発射通路３１から遊技領域２１側へ遊技球が進行不能にして当該遊技球を遊技者側に戻す構成としたが、突出部８１１ｅに当接した遊技球が別の通路へ進行して遊技者側に戻らない構成としても良く、例えば、不正行為を行った場合に所持していた遊技球が遊技領域２１に進入することなくアウト口に進行する構成としても良い。例えば、外レール２９ａ又は遊技板５０の前面５１に、阻止位置に配置された突出部８１１ｅに対して発射通路３１を進行した遊技球が接触した場合に、当該遊技球が反射して進行することとなる方向側に開口する、アウト口としての通路の入口を形成しても良く、これにより、不正行為が行われた場合においてペナルティを付加し、不正行為を好適に抑制することができる。
【０４０６】
また、ゲート部材８１０の回動を検出する動作検出手段（例えば、接触センサや近接センサなどによってゲート部材８１０が非作動位置から移動していることを検出する検出装置）を設け、非作動位置からの移動が一定時間以上継続した場合に、異常状態に対応した制御を行うものとしても良く、この異常状態に対応した制御として、入賞口への入賞を無効とする入賞無効制御を実施しても良いし、これに代えて、又はこれに加えて、遊技球を発射不能にする発射不能制御を行っても良い。
【０４０７】
なお、遊技球に不正に取り付けられた糸を検出する手段としては、例えば、遊技球に取り付けられた糸が接触または近接したことで当該糸を検出可能な検出部が例示される。
【０４０８】
（１２）本発明は、上記実施形態とは異なるタイプのパチンコ機等に実施しても良く、パチンコ機以外にも、アレンジボール型パチンコ、雀球等の各種遊技機として実施するようにしても良い。
【０４０９】
＜上記実施形態から抽出される発明＞
以下、上記した実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【０４１０】
＜特徴１０＞
遊技球が前面側を流下する遊技板（遊技板５０）と、該遊技板の前面が向く前方側に突出するようにして取り付けられる遊技釘（遊技釘１００Ａ，１００Ｂ，１００Ｃ，１００Ｄ）とを備えた遊技機（パチンコ機１０）において、
前記遊技板に取り付けられる前記遊技釘の少なくとも一部は、２本の前記遊技釘間が連結部（連結部２０１）により連結されている釘ユニット（釘ユニット２００）の形態で取り付けられることを特徴とする遊技機。
【０４１１】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定される（例えば、特開２００８−１６１６３８号公報参照）。
【０４１２】
しかしながら、従来の遊技機においては、遊技釘の取り付け形態について未だ改良の余地があった。例えば、従来の遊技機において、遊技板に打ち込まれた遊技釘が不正に曲げられてしまうと、設計値とは異なる性能の遊技機になってしまう。
【０４１３】
これに対し、特徴１０に記載の遊技機であれば、遊技板に取り付けられる遊技釘の少なくとも一部が、遊技釘と遊技釘との間が連結部により連結された釘ユニットの形態で取り付けられているので、遊技釘の曲げ方向の自由度が連結部によって規制される。これにより、遊技釘を不正に曲げることが難しくなるため、遊技釘を曲げる不正行為を抑制できる。
【０４１４】
＜特徴１１＞
特徴１０に記載の遊技機であって、
前記釘ユニットは、前記連結部により連結された前記２本の遊技釘間に、前記連結部から前記遊技釘と略同方向に延びる中間部材（突出部２０１ａ）を含むことを特徴とする遊技機。
【０４１５】
特徴１１に記載の遊技機であれば、釘ユニットは、連結部により連結された２本の遊技釘間に、当該連結部から遊技釘と略同方向に延びる中間部材を含むので、中間部材の設置状況を変化させることとで２本の遊技釘間の距離が種々の釘ユニットを準備することが可能となる。これにより、例えば、配列された（連ねて配置される）複数の遊技釘を釘ユニットによって代替させることが可能となる。
【０４１６】
＜特徴１２＞
特徴１１に記載の遊技機であって、
前記中間部材は、前記釘ユニットを前記遊技板に取り付けた場合に、該遊技板側の先端が該遊技板の前面より前方に位置するよう設けられていることを特徴とする遊技機。
【０４１７】
特徴１２に記載の遊技機であれば、中間部材は、釘ユニットを遊技板に取り付けた場合に、遊技板側の先端が遊技板の前面より前方に位置するよう設けられているので、釘ユニットを遊技板に取り付けた状態であっても撓むことが可能となる。よって、当該中間部材が設けられた釘ユニットを、遊技球を所定方向に誘導するために当該所定方向に連ねて配置された複数の遊技釘に代えて利用した場合、所定方向に誘導される遊技球が中間部材上にて当該中間部材の撓みによって弾み易くなる。
【０４１８】
＜特徴２０＞
遊技球が前面側を流下する遊技板（遊技板５０）と、該遊技板の前面が向く前方側に突出するようにして取り付けられる遊技釘（遊技釘１００Ａ，１００Ｂ，１００Ｃ，１００Ｄ）とを備えた遊技機（パチンコ機１０）において、
入球口（一般入賞口３２４など）を有し、該入球口を遊技球が通過した場合に所定の特典を付与する入球装置（一般入賞装置３３４など）と、
該入球装置に一体化して、該入球装置の近傍に取り付けられている前記遊技釘と共に前記入球口への入口を構成する入口構成部（ピン４０１）と、
を備えていることを特徴とする遊技機。
【０４１９】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定される（例えば、特開２００８−１６１６３８号公報参照）。
【０４２０】
しかしながら、従来の遊技機においては、遊技釘の配置について未だ改良の余地があった。例えば、従来の遊技機において、遊技板に打ち込まれた遊技釘が不正に曲げられてしまうと、設計値とは異なる性能の遊技機になってしまう。不正な曲げによって性能の変化が大きい遊技釘は、例えば、始動入賞装置などの各種入賞装置（入球装置）における入賞口（入球口）の上方に取り付けられ当該入賞口への入口として機能する一対の遊技釘であり、当該一対の遊技釘の間隔を広げることで、入賞装置への遊技球の進入が不正に易化される。
【０４２１】
これに対し、特徴２０に記載の遊技機であれば、入球装置の近傍に取り付けられている遊技釘と共に、該入球装置における入球口への入口を構成する入口構成部が当該入球装置に一体化されているので、不正を行ったことで入口構成部が破損した場合には、入球装置の見た目が変化するので、当該不正行為を発見し易い。また、入口構成部が入球装置に対して動かないように一体化した場合には、入球口への入口を広げるための不正を入口構成部に施すことが困難となる。よって、入球口への有利にするための不正行為を抑制できる。
【０４２２】
＜特徴２１＞
特徴２０に記載の遊技機であって、
前記入球装置を前記遊技板に取り付けるための取付部（ビス３０１を挿通するための第１の挿通口、ビス３０２を挿通するための第２の挿通口）を備え、
前記取付部は、前記入球装置の、当該入球装置の入球口を遊技機正面視におけるほぼ真上に向けた状態において前記入球口の中心を通る上下方向の軸の左側に設けられた第１取付部と、前記軸の右側に設けられた第２取付部とを含み、
前記第１取付部と前記第２取付部とのうち一方の取付部は、前記遊技板における特定の第１取付位置（止め穴５４）に取り付けられ、
前記第１取付部と前記第２取付部とのうち他方の取付部は、前記遊技板における複数の第２取付位置（止め穴５５，５６）のいずれかに取り付けられることを特徴とする遊技機。
【０４２３】
特徴２１に記載の遊技機であれば、入球口を遊技機正面視におけるほぼ真上に向けた状態において当該入球口の中心を通る上下方向の軸の左右にそれぞれ設けられた第１取付部と第２取付部のうち、一方の取付部が、遊技板における特定の第１取付位置に取り付けられ、他方の取付部が、複数の第２の取付位置のいずれかに取り付けられるので、取付部を取り付けるために選択した第２の取付位置に応じて、入口構成部の、入口を構成する遊技釘に対する相対位置を変化させることができる。遊技釘に対する入口構成部の相対位置が変化すると、それに伴って、入球口への入口の間隔や当該入口への進入方向が変化するので、入球口への遊技球の入賞を入賞させる遊技に変化をもたらすことができる。これにより、異なる遊技性とした複数種類の遊技機を、取付部を取り付けるための第２の取付位置を選択することで簡易的に製造することができる。
【０４２４】
＜特徴３０＞
遊技球が前面側を流下する遊技板（遊技板５０）を備えた遊技機（パチンコ機１０）において、
前記遊技板の前面側には、発射装置から発射された遊技球が通過する発射通路（発射通路３１）と、該発射通路から排出された遊技球が流下する遊技領域（遊技領域２１）とが形成され、
前記発射通路と前記遊技領域とを仕切る仕切り部（配列された複数の遊技釘１００Ａ）を備え、
前記仕切り部は、前記遊技板に対して平行な断面における少なくとも前記遊技領域側が起伏形状に構成されていることを特徴とする遊技機。
【０４２５】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定される（例えば、特開２００８−１６１６３８号公報参照）。
【０４２６】
しかしながら、従来の遊技機においては、提供する遊技の興趣について未だ改良の余地があった。例えば、近年、遊技領域の中央に配設される中央構造体（センター装飾部材）が遊技の興趣向上のために大型化され、それに伴い、遊技球が流下する領域が限定される傾向にある。遊技球が流下する領域が限定されたことで、遊技球の流下挙動が単調となり、それによって、遊技球を流下させて入賞口や始動口などに入賞させる遊技の興趣が失われる可能性があった。
【０４２７】
これに対し、特徴３０に記載の遊技機であれば、発射装置から発射された遊技球が通過する発射通路と、該発射通路から排出された遊技球が流下する遊技領域とを仕切る仕切り部が、遊技板に対して平行な断面における少なくとも遊技領域側が起伏形状に構成されている。これにより、仕切り部に遊技領域側から接触した遊技球の挙動が複雑化されるので、中央構造体が大型化されたことで遊技領域が限定される場合であっても、遊技球の流下挙動が単調となり難く、好適な遊技の興趣を提供できる。
【０４２８】
なお、発射通路と遊技領域とを仕切る仕切り部として、発射通路における遊技領域側の壁面を一定の幅で構成する部分としてもよい。
【０４２９】
＜特徴３１＞
特徴３０に記載の遊技機であって、
前記仕切り部は、前記遊技板に対して平行な断面における前記発射領域側と前記遊技領域側とがともに起伏形状に構成されていることを特徴とする遊技機。
【０４３０】
特徴３１に記載の遊技機であれば、仕切り部が、遊技板に対して平行な断面における遊技領域側だけでなく、発射領域側が起伏形状に構成されているので、発射装置から発射された遊技球が遊技領域に到達せずに発射通路を逆流する場合において、逆流する遊技球の挙動が仕切り部との接触によって複雑化されるため、逆流する遊技球と次に発射された遊技球との衝突可能性を低減できる。これにより、遊技球が発射通路を逆流する事象が発生した後、遊技を早期に復帰させることが可能となる。
【０４３１】
＜特徴３２＞
特徴３０または３１に記載の遊技機であって、
前記遊技板の前面が向く前方側に突出するようにして取り付けられる遊技釘（遊技釘１００Ａ，１００Ｂ，１００Ｃ，１００Ｄ）を備え、
前記仕切り部は、複数の前記遊技釘の配列から構成されることを特徴とする遊技機。
【０４３２】
従来の遊技機においては、発射装置から発射された遊技球は、一組のレールにガイドされ、これらのレールの間に形成される発射通路を通って遊技領域に進入する（例えば、特開２００８−１６１６３８号公報参照）。しかしながら、従来の遊技機においては、発射された遊技球をガイドする一組のレールは、一般的に、金属製の薄板を滑らかに湾曲させながらねじ止めなどによって所定間隔で固定することで遊技板に立設されているので、使用により歪み易いという問題があった。レールが歪んだ場合、遊技領域を流下する遊技球が遊技釘とレールとの間に嵌まり込むなど、適正な遊技が阻害される可能性がある。
【０４３３】
特徴３２に記載の遊技機であれば、仕切り部は、複数の遊技釘の配列から構成されているので、個々の遊技釘に歪みが生じ難いことから、使用による仕切り部の歪みが生じ難く、適正な遊技を長期にわたって提供することができる。また、遊技釘を仕切り部として流用することができる。
【０４３４】
＜特徴４０＞
遊技球が前面側を流下する遊技板（遊技板５０）と、該遊技板の前面が向く前方側に突出するようにして取り付けられる遊技釘（遊技釘１００Ｂ，１００Ｃ）とを備えた遊技機（パチンコ機１０）において、
前記遊技釘は、前記前方側に突出する突端部に設けられる頭部（頭部１０２）と、該頭部の外径より細く形成された軸部（軸部１０１Ｂ，１０１Ｃ）とを備え、前記遊技板の前面側より前記軸部が挿入されて前記遊技板に取り付けられるものであり、
前記軸部は、該軸部の軸方向に対して垂直な断面が非円形状であり、該断面が第１の曲率の円弧に形成された第１の外面と、該第１の外面に接続された、前記断面が前記第１の曲率より小さな第２の曲率の円弧、直線、または少なくとも１の折れ曲がった角部を有する形に形成された第２の外面とを備えていることを特徴とする遊技機。
【０４３５】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定される（例えば、特開２００８−１６１６３８号公報参照）。
【０４３６】
しかしながら、従来の遊技機においては、遊技釘の形状について未だ改良の余地があった。例えば、従来の遊技機では、軸部の断面が略円形である遊技釘が一般的であり、遊技球が接触する（衝突する）位置に応じて特徴的な跳ね返りをすることがなく、興趣に欠けていた。
【０４３７】
これに対し、特徴４０に記載の遊技機であれば、遊技釘の軸部が、該軸部の軸方向（すなわち、該軸の長手方向）に対して垂直な断面が非円形状であり、該断面が第１の曲率の円弧に形成された第１の外面と、該第１の外面に接続された、前記断面が第１の曲率より小さな第２の曲率の円弧、直線、または少なくとも１の折れ曲がった角部を有する形に形成された第２の外面とを備えている。よって、遊技球が接触する位置に応じて特徴的に跳ね返ることになるため、遊技釘により跳ね返る遊技球の挙動に対する興趣を向上させることができる。
【０４３８】
また、軸部の断面が略円形である遊技釘が、遊技領域の周縁に設けられた仕切り部の近傍に取り付けられた場合、遊技領域を流下する遊技球が仕切り部と遊技釘の軸部の外周とにより形成される空間に嵌まり込むことがあった。これに対し、特徴４０に記載の遊技機であれば、上記構成される遊技釘を、例えば、第１の外面を、仕切り部に対し当該仕切り部との間に遊技球が嵌まり込まないような向きで仕切り部の近傍に取り付けることで、遊技領域を流下する遊技球が仕切り部と遊技釘の軸部の外周とにより形成される空間に嵌まり込むことを抑制できる。
【０４３９】
＜特徴４１＞
特徴４０に記載の遊技機であって、
前記遊技板の前面側には、発射装置から発射された遊技球が通過する発射通路（発射通路３１）と、該発射通路から排出された遊技球が流下する遊技領域（遊技領域２１）とが形成され、
前記発射通路と前記遊技領域との境界において、前記第１の外面が前記発射通路側に向けて配列された複数の前記遊技釘から構成される仕切り部（配列された複数の遊技釘１００Ｂ）を備えていることを特徴とする遊技機。
【０４４０】
従来の遊技機においては、発射装置から発射された遊技球は、一組のレールにガイドされ、これらのレールの間に形成される発射通路を通って遊技領域に進入する（例えば、特開２００８−１６１６３８号公報参照）。しかしながら、従来の遊技機においては、発射された遊技球をガイドする一組のレールは、一般的に、金属製の薄板から構成されているため、使用により歪み易いという問題があった。レールが歪んだ場合、それにより適正な遊技が阻害される虞がある。
【０４４１】
特徴４１に記載の遊技機であれば、仕切り部は、複数の遊技釘の配列から構成されているので、使用による歪みが生じ難く、適正な遊技を長期にわたって提供することができる。また、仕切り部を構成する複数の遊技釘は、第１の外面が発射通路側に向けて配列されているので、発射装置から発射された遊技球を好適にガイドして遊技領域へと進入させることができる。
【０４４２】
＜特徴４２＞
特徴４０に記載の遊技機であって、
前記遊技板の前面側には、発射装置から発射された遊技球が通過する発射通路（発射通路３１）と、該発射通路から排出された遊技球が流下する遊技領域（遊技領域２１）とが形成され、
前記遊技釘のうち、前記遊技領域における前記発射通路の出口近傍に取り付けられる遊技釘（遊技釘１００Ｃ）は、前記軸部の前記第２外面が、鋭角に折れ曲がった角部を有する形状に構成され、該鋭角に折れ曲がった角部を遊技機正面視における上方側に向けて前記遊技板に取り付けられることを特徴とする遊技機。
【０４４３】
特徴４２に記載の遊技機であれば、鋭角に折れ曲がった角部を有する形状に構成された第２外面を軸部に有する遊技釘が、該鋭角に折れ曲がった角部を遊技機正面視における上方側に向けて発射通路３１の出口近傍に取り付けられているので、発射領域から遊技領域に進入した遊技球について、前記第２外面を有する遊技釘による跳ね返り挙動を複雑化することができる。これにより、発射領域から遊技領域に進入した遊技球の挙動を遊技者に楽しませることができる。
【０４４４】
なお、発射通路の出口近傍に取り付けられる遊技釘として、遊技領域の入口（発射通路の出口）より高い位置に設けられ、当該入口から進入した遊技球を当該入口から離れた側（具体的には、遊技球の進行方向先端側）にて下方へと流下させることが可能な通路を形成する遊技釘であって当該通路における遊技領域の入口に近い側に配置される遊技釘としてもよく、当該通路を構成する遊技釘が上下方向に複数並んでいる場合は、それらのうち一番上に配置される遊技釘としてもよい。
【０４４５】
＜特徴５０＞
遊技球が前面側を流下する遊技板（遊技板５０）と、該遊技板の前面が向く前方側に突出するようにして取り付けられる遊技釘（遊技釘１００Ａ，１００Ｂ，１００Ｃ，１００Ｄ）とを備えた遊技機（パチンコ機１０）において、
前記遊技釘は、前記前方側に突出する突端部に設けられる頭部（頭部１０２）と、該頭部の外径より細く形成された軸部（軸部１０１Ａ，１０１Ｂ，１０１Ｃ，１０１Ｄ）とを備え、前記遊技板の前面側より前記軸部が挿入されて前記遊技板に取り付けられるものであり、
前記軸部には、該軸部の軸方向に対して角度を持つ方向に延びる該軸部を破損可能な溝部（溝部１１５，１１６）が外周に形成されていることを特徴とする遊技機。
【０４４６】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定される（例えば、特開２００８−１６１６３８号公報参照）。
【０４４７】
しかしながら、従来の遊技機においては、遊技釘の形状について未だ改良の余地があった。例えば、従来の遊技機において、遊技板に打ち込まれた遊技釘が不正に曲げられてしまうと、設計値とは異なる性能の遊技機になってしまう。
【０４４８】
これに対し、特徴５０に記載の遊技機であれば、遊技釘の軸部には、該軸部の軸方向に対して角度を持つ方向に延びる該軸部を破損可能な溝部が外周に形成されているので、遊技釘を曲げるための負荷を与えた場合に、その負荷によって遊技釘の軸部が破損する（例えば、折曲や折損など）可能性が、溝部を設けることで高められる。よって、遊技釘を曲げる不正行為を、軸部の破損といった見た目から発見し易い。また、そのように不正行為が発見し易くなるため、当該不正の実施が抑制される。
【０４４９】
＜特徴５１＞
特徴５０に記載の遊技機であって、
前記溝部は、
前記軸部を軸方向に対して略垂直な方向に切り欠いた第１の溝部（溝部１１５）と、
前記軸部の軸方向に対して前記第１の溝部の裏側となる位置に、該第１の溝部と略同方向に切り欠いた第２の溝部（溝部１１６）とから構成されることを特徴とする遊技機。
【０４５０】
特徴５１に記載の遊技機であれば、遊技釘の軸部を、特定方向からかけられる負荷に対して方向性をもって、すなわち、第１の溝部または第２の溝部が延びる向きに沿って破損させ易い。よって、負荷がかけられて曲げられる可能性がある遊技釘について、第１の溝部および第２の溝部を負荷がかけられ易い方向に応じて適宜向けて取り付けることで、遊技釘を曲げる不正行為を発見し易い。
【０４５１】
＜特徴５２＞
特徴５１に記載の遊技機であって、
前記遊技板に取り付けられる前記遊技釘の少なくとも一部は、２本の前記遊技釘間が連結部（連結部２０１）により連結された釘ユニット（釘ユニット２００）の形態で前記遊技板に設けられ、
前記釘ユニットにおいて前記連結部により連結された前記遊技釘は、前記第１の溝部または前記第２の溝部が延びる方向が、前記連結部が延びる方向に沿った方向を向くように配置されていることを特徴とする遊技機。
【０４５２】
特徴５２に記載の遊技機であれば、第１の溝部または第２の溝部が延びる方向が、釘ユニットにおける連結部が延びる方向に沿った方向を向くように配置されているので、溝部が破損した場合には、釘ユニットの見た目が大きく変わることになる。よって、不正にかけられた負荷によって行われた不正行為を、見た目の変化によって早期に発見でできる。
【０４５３】
＜特徴５３＞
特徴５０から５２のいずれかに記載の遊技機であって、
前記溝部は、前記遊技釘を前記遊技板に取り付けた場合に該遊技板の前面より前方であって、前記頭部より前記遊技板の前面に近い位置に形成されていることを特徴とする遊技機。
【０４５４】
特徴５３に記載の遊技機であれば、溝部が、遊技釘を遊技板に取り付けた場合に該遊技板の前面より前方であって、遊技釘の頭部より遊技板の前面に近い位置に形成されているので、頭部に不正に力を加えて遊技釘を曲げようとした場合に、力を加えられる位置（つまり力点）に対し、溝部が、支点となる遊技板の前面に比較的近い位置となるため、溝部に負荷がかかり易く、軸部を溝部において破損させ易い。
【０４５５】
＜特徴５４＞
特徴５３に記載の遊技機であって、
前記溝部は、前記遊技釘を前記遊技板に取り付けた場合に該遊技板の前面から前方に所定長さの位置に形成されていることを特徴とする遊技機。
【０４５６】
特徴５４に記載の遊技機であれば、溝部は、遊技釘を前記遊技板に取り付けた場合に該遊技板の前面から前方に所定長さの位置に形成されているので、軸部が溝部において折損された場合であっても、遊技釘は遊技板から所定長さだけ出た状態で残されるので、遊技釘を遊技板から取り外す作業を行い易い。
【０４５７】
＜特徴５５＞
特徴５０から５２のいずれかに記載の遊技機であって、
前記溝部は、前記遊技板に取り付けた前記遊技釘において前記遊技板の前面側を流下する遊技球が接触可能な位置より前記頭部の側に形成されていることを特徴とする遊技機。
【０４５８】
特徴５５に記載の遊技機であれば、溝部が、遊技板に取り付けた遊技釘において当該遊技板の前面側を流下する遊技球が接触可能な位置より頭部の側に形成されるので、遊技球との接触によって損傷を受ける可能性が少ない。よって、遊技中に遊技釘が誤って折損される場合を低減しつつ、不正行為を発見し易い機能を付加することができる。
【０４５９】
＜特徴６０＞
遊技球が前面側を流下する遊技板（遊技板５０）と、該遊技板の前面が向く前方側に突出するようにして取り付けられる複数の遊技釘（遊技釘１００Ａ，１００Ｂ，１００Ｃ，１００Ｄ）とを備えた遊技機（パチンコ機１０）において、
遊技球が通過した場合に所定の特典を付与する特定領域（始動入賞口５２５，６２５，７２５）と、
前記複数の遊技釘のうち、前記特定領域に通じる通路の少なくとも一部を構成する特定釘に対して取り付ける釘カバー（釘カバー部５３５ｂ，６３５ｃ，７３５ｃ）と、
を備え、
前記釘カバーは、前記特定釘における前記前方側の端部である前方端部の周囲のうち、少なくとも遊技球の通過方向に対して交差する所定部分の外方に配置される壁部（収容部５３５ｂ１，６３５ｃ１，７３５ｃ１の内壁）を備えていることを特徴とする遊技機。
【０４６０】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定される（例えば、特開２００８−１６１６３８号公報参照）。
【０４６１】
しかしながら、従来の遊技機においては、遊技板に取り付けた遊技釘に関し、未だ改良の余地があった。例えば、従来の遊技機において、遊技板に打ち込まれた遊技釘が不正に曲げられてしまうと、設計値とは異なる性能の遊技機になってしまう。
【０４６２】
これに対し、特徴６０に記載の遊技機であれば、複数の遊技釘のうち所定の特定釘に対して取り付ける釘カバーには、特定釘における前方端部の周囲のうち、少なくとも遊技球の通過方向に対して交差する所定部分の外方に配置される壁部を有しているので、特定釘の前方端部を当該壁部が配置された方向に動かすことが困難となる。よって、特定釘に釘カバーを取り付けることで、当該特定釘が、少なくとも遊技球の通過方向に対して交差する向きに不正に曲げられることを抑制することができる。
【０４６３】
ここで、例えば、始動入賞口などの各種特定領域の上方に取り付けられた、当該特定領域へ遊技球を導く通路の一部であり当該特定領域への入口として機能する一対の遊技釘に対し、当該一対の遊技釘の間隔を不正に広げ、それにより、特定領域への遊技球の進入を有利にさせる不正行為が存在していた。これに対し、特徴６０に記載の遊技機であれば、例えば、特定領域の上方に取り付けられた一対の遊技釘を特定釘として、当該一対の遊技釘の間隔を広げる方向（つまり、遊技球の通過方向に対して交差する方向）の外に壁部が配置されたことで、当該一対の遊技釘の間隔を広げることが困難となり、それにより、その間隔を不正に広げる行為を抑制することができる。
【０４６４】
また、始動入賞口などの各種特定領域へと遊技球を導く通路として並べられた複数の遊技釘に対し、それら複数の遊技釘の一部または全てを遊技機正面視における上方または下方に曲げることで遊技球を導く経路を変更させ、それにより、特定領域への遊技球の進入を不正に有利にさせることが考えられる。これに対し、特徴６０に記載の遊技機であれば、特定領域へと遊技球を導く通路として並べられた複数の遊技釘の少なくとも一部を特定釘として、当該特定釘を遊技機正面視における上方または下方（つまり、特定領域である入賞口に通じる通路を通過する遊技球の通過方向に対して交差する方向）に壁部が配置されたことで、壁部が配置された方向に特定釘を曲げることが困難となり、それにより、上記不正行為を抑制することができる。
【０４６５】
なお、特徴６０に記載の釘カバーとして、少なくとも遊技球の通過方向に対して交差する所定部分の外方に配置される壁部を有する構成に代えて、又は、当該壁部を有する構成に加えて、前方端部に対して遊技者側の少なくとも一部を覆う壁部を有する釘カバーとしてもよく、これにより、遊技者側から見て遊技釘の前方端部が釘カバーに覆われるので、不正行為を行おうとするものに対して、前方端部に対して力を加える不正が困難であることを認識させることができる。
【０４６６】
＜特徴６１＞
特徴６０に記載の遊技機であって、
前記遊技板の前面側を視認可能に覆う被覆部材（ガラス板１１）を備え、
前記釘カバーは、前記遊技板または前記被覆部材に直接的に、あるいは、前記遊技板または前記被覆部材に固定された支持部材を介して間接的に取り付けられることで、前記特定釘に対する取り付け状態が保持されることを特徴とする遊技機。
【０４６７】
特徴６１に記載の遊技機であれば、釘カバーは、特定釘に対する取り付け状態が保持されるよう、直接的または間接的に遊技板または被覆部材に取り付けられているので、釘カバーが誤って外れたり、特定釘に対する取り付け位置がずれたりなどの事象の発生が抑制されるので、特定釘が意図しない方向に曲げられることを抑制できる。
【０４６８】
＜特徴６２＞
特徴６０または６１に記載の遊技機であって、
前記特定釘は、前記前方端部とは反対側の端部が前記遊技板に取り付けられ、前記前方端部へと略棒状に延びる軸部（軸部１０１Ａ）と、該軸部の前記前方端部側に連設される頭部（頭部１０２）とを備え、
前記釘カバーは、該釘カバーの取付状態において、前記頭部より遊技機正面視の上方側の外形が、前記軸部の軸中心に応じた位置を中心とする、前記頭部の外径より大きな径の略円弧形状に構成される部位を有することを特徴とする遊技機。
【０４６９】
特徴６２に記載の遊技機であれば、釘カバーは、その取付状態において、遊技釘の頭部より遊技機正面視の上方側の外形が、遊技釘の軸部の軸中心に応じた位置を中心とする、前記頭部の外径より大きな径の円弧形状に構成されるので、遊技釘が釘カバーにより覆われた状態における遊技球の流下挙動を、当該遊技釘の頭部が釘カバーにより覆われることなく露出しているときの流下挙動に似せることができる。よって、遊技釘に対し釘カバーを取り付けた場合であっても、遊技球の流下挙動に関して遊技者が感じる違和感を抑制することができる。
【０４７０】
＜特徴６３＞
特徴６０から６２のいずれかに記載の遊技機であって、
前記特定釘は、前記前方端部とは反対側の端部が前記遊技板に取り付けられ、前記前方端部へと略棒状に延びる軸部と、該軸部の前記前方端部側に連設され、該軸部の外径より小径の外径を有する頭部とを備え、
前記釘カバーは、該釘カバーの取付状態において、前記頭部より遊技機正面視の上方側の外形が、前記軸部の軸中心に応じた位置を中心とする、前記軸部の外径より大きな径の略円弧形状に構成される部位を有することを特徴とする遊技機。
【０４７１】
特徴６３に記載の遊技機であれば、頭部の外径が軸部の外径より小径に構成された遊技釘を用いた場合であっても、釘カバーの上方側の形状によって、軸部の外径より大きな外径の頭部であるかのように模倣することができる。これにより、頭部の外径が軸部の外径より大径に構成された遊技釘が取り付けられているかのような状況を擬似的に提供することができる。
【０４７２】
＜特徴６４＞
特徴６３または６４に記載の遊技機であって、
前記釘カバーが複数本の前記特定釘に対して取り付けられる場合、前記釘カバーは、該釘カバーの取り付け状態において、前記円弧形状の部分より遊技機正面視における下方側にて隣接する前記特定釘間が連結されていることを特徴とする遊技機。
【０４７３】
特徴６４に記載の遊技機であれば、釘カバーの取り付けによって隣接する特定釘が連結されているので、それら隣接する特定釘の間隔を変更することが困難になる。これにより、遊技釘間の間隔を変更することで有利な状況を不正に創り出す不正行為を抑制できる。
【０４７４】
＜特徴７０＞
遊技球が前面側を流下する遊技板（遊技板５０）と、該遊技板の前面が向く前方側に突出するようにして取り付けられる複数の遊技釘（遊技釘１００Ａ，１００Ｂ，１００Ｃ，１００Ｄ）とを備えた遊技機（パチンコ機１０）において、
遊技球が通過した場合に所定の特典を付与する特定領域（始動入賞口５２５，６２５，７２５）と、
前記複数の遊技釘のうち、前記特定領域に通じる通路の少なくとも一部を構成する特定釘について、該特定釘における前記前方側の端部である前方端部を収容する収容部を有し、前記収容部に収容された前記特定釘が所定の許容範囲から外れる場合に、該特定釘に対する相対位置を変化させることで該特定釘を前記許容範囲内に位置決めできる位置決め部材（前板部６３５ａおよび釘カバー部６３５ｃ，本体部７３５ａおよび釘カバー部７３５ｃ）と、
を備えていることを特徴とする遊技機。
【０４７５】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定される（例えば、特開２００８−１６１６３８号公報参照）。
【０４７６】
しかしながら、従来の遊技機においては、遊技釘の取り付けに関し、未だ改良の余地があった。例えば、遊技釘は遊技板への取り付け時において位置ずれが生じることがあり、遊技釘に位置ずれが生じた場合には、遊技機の性能が設計値と異なる可能性がある。特に、始動入賞口などの各種特定領域へ遊技球を導く通路を構成する遊技釘に位置ずれが生じた場合には、その可能性が高まる。例えば、特定領域の上方に取り付けられて当該特定領域への入口として機能する一対の遊技釘に位置ずれが生じた場合、一対の遊技釘間の距離が設計値通りとならず、それによって、特定領域に進入する遊技球の進入確率が設計値と異なる状況が生じることがある。
【０４７７】
これに対し、特徴７０に記載の遊技機であれば、複数の遊技釘のうち、特定領域に通じる通路の少なくとも一部を構成する特定釘について、位置決め部材の収容部に前方端部を収容し、当該特定釘が所定の許容範囲から外れる場合には当該特定釘に対する位置決め部材の相対位置を変化させることで、当該特定釘を前記許容範囲内に位置決めすることができる。よって、設計基準値に近い遊技機を製造し易くすることができる。
【０４７８】
＜特徴７１＞
特徴７０に記載の遊技機であって、
前記位置決め部材は、被誘導部（係合部６３５ａ２，７３５ａ８）を備え、
遊技板に対する固定的な位置に設けられ、前記特定釘に対する前記位置決め部材の相対位置が変化するよう前記被誘導部を誘導する誘導部（係合部６３５ｂ１０，７３５ｂ６）と、
前記特定釘が位置決めされた場合に前記位置決め部材の位置を固定する固定部（貫通孔６３５ｂ１１，７３５ｂ７）と、
を備えていることを特徴とする遊技機。
【０４７９】
特徴７１に記載の遊技機であれば、位置決め部材は、当該位置決め部の被誘導部が、遊技板に対する固定的な位置に設けられた誘導部によって誘導されることで特定釘に対する相対位置を変化させることができる。よって、特定釘に対する位置決め部材の移動方向を規制することができる。これにより、位置決め部材による特定釘の位置決めを一定的にすることができ、特定釘の位置決めに対する汎用性を高めることができる。そして、特定釘が位置決めされた場合には、固定部によって位置決め部材の位置を固定させることができるので、特定釘の位置決めを行った後に、位置決め部材を取り外す手間を省くことができる。
【０４８０】
＜特徴７２＞
特徴７１に記載の遊技機であって、
前記誘導部および前記被誘導部は、前記位置決め部材を遊技機正面視における前方または後方に誘導するものであることを特徴とする遊技機。
【０４８１】
特徴７２に記載の遊技機であれば、位置決め部材は、誘導部および被誘導部によって、遊技機正面視における前方または後方に誘導される。よって、特定釘に対する位置決め部材の相対位置を変化させても、遊技機正面視における遊技板上での位置決め部材の配置に変化がないので、遊技板の全体的な見栄えが大きく変わらず、遊技者に違和感を与えることを抑制できる。よって、遊技者に違和感を与えずに設計基準値に近い性能となるよう遊技釘を位置決めすることができる。
【０４８２】
＜特徴７３＞
特徴７０から７２のいずれかに記載の遊技機であって、
前記位置決め部材の前記収容部は、該収容部に収容された前記特定釘と接触可能な壁部（収容部６３５ｃ１，７３５ｃ１の内壁）を備え、
前記壁部は、前記収容部に収容された前記特定釘に対する前記位置決め部材の相対位置を変化させたときに前記特定釘との接触が保たれる所定区間において、前記特定釘における前方端部の位置を、該所定区間の終点での前記特定釘における前方端部の位置を、該所定区間の始点における前記前方端部の位置に比べて遊技球の通過方向に対して交差する側に位置させる形状に構成されることを特徴とする遊技機。
【０４８３】
特徴７３に記載の遊技機であれば、特定釘は、当該特定釘に対する位置決め部材の相対位置を変化させた場合に、当該特定釘が接触する収容部の壁部の形状に従い、その位置を遊技球の通過方向に対して交差する側に位置決めすることができる。よって、壁部の形状を利用した簡易な方法で特定釘の位置決めを行うことができる。
【０４８４】
＜特徴７４＞
特徴７０から７３のいずれかに記載の遊技機であって、
前記収容部は、該収容部に収容された前記特定釘について、該特定釘における前記前方側の端部である前方端部の周囲のうち、少なくとも一部分を囲う形状に構成されることを特徴とする遊技機。
【０４８５】
特徴７４に記載の遊技機であれば、収容部は、当該収容部に収容された特定釘について、その特定釘における前方端部の周囲のうち、少なくとも一部分を囲う（覆う）形状に構成されるので、特定釘が収容部により囲われた方向に曲げられることを抑制できる。これにより、特定釘を曲げることで遊技機の性能を設計値と異ならせる不正行為を抑制できる。
【０４８６】
＜特徴８０＞
遊技球を発射する発射手段（発射装置）と、
該発射手段により発射された遊技球を、遊技球が流下する遊技領域へ向けて案内する案内通路部（発射通路３１）と、
該案内通路部と前記遊技領域との間に設けられ、前記発射手段により発射された遊技球の前記案内通路部から前記遊技領域への進入を許容する許容状態（第１状態）と、前記遊技領域から前記案内通路部側への遊技球の進入を規制する規制状態（第２状態）とを切り替え可能に動作する可動部（開閉部８１１ａ）と、
該可動部が前記許容状態に切り替えられたことで前記案内通路部から前記遊技領域に進入した遊技球に取着された糸状部材が接触または接近したことに基づいて、その後に前記可動部が前記許容状態に切り替わることを抑制する抑制手段（糸受け部８２１ｃ）と、
を備えていることを特徴とする遊技機（パチンコ機１０）。
【０４８７】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口や、その入賞口へ遊技球を導く通路と入賞口に入賞しないでアウト口へ導く通路とを形成する多数の遊技釘などが設けられている（例えば、特開２００８−１６１６３８号公報参照）。
【０４８８】
しかしながら、従来の遊技機においては、未だ改良の余地があった。例えば、従来の遊技機では、遊技球に細い糸を取り付け、糸の一部を保持した状態で遊技球を遊技領域内に発射し、その糸を操作することで不正に入賞が発生させられ、不正に遊技球を獲得されるといった不正行為が行われる可能性があった。
【０４８９】
これに対し、特徴８０に記載の遊技機であれば、発射手段により発射された遊技球を遊技領域へ向けて案内する案内通路部と遊技領域との間には、発射手段により発射された遊技球の、案内通路部から遊技領域への進入を許容する許容状態と、遊技領域から案内通路部側への遊技球の進入を規制する規制状態とを切り替え可能に動作する可動部が設けられている。
【０４９０】
該可動部が許容状態に切り替えられたことで案内通路部から遊技領域に進入した遊技球に糸状部材が取着されている場合、該糸状部材が抑制手段に接触または接近したことに基づき、該抑制手段によって、その後における可動部の許容状態への切り替えが抑制される。可動部の許容状態への切り替えが抑制されたことで、その後に発射手段により発射される遊技球が遊技領域へ進入することが難しくなるため、不正な遊技球の獲得を抑制できる。このように、特徴８０に記載の遊技機であれば、糸状部材が取着された遊技球を用いて不正に遊技球を獲得するといった不正行為を抑制できる。
【０４９１】
＜特徴８１＞
特徴８０に記載の遊技機であって、
前記可動部は、遊技機正面視における前後方向に延びる回動軸（支点ピン８２２）によって回動可能に支持され
前記可動部の回動に連動して遊技機正面視における上下方向に位置が変動する連動部（錘部８１１ｂ）を備え、
前記抑制手段は、遊技機正面視における前記可動部または前記連動部の前または後方側に、前記案内通路部側から前記遊技領域側に渡る前記糸状部材を遊技機正面視における上方側から受け入れ可能に、かつ、前記可動部または前記連動部とともに前記糸状部材を狭持可能に、前記可動部または前記連動部に対して離間して設けられた糸保持部（糸受け部８２１ｃ）を備えていることを特徴とする遊技機。
【０４９２】
特徴８１に記載の遊技機であれば、可動部、または、可動部の回動に連動して遊技機正面視における上下方向に位置が変動する連動部の、遊技機正面視における前または後方側には糸保持部が設けられている。具体的に、糸保持部は、案内通路部側から遊技領域側に渡る糸状部材を遊技機正面視における上方側から受け入れ可能に、かつ、可動部または連動部とともに糸状部材を狭持可能に、可動部または連動部に対して離間して設けられている。
【０４９３】
よって、案内通路部によって上側へと案内されて遊技領域に進入した遊技球に糸状部材が取着されている場合に、糸保持部が、案内通路部側から遊技領域側に渡る糸状部材を上方側から受け入れ、該糸状部材を可動部または連動部とともに狭持した場合、糸状部材が糸保持部と可動部または連動部との間に狭持されたことで、糸保持部との摩擦によって可動部または連動部が動き難い状態を創出できる。つまり、かかる場合、可動部が動き難い状態を直接的または間接的に創出できる。ここで、可動部は、遊技球が案内通路部から遊技領域に進入したことに伴い規制状態に切り替えられることから、案内通路部側から遊技領域側に渡る糸状部材が糸保持部において狭持された状況において、可動部は、規制状態において動き難い状態とされ、これにより、許容状態に切り替わることが抑制される。
【０４９４】
＜特徴８２＞
特徴８１に記載の遊技機であって、
前記糸保持部は、前記可動部または前記連動部に対する離間距離が遊技機正面視における下方になるにつれて狭くなるよう形成されることを特徴とする遊技機。
【０４９５】
特徴８２に記載の遊技機であれば、糸保持部は、可動部または連動部に対する離間距離が遊技機正面視における下方になるにつれて狭くなるよう形成されているので、種々の太さの糸状部材を可動部または連動部との間に狭持することができる。よって、種々の太さの糸状部材に対して適用可能となるため、糸状部材が取着された遊技球を用いる不正行為を好適に抑制できる。
【０４９６】
＜特徴８３＞
特徴８１または８２に記載の遊技機であって、
前記可動部は、前記回動軸から離れる側の端部に、前記糸保持部が設けられた側に向かうにつれて該糸保持部の側に近づくよう前記回動軸の側へ傾斜する第１糸誘導部（先端８１１ａ１）を備えていることを特徴とする遊技機。
【０４９７】
特徴８３に記載の遊技機であれば、可動部には、該可動部を回動可能に支持する回動軸から離れる側の端部に、糸保持部が設けられた側に向かうにつれて該糸保持部の側に近づくよう回動軸の側に傾斜する第１糸誘導部が設けられているので、案内通路部から遊技領域に進入した遊技球に取着された糸状部材が第１糸誘導部を跨いだ場合に、該糸状部材が第１糸誘導部の傾斜によって糸保持部が設けられた側へと誘導される。これにより、糸部材が糸保持部に受け入れられ易くなるので、糸状部材が取着された遊技球を用いる不正行為を好適に抑制できる。
【０４９８】
＜特徴８４＞
特徴８３に記載の遊技機であって、
前記連動部は、前記回動軸に対し前記可動部とは逆側に位置して、該可動部とともに前記回動軸周りに回動し、
前記糸保持部は、前記連動部の前方側に、該連動部とともに前記糸状部材を狭持可能に設けられ、
前記可動部は、前記第１糸誘導部における前方側の端から前記回動軸の側に延び、前記糸状部材を前記第１糸誘導部における前方側の端から前記回動軸の側へ向けて誘導する第２誘導部（端辺８１１ａ３）を備え、
前記第２誘導部は、少なくとも前記回動軸の側の端が、該回動軸における前方側の先端より前方側に位置することを特徴とする遊技機。
【０４９９】
特徴８４に記載の遊技機であれば、可動部には、第１糸誘導部における前方側の端から回動軸の側に延びる第２誘導部が設けられているので、発射通部を遊技領域へ向けて案内される遊技球に取着されている糸状部材は、可動部の第１誘導部により、糸保持部が設けられた前方側に案内された後、可動部の第２誘導部により、第１糸誘導部における前方側の端から回動軸の側へ向けて誘導される。
【０５００】
第２誘導部は、少なくとも回動軸の側の端が、該回動軸における前方側の先端より前方側に位置するよう構成されているので、第２誘導部により回動軸の側に誘導された糸状部材が回動部に引っ掛かることを抑制できる。これにより、第２誘導部により誘導される糸状部材が、回動軸を越えて、該回動軸に対して可動部とは逆側に位置する連動部の前方側に設けられた糸保持部に到達し易くなるので、糸保持部に受け入れられ易く、糸状部材が取着された遊技球を用いる不正行為を好適に抑制できる。
【０５０１】
＜特徴８５＞
特徴８３または８４に記載の遊技機であって、
前記遊技領域、前記案内通路部、および前記可動部の前方に配置された板状部材（ガラス板１１）を備え、
前記連動部は、前記回動軸に対し可動部とは逆側に位置して、前記可動部とともに前記回動軸周りに回動し、
前記糸保持部は、前記連動部の前方側、かつ、前記板状部材の後方側に設けられ、
前記可動部は、前記第１糸誘導部における前方側の端から前記回動軸の側に延び、前記糸状部材を前記第１糸誘導部における前方側の端から前記回動軸の側へ向けて誘導する第２誘導部（端辺８１１ａ３）を備え、
前記糸保持部における前記糸状部材を受け入れる側の端と前記板状部材との離間距離は、前記第２誘導部における少なくとも前記回動軸の側の端と前記板状部材との離間距離より狭いことを特徴とする遊技機。
【０５０２】
特徴８５に記載の遊技機であれば、第１糸誘導部における前方側の端から回動軸の側に延びる第２誘導部が設けられているので、発射通部を遊技領域へ向けて案内される遊技球に取着されている糸状部材は、可動部の第１誘導部により、糸保持部が設けられた前方側に案内された後、可動部の第２誘導部により、第１糸誘導部における前方側の端から回動軸の側へ向けて誘導される。
【０５０３】
糸保持部における糸状部材を受け入れる側の端と、糸保持部の前方に配置された板状部材との離間距離は、第２誘導部における少なくとも回動軸の側の端と板状部材との離間距離より狭いので、回動軸に対して可動部とは逆側に位置する連動部の前方側に設けられた糸保持部は、第２誘導部により誘導される糸状部材を受け入れ易い。よって、糸状部材が取着された遊技球を用いる不正行為を好適に抑制できる。
【０５０４】
なお、特徴８５において、「前記糸保持部における前記糸状部材を受け入れる側の端と前記板状部材との離間距離」は、ゼロ、すなわち、糸保持部における糸状部材を受け入れる側の端が、板状部材に接している場合を含んでもよい。糸保持部における糸状部材を受け入れる側の端が板状部材に接している場合には、第２誘導部により誘導される糸状部材が、糸保持部と板状部材との間に形成された隙間に入り、それによって、糸保持部に受け入れられなくなることを抑制できる。
【０５０５】
＜特徴９０＞
遊技球を発射する発射手段（発射装置）と、
該発射手段により発射された遊技球を、遊技球が流下する遊技領域へ向けて案内する案内通路部（発射通路３１）と、
該案内通路部と前記遊技領域との間に設けられ、前記発射手段により発射された遊技球の前記案内通路部から前記遊技領域への進入を許容する許容状態（第１状態）と、前記遊技領域から前記案内通路部側への遊技球の進入を規制する規制状態（第２状態）とを切り替え可能に動作する可動部（開閉部８１１ａ）と、
該可動部が前記規制状態から前記許容状態に対応した側へ動作した場合に、前記発射手段により発射された遊技球の前記案内通路部から前記遊技領域側への進行を阻止可能な阻止位置に配置される進入阻止部（突出部８１１ｅ）と、
該進入阻止部が前記阻止位置に配置された状態を、前記案内通路部から前記遊技領域に進入した遊技球に取着された前記糸状部材に基づいて維持可能な阻止状態維持手段（切欠き部８１１ａ２）と、
を備えていることを特徴とする遊技機（パチンコ機１０）。
【０５０６】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口や、その入賞口へ遊技球を導く通路と入賞口に入賞しないでアウト口へ導く通路とを形成する多数の遊技釘などが設けられている（例えば、特開２００８−１６１６３８号公報参照）。
【０５０７】
しかしながら、従来の遊技機においては、未だ改良の余地があった。例えば、従来の遊技機では、遊技球に細い糸を取り付け、糸の一部を保持した状態で遊技球を遊技領域内に発射し、その糸を操作することで不正に入賞が発生させられ、不正に遊技球を獲得されるといった不正行為が行われる可能性があった。
【０５０８】
これに対し、特徴９０に記載の遊技機であれば、発射手段により発射された遊技球を遊技領域へ向けて案内する案内通路部と遊技領域との間には、発射手段により発射された遊技球の、案内通路部から遊技領域への進入を許容する許容状態と、遊技領域から案内通路部側への遊技球の進入を規制する規制状態とを切り替え可能に動作する可動部が設けられている。
【０５０９】
該可動部が規制状態から許容状態に対応した側へ動作した場合、進入阻止部が、発射手段により発射された遊技球の、案内通路部から遊技領域側への進行を阻止可能な阻止位置に配置される。進入阻止部が阻止位置に配置された状態は、阻止状態維持手段によって、案内通路部から遊技領域に進入した遊技球に取着された糸状部材に基づいて維持可能である。
【０５１０】
よって、進入阻止部が阻止位置に配置された状態が阻止状態維持手段によって維持された場合には、その後に発射装置から発射された遊技球が遊技球に進入できず、不正な遊技球の獲得を抑制できる。このように、特徴９０に記載の遊技機であれば、糸状部材が取着された遊技球を用いて不正に遊技球を獲得するといった不正行為を抑制できる。
【０５１１】
＜特徴９１＞
特徴９０に記載の遊技機であって、
前記可動部は、遊技機正面視における前後方向に延びる回動軸（支点ピン８２２）によって回動可能に支持され、発射手段により発射された遊技球が前記案内通路部から前記遊技領域へ進入する場合に前記回動軸周りを前記遊技領域側に回動して前記許容状態に切り替えられるとともに、遊技球が前記案内通路部から前記遊技領域に進入したことに伴い前記回動軸周りを前記案内通路側に回動して前記規制状態に切り替えられ、
前記進入阻止部は、前記回動軸に対し前記可動部とは逆側に位置して、前記可動部が前記規制状態から前記許容状態に対応した側へ回動した場合に、前記可動部とともに前記回動軸周りに回動して、遊技機正面視における前方側から見て前記案内通路部の少なくとも一部に重なる前記阻止位置に配置され、
前記阻止状態維持手段は、前記可動部における前記回動軸から離れる側の端部に、該端部の側から、前記回動軸に対して交差する向きに前記可動部を跨いで前記案内通路部側から前記遊技領域側に渡る糸状部材を受け入れ可能に形成された糸受け部（切欠き部８１１ａ２）を備えていることを特徴とする遊技機。
【０５１２】
特徴９１に記載の遊技機であれば、阻止状態維持手段は、可動部における回動軸から離れる側の端部に設けられた糸受け部を備えている。該糸受け部は、可動部における回動軸から離れる側の端部の側から、回動軸に対して交差する向きに可動部を跨いで案内通路部側から遊技領域側に渡る糸状部材を受け入れ可能に形成される。
【０５１３】
よって、可動部が許容状態となって案内通路から遊技領域に進入した遊技球に糸状部材が取着されている場合に、糸受け部が、回動軸に対して交差する向きに可動部を跨いで案内通路部側から遊技領域側に渡る糸状部材を受け入れた場合、遊技領域を流下する遊技球によって引かれた糸状部材が、許容状態にある可動部を遊技領域側へと引っ張る、または、当該可動部を遊技領域側へ押さえ込み、それにより、可動部を許容状態のまま維持することができる。
【０５１４】
進入阻止部は、可動部が規制状態から許容状態に対応した側へ回動した場合に、可動部とともに回動軸周りに回動し、遊技機正面視における前方側から見て案内通路部の少なくとも一部に重なる阻止位置に配置される。よって、糸受け部に受け入れられた糸状部材によって可動部が許容状態に維持されたことで、進入阻止部を阻止位置のまま維持することができ、それにより、糸状部材が取着された遊技球を用いて不正に遊技球を獲得するといった不正行為を抑制できる。
【０５１５】
＜特徴９２＞
特徴９１に記載の遊技機であって、
前記糸受け部は、前記回動軸の側に向かうにつれて幅が狭くなる切欠き部であることを特徴とする遊技機。
【０５１６】
特徴９２に記載の遊技機であれば、糸受け部は、回動軸の側に向かうにつれて幅が狭くなる切欠き部であるので、糸受け部の入口側では糸状部材を受け入れ易く、遊技球の自重によって回動軸の側に入り込むことで、糸状部材は、糸受け部に狭持され、それにより、糸受け部との間に生じる摩擦力によって可動部を遊技領域側へと好適に引っ張ることが可能となる。また、回動軸の側に向かうにつれて幅が狭くなる形状であるので、種々の太さの糸状部材を可動部または連動部との間に狭持することができる。よって、種々の太さの糸状部材に対して適用することが可能となる。
【０５１７】
＜特徴９３＞
特徴９１または９２に記載の遊技機であって、
前記可動部における前記回動軸から離れる側の端部に、前記糸受け部の形成位置に向かうにつれて前記回動軸の側に近づくよう傾斜するよう形成された糸誘導部（先端８１１ａ１）を備えていることを特徴とする遊技機。
【０５１８】
特徴９３に記載の遊技機であれば、可動部には、該可動部を回動可能に支持する回動軸から離れる側の端部に、糸受け部の形成位置に向かうにつれて回動軸の側に近づくよう傾斜する糸誘導部が形成されているので、案内通路部から遊技領域に進入した遊技球に取着された糸状部材が糸誘導部を跨いだ場合に、該糸状部材が糸誘導部の傾斜によって糸受け部へと誘導される。これにより、糸状部材が糸受け部に入り込み易くなるので、糸状部材が取着された遊技球を用いる不正行為を好適に抑制できる。
【０５１９】
＜特徴９４＞
特徴９１から９３のいずれかに記載の遊技機であって、
前記進入阻止部は、前記可動部における遊技機正面視の前後方向の幅より狭く形成され、
前記糸受け部は、前記阻止手段に対して遊技機正面視における前後方向にずれた位置に形成されることを特徴とする遊技機。
【０５２０】
特徴９４に記載の遊技機であれば、阻止手段は、可動部における遊技機正面視の前後方向の幅より狭く形成されており、糸受け部は、阻止手段に対して遊技機正面視における前後方向にずれた位置に形成されている。よって、糸受け部に入り込んだ糸状部材が阻止手段に接触することを抑制できる。そのため、糸状部材における案内通路部の側が引っ張るなど操作されたとしても、糸状部材が阻止手段に触れて該阻止手段を可動部が許容状態になるよう押し戻されることが好適に抑制されるので、進入阻止部による、遊技領域への遊技球の進入阻止を好適に維持することができる。
【０５２１】
なお、特徴１０〜９４に記載のいずれか１つの特徴を他のいずれか又は複数の特徴に組み合わせて適用しても良い。また、特徴１０〜５５に記載の各遊技機について、遊技釘が頭部と軸部を備えたものであって、前記頭部と前記軸部の構成に代えて、前記遊技釘が、前記遊技板の前方側に突出する突端部に設けられる頭部と、該頭部に連設されて、その外径が該頭部の外径より太い（大径である）略棒状の軸部とを備えるものであってもよい。また、前記遊技釘が、頭部を有する略棒状の軸部を備える構成であってもよい。
以下には、上記した各特徴を適用し得る遊技機の基本構成を示す。
【０５２２】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【産業上の利用可能性】
【０５２３】
以上のように、この発明は、パチンコ機等の遊技機に適している。
【符号の説明】
【０５２４】
１０…パチンコ機、２１…遊技領域、３１…発射通路、５０…遊技板、１００Ａ，１００Ｂ，１００Ｃ，１００Ｄ…遊技釘、１０１Ａ，１０１Ｂ，１０１Ｃ，１０１Ｄ…軸部、１０２…頭部、１１２…螺旋部、１１３…抜止部、１１４…当接部、１１５，１１６…溝部、２００…釘ユニット、２０１…連結部、２０１ａ…突出部、３３４…一般入賞装置、４０１…ピン、５４，５５，５６…止め穴、５３５，６３５，７３５…始動入賞装置、５３５ｂ，６３５ｃ，７３５ｃ…釘カバー部、５３５ｂ１，６３５ｃ１，７３５ｃ１…収容部、８００…戻り球防止機構、８１１ａ…開閉部、８１１ａ１…先端、８１１ａ２…切欠き部、８１１ａ３…端辺、８１１ｂ…錘部、８１１ｅ…突出部、８２１ｃ…糸受け部、８２２…支点ピン
【図１】
2017196197.tif 000003
【図２】
2017196197.tif 000004
【図３】
2017196197.tif 000005
【図４】
2017196197.tif 000006
【図５】
2017196197.tif 000007
【図６】
2017196197.tif 000008
【図７】
2017196197.tif 000009
【図８】
2017196197.tif 000010
【図９】
2017196197.tif 000011
【図１０】
2017196197.tif 000012
【図１１】
2017196197.tif 000013
【図１２】
2017196197.tif 000014
【図１３】
2017196197.tif 000015
【図１４】
2017196197.tif 000016
【図１５】
2017196197.tif 000017
【図１６】
2017196197.tif 000018
【図１７】
2017196197.tif 000019
【図１８】
2017196197.tif 000020
【図１９】
2017196197.tif 000021